(57)【要約】本願は、端末装置によって二つの測定タスクを実行するプロセスにおいて衝突が発生し、端末装置の測定効率に影響するという問題を解決するための測定方法および装置を開示する。本方法では、端末装置が、二つの測定タスクを開始する装置によって送信された測定要求を同時にまたは相次いで受信した後、端末装置が二つの測定タスクのいずれかを優先的に実行しうる。それにより、測定タスクの達成の品質を保証する。このようにして、二つの測定タスクを開始する装置が端末装置に二つの対応する測定タスクを実行するよう命令するとき、端末装置は、二つの測定タスクを実行するプロセスにおける衝突を避けることができ、それにより端末装置の測定効率を確保する。
2020519143.tif 000002
【特許請求の範囲】
【請求項１】
測定方法であって：
端末装置が、第一の測定タスクを開始する装置によって送信された第一の測定要求を受信した後、第一の測定タスクが終わっていないときに、第二の測定タスクを開始する装置によって送信された第二の測定要求を前記端末装置によって受信する；または、前記第一の測定要求および前記第二の測定要求を前記端末装置によって同時に受信する、段階と；
前記端末装置によって、第一のターゲット測定タスクを優先的に実行する段階とを含み、
前記端末装置によって、前記第一のターゲット測定タスクを優先的に実行する前記段階は：
前記端末装置によって、前記第一のターゲット測定タスクを実行し、第二のターゲット測定タスクの実行をスキップすること；または
前記端末装置によって、前記第一のターゲット測定タスクを実行し、次いで、前記第一のターゲット測定タスクが終わった後に前記第二のターゲット測定タスクを実行すること；または
前記端末装置によって、前記第一のターゲット測定タスクの指定された実行時間において前記第一のターゲット測定タスクを実行し、前記第二のターゲット測定タスクの指定された実行時間を延長し、前記第二のターゲット測定タスクの実行時間が延長された後に得られる時間において前記第二のターゲット測定タスクを実行すること；または
前記第一のターゲット測定タスクの実行時間が第一の継続時間だけ延長された後に得られる時間において、前記端末装置によって、前記第一のターゲット測定タスクを実行し、前記第二のターゲット測定タスクの実行時間が第二の継続時間だけ延長された後に得られる時間において、前記第二のターゲット測定タスクを実行することであって、前記第二の継続時間は前記第一の継続時間より長い、こと；または
前記端末装置によって、前記第一のターゲット測定タスクに割り当てられた資源を使って前記第一のターゲット測定タスクを実行し、前記第二のターゲット測定タスクに割り当てられた資源を使って前記第二のターゲット測定タスクを実行することであって、前記第一のターゲット測定タスクに割り当てられた資源は、前記第二のターゲット測定タスクに割り当てられた資源よりも大きく、資源は、計算資源、記憶資源、通信資源、および測定ギャップのうちの少なくとも一つを含むこと、
を含み、
前記第一のターゲット測定タスクは、前記第一の測定タスクおよび前記第二の測定タスクのいずれかであり、前記第二のターゲット測定タスクは、前記第一の測定タスクおよび前記第二の測定タスクのうち、前記第一のターゲット測定タスクとは異なる他方である、
方法。
【請求項２】
前記端末装置によって、前記第一のターゲット測定タスクを優先的に実行する前に、当該方法はさらに：
前記端末装置によって、前記第一のターゲット測定タスクを決定することを含み、前記第一のターゲット測定タスクを決定することは：
前記端末装置が、前記第一の測定要求が受信された時刻が、前記第二の測定要求が受信された時刻より早いことを判別する場合、前記端末装置によって前記第一の測定タスクを前記第一のターゲット測定タスクとして決定すること；または
前記端末装置が、前記第二の測定要求が受信された時刻が、前記第一の測定要求が受信された時刻より遅いことを判別する場合、前記端末装置によって前記第二の測定タスクを前記第一のターゲット測定タスクとして決定すること；または
前記端末装置によって、前記第一の測定タスクの優先度および前記第二の測定タスクの優先度を決定し、前記第一の測定タスクの優先度および前記第二の測定タスクの優先度に基づいて、優先度がより高い測定タスクを前記第一のターゲット測定タスクとして決定すること；または
前記端末装置によって、前記第一の測定タスクを開始する装置に、第一の衝突メッセージであって、該第一の衝突メッセージは前記端末装置が前記第二の測定要求を受信したことを示すために使用される、第一の衝突メッセージを送信し；前記第一の測定タスクを開始する装置によって返される第一の測定構成メッセージであって、該第一の測定構成メッセージは前記端末装置に前記第一のターゲット測定タスクを優先的に実行するよう命令するために使用される、第一の測定構成メッセージを受領し；前記第一の測定構成メッセージに基づいて前記第一のターゲット測定タスクを決定すること；または
前記端末装置によって、前記第二の測定タスクを開始する装置に、第二の衝突メッセージであって、該第二の衝突メッセージは前記端末装置が前記第一の測定要求を受信したことを示すために使用される、第二の衝突メッセージを送信し；前記第二の測定タスクを開始する装置によって返される第二の測定構成メッセージであって、該第二の測定構成メッセージは前記端末装置に前記第一のターゲット測定タスクを優先的に実行するよう命令するために使用される、第二の測定構成メッセージを受領し；前記第二の測定構成メッセージに基づいて前記第一のターゲット測定タスクを決定すること；または
前記端末装置によって、前記端末装置にサービスする基地局に、第三の衝突メッセージであって、該第三の衝突メッセージは、前記端末装置が前記第一の測定要求および前記第二の測定要求を受信したことを示すために使用される、第三の衝突メッセージを送信し；前記基地局によって返される第三の測定構成メッセージであって、該第三の測定構成メッセージは前記端末装置に前記第一のターゲット測定タスクを優先的に実行するよう命令するために使用される、第三の測定構成メッセージを受信し；前記第三の測定構成メッセージに基づいて、前記第一のターゲット測定タスクを決定することを含む、
請求項１記載の方法。
【請求項３】
前記第一の衝突メッセージがさらに、前記第二の測定タスクの優先度、または前記第二の測定タスクの優先度および前記第一の測定タスクの優先度を含む；または
前記第二の衝突メッセージがさらに、前記第一の測定タスクの優先度、または前記第一の測定タスクの優先度および前記第二の測定タスクの優先度を含む；または
前記第三の衝突メッセージがさらに、前記第一の測定タスクの優先度および前記第二の測定タスクの優先度を含む、
請求項２記載の方法。
【請求項４】
前記端末装置によって、前記第一の測定タスクの優先度を決定することが：
前記端末装置によって、前記第一の測定要求に含まれる、前記第一の測定タスクの優先度を判別すること；または
前記端末装置によって、前記第一の測定タスクを開始する装置に優先度要求を送信し、前記第一の測定タスクを開始する装置によって返される、前記第一の測定タスクの優先度を担持する優先度応答を受信することを含み；
前記端末装置によって、前記第二の測定タスクの優先度を決定することが：
前記端末装置によって、前記第二の測定要求に含まれる、前記第二の測定タスクの優先度を判別すること；または
前記端末装置によって、前記第二の測定タスクを開始する装置に優先度要求を送信し、前記第二の測定タスクを開始する装置によって返される、前記第二の測定タスクの優先度を担持する優先度応答を受信することを含む、
請求項２記載の方法。
【請求項５】
前記端末装置によって、前記第一のターゲット測定タスクを実行することが：
前記端末装置によって、第一の測定ギャップにおいて前記第一のターゲット測定タスクを実行することを含む、
請求項１ないし４のうちいずれか一項記載の方法。
【請求項６】
前記第一の測定ギャップは、前記第一の測定タスクを開始する装置、または前記端末装置にサービスする基地局によって前記端末装置のために、前記第一の測定タスクについて、構成される、請求項５記載の方法。
【請求項７】
前記第一のターゲット測定タスクが前記第二の測定タスクである場合、前記端末装置によって、第一の測定ギャップにおいて前記第一のターゲット測定タスクを実行する前に、当該方法はさらに：
前記端末装置によって、前記第二の測定タスクのために、第一の測定ギャップ構成要求を、前記第二の測定タスクを開始する装置または前記端末装置にサービスを提供する基地局に送信し；
前記端末装置によって、前記第二の測定タスクを開始する装置または前記基地局によって送信された第一の測定ギャップ構成情報を受信し；
前記端末装置によって、前記第一の測定ギャップ構成情報に基づいて、前記第一の測定ギャップを決定することを含む、
請求項５記載の方法。
【請求項８】
前記端末装置によって、前記第二のターゲット測定タスクを実行することが：
前記端末装置によって、前記第一の測定ギャップにおいて前記第二のターゲット測定タスクを実行すること；または
前記端末装置によって、第二の測定ギャップにおいて前記第二のターゲット測定タスクを実行することであって、前記第二の測定ギャップは前記第一の測定ギャップとは異なる、ことを含む、
請求項５ないし７のうちいずれか一項記載の方法。
【請求項９】
前記端末装置によって、第二の測定ギャップにおいて前記第二のターゲット測定タスクを実行する前に、当該方法がさらに：
前記端末装置によって、前記第二のターゲット測定タスクのために、第二の測定ギャップ構成要求を、前記第二のターゲット測定タスクを開始する装置または前記端末装置にサービスする基地局に送信し；
前記端末装置によって、前記第二の測定タスクを開始する装置または前記基地局によって送信された第二の測定ギャップ構成情報を受信し；
前記端末装置によって、前記第二の測定ギャップ構成情報に基づいて、前記第二の測定ギャップを決定することを含む、
請求項８記載の方法。
【請求項１０】
前記端末装置が前記第一のターゲット測定タスクを実行し、前記第二のターゲット測定タスクの実行をスキップする場合、当該方法はさらに：
第一の測定レポート受信指示であって、該第一の測定レポート受信指示は、前記第二のターゲット測定タスクを開始する装置に、前記端末装置が前記第二のターゲット測定タスクの実行をスキップすることを通知するために使われる、第一の測定レポート受信指示を、前記端末装置によって、前記第二のターゲット測定タスクを開始する装置に送信することを含む；または
前記端末装置が前記第一のターゲット測定タスクを実行し、前記第一のターゲット測定タスクが終わった後に前記第二のターゲット測定タスクを実行する場合、または、前記端末装置が前記第一のターゲット測定タスクの指定された実行時間において前記第一のターゲット測定タスクを実行し、前記第二のターゲット測定タスクの指定された実行時間を延長することを決定し、前記第二のターゲット測定タスクの実行時間が延長された後に得られる時間内に前記第二のターゲット測定タスクを実行する場合、当該方法はさらに：
前記端末装置によって、前記第二のターゲット測定タスクを開始する装置に、第二の測定レポート受信指示であって、該第二の測定レポート受信指示は、前記第二のターゲット測定タスクを開始する装置に、前記第二のターゲット測定タスクの測定レポートを受信するための時間を延長するよう命令するために使用される、第二の測定レポート受信指示を送信することを含む；または
前記端末装置が、前記第一のターゲット測定タスクの実行時間が前記第一の継続時間だけ延長された後に得られる時間内に前記第一のターゲット測定タスクを実行し、前記第二のターゲット測定タスクの実行時間が前記第二の継続時間だけ延長された後に得られる時間内に前記第二のターゲット測定タスクを実行する場合、当該方法はさらに：
前記端末装置によって、第三の測定レポート受信指示を前記第一のターゲット測定タスクを開始する装置に送信し、前記第三の測定レポート受信指示を前記第二のターゲット測定タスクを開始する装置に送信することであって、前記第三の測定レポート受信指示は、前記第一のターゲット測定タスクを開始する装置に、前記第一のターゲット測定タスクの測定レポートを受信するための時間を延長するよう命令するために使用され、前記第四の測定レポート受信指示は、前記第二のターゲット測定タスクを開始する装置に、前記第二のターゲット測定タスクの測定レポートを受信するための時間を延長するよう命令するために使用される、ことを含む、
請求項１ないし９のうちいずれか一項記載の方法。
【請求項１１】
前記第三の測定レポート受信指示はさらに前記第一の継続時間を含む、および／または前記第四の測定レポート受信指示はさらに前記第二の継続時間を含む、
請求項１０記載の方法。
【請求項１２】
前記第一の測定タスクおよび前記第二の測定タスクは、それぞれ、位置決め測定タスクおよび非位置決め測定タスクのいずれかである、請求項１ないし１１のうちいずれか一項記載の方法。
【請求項１３】
測定方法であって：
開始装置によって、測定タスクの優先度を決定する段階と；
前記開始装置によって、前記測定タスクのための測定要求を端末装置に送る段階であって、前記測定要求は前記測定タスクの優先度を含む、段階とを含む、
測定方法。
【請求項１４】
測定方法であって：
測定タスクのための測定要求を端末装置に送った後、開始装置によって、前記端末装置によって送信された優先度要求を受信する段階と；
前記開始装置によって、前記測定タスクの優先度を決定し、前記測定タスクの優先度を担持する優先度応答を前記端末装置に送る段階とを含む、
測定方法。
【請求項１５】
測定方法であって：
開始装置によって、測定タスクのための測定要求を端末装置に送信する段階と；
前記開始装置によって、前記端末装置によって送信された第一の測定レポート受信指示を受信する段階であって、前記第一の測定レポート受信指示は、前記端末装置が前記測定タスクの実行をスキップすることを前記開始装置に通知するために使用される、段階；または
前記開始装置によって、前記端末装置によって送信された第二の測定レポート受信指示を受信し、前記第二の測定レポート受信指示に従って、前記測定タスクの測定レポートを受信するための指定された時間を延長することを決定する段階であって、前記第二の測定レポート受信指示は、前記測定タスクの測定レポートを受信するための前記時間を延長するよう前記開始装置に命令するために使用される、段階とを含む、
方法。
【請求項１６】
前記第二の測定レポート受信指示はさらに継続時間を含み；
前記開始装置によって、前記第二の測定レポート受信指示に従って、前記測定タスクの測定レポートを受信するための指定された時間を延長することを決定することが：
前記開始装置によって、前記測定タスクの測定レポートを受信するための指定された時間を前記継続時間だけ延長することを決定することを含む、
請求項１５記載の方法。
【請求項１７】
測定方法であって：
開始装置によって、第三の測定タスクのための測定要求を端末装置に送信する段階と；
前記端末装置、第四の測定タスクを開始する装置、または、前記端末装置にサービスする基地局によって送信された衝突メッセージを受信する段階であって、前記衝突メッセージは、前記端末装置が前記第四の測定タスクのための測定要求を受信したことを示すために使用される、段階と；
前記開始装置によって、第一のターゲット測定タスクを決定する段階であって、前記第一のターゲット測定タスクは、前記第三の測定タスクおよび前記第四の測定タスクのいずれかである、段階と：
前記開始装置によって、測定構成メッセージを、前記端末装置、前記第四の測定タスクを開始する装置、または前記基地局に送信する段階であって、前記測定構成メッセージは、前記端末装置に前記第一のターゲット測定タスクを優先的に実行するよう命令するために使用される、段階とを含む、
方法。
【請求項１８】
前記開始装置によって、第一のターゲット測定タスクを決定することは：
前記開始装置によって、前記第三の測定タスクの優先度および前記第四の測定タスクの優先度を決定し；
前記第三の測定タスクの優先度および前記第四の測定タスクの優先度に基づいて、優先度がより高い測定タスクを前記第一のターゲット測定タスクとして決定することを含む、
請求項１７記載の方法。
【請求項１９】
前記開始装置によって、前記第三の測定タスクの優先度を決定することが：
前記開始装置によって、前記第三の測定タスクの格納された優先度を判別すること；または
前記衝突メッセージに含まれる、前記第三の測定タスクの優先度を判別することを含み、
前記開始装置によって、前記第四の測定タスクの優先度を決定することが：
前記開始装置によって、前記第四の測定タスクの格納された優先度を判別すること；または
前記開始装置によって、前記衝突メッセージに含まれる、前記第四の測定タスクの優先度を決定することを含む、
請求項１８記載の方法。
【請求項２０】
前記第一のターゲット測定タスクが前記第三の測定タスクである場合、当該方法はさらに：
前記開始装置によって、前記第三の測定タスクの測定レポートを受信するための指定された時間において前記第三の測定タスクの測定レポートを受信することを含む；または
前記第一のターゲット測定タスクが前記第四の測定タスクである場合、当該方法はさらに：
前記開始装置によって、前記第三の測定タスクの測定レポートの受信をスキップすること；もしくは
前記開始装置によって、前記第三の測定タスクの測定レポートを受信するための指定された時間を延長することを含む、
請求項１７ないし１９のうちいずれか一項記載の方法。
【請求項２１】
前記開始装置によって、測定構成メッセージを前記端末装置、前記第四の測定タスクを開始する装置、または前記基地局に送信した後、当該方法はさらに：
前記端末装置によって送信された第一の測定レポート受信指示を前記開始装置によって受信する段階であって、前記第一の測定レポート受信指示は、前記端末装置が前記第三の測定タスクの実行をスキップすることを前記開始装置に通知するために使用される、段階；または
前記端末装置によって送信された第二の測定レポート受信指示を前記開始装置によって受信し、前記第二の測定レポート受信指示に従って、前記第三の測定タスクの測定レポートを受信するための指定された時間を延長することを決定する段階であって、前記第二の測定レポート受信指示は、前記第三の測定タスクの測定レポートを受信するための時間を延長するよう前記開始装置に命令するために使用される、段階を含む、
請求項１７ないし１９のうちいずれか一項記載の方法。
【請求項２２】
前記第二の測定レポート受信指示はさらに継続時間を含み；
前記開始装置によって、前記第二の測定レポート受信指示に従って、前記第三の測定タスクの測定レポートを受信するための指定された時間を延長することを決定することは：
前記開始装置によって、前記第三の測定タスクの測定レポートを受信するための前記指定された時間を、前記継続時間だけ延長することを決定することを含む、
請求項２１記載の方法。
【請求項２３】
測定方法であって：
前記端末装置によって送信された衝突メッセージを基地局によって受信する段階であって、前記第三の衝突メッセージは、前記端末装置が第一の測定タスクのための第一の測定要求および第二の測定タスクのための第二の測定要求を受信したことを示すために使用される、段階と；
前記基地局によって、第一のターゲット測定タスクを決定する段階であって、前記第一のターゲット測定タスクは、前記第一の測定タスクおよび前記第二の測定タスクのいずれかである、段階と；
前記基地局によって、測定構成メッセージを前記端末装置に送信する段階であって、前記測定構成メッセージは、前記端末装置に、前記第一のターゲット測定タスクを優先的に実行するよう命令するために使用される、段階とを含む、
方法。
【請求項２４】
前記基地局によって、第一のターゲット測定タスクを決定する前記段階は：
前記基地局によって、前記第一の測定タスクの優先度および前記第二の測定タスクの優先度を決定し；
前記基地局によって、前記第一の測定タスクの優先度および前記第二の測定タスクの優先度に基づいて、優先度がより高い測定タスクを前記第一のターゲット測定タスクとして決定することを含む、
請求項２３記載の方法。
【請求項２５】
前記基地局によって、前記第一の測定タスクの優先度および前記第二の測定タスクの優先度を決定することが：
前記基地局によって、前記第一の測定タスクの格納された優先度および前記第二の測定タスクの格納された優先度を判別すること；または
前記基地局によって、前記衝突メッセージに含まれる前記第一の測定タスクの優先度および前記第二の測定タスクの優先度を判別することを含む、
請求項２４記載の方法。
【請求項２６】
プログラム命令を記憶するよう構成されたメモリと；
データを受信および送信するよう構成されたトランシーバと；
プロセッサとを有する端末装置であって、前記プロセッサは前記メモリに記憶された前記プログラム命令を呼び出し；前記トランシーバが、第一の測定タスクを開始する装置によって送信された第一の測定要求を受信した後、前記第一の測定タスクが終わっていないときに、前記トランシーバが第二の測定タスクを開始する装置によって送信された第二の測定要求を受信したことを判別する、または、前記トランシーバが前記第一の測定要求および前記第二の測定要求を同時に受信したことを判別し；第一のターゲット測定タスクを優先的に実行するよう構成されており；
前記プロセッサが第一のターゲット測定タスクを優先的に実行することは：
前記第一のターゲット測定タスクを優先的に実行することを含み、これは：
前記第一のターゲット測定タスクを実行し、第二のターゲット測定タスクの実行をスキップすること；または
前記第一のターゲット測定タスクを実行し、次いで、前記第一のターゲット測定タスクが終わった後に前記第二のターゲット測定タスクを実行すること；または
前記第一のターゲット測定タスクの指定された実行時間において前記第一のターゲット測定タスクを実行し、前記第二のターゲット測定タスクの指定された実行時間を延長することを決定し、前記第二のターゲット測定タスクの実行時間が延長された後に得られる時間において前記第二のターゲット測定タスクを実行すること；または
前記第一のターゲット測定タスクの実行時間が第一の継続時間だけ延長された後に得られる時間において前記第一のターゲット測定タスクを実行し、前記第二のターゲット測定タスクの実行時間が第二の継続時間だけ延長された後に得られる時間において前記第二のターゲット測定タスクを実行することであって、前記第二の継続時間は前記第一の継続時間より長い、こと；または
前記第一のターゲット測定タスクに割り当てられた資源を使って前記第一のターゲット測定タスクを実行し、前記第二のターゲット測定タスクに割り当てられた資源を使って前記第二のターゲット測定タスクを実行することであって、前記第一のターゲット測定タスクに割り当てられた資源は、前記第二のターゲット測定タスクに割り当てられた資源よりも大きく、資源は、計算資源、記憶資源、通信資源、および測定ギャップのうちの少なくとも一つを含む、ことを含み、
前記第一のターゲット測定タスクは、前記第一の測定タスクおよび前記第二の測定タスクのいずれかであり、前記第二のターゲット測定タスクは、前記第一の測定タスクおよび前記第二の測定タスクのうち、前記第一のターゲット測定タスクとは異なる他方である、
端末装置。
【請求項２７】
前記プロセッサがさらに：
前記第一のターゲット測定タスクを優先的に実行する前に、前記第一のターゲット測定タスクを決定するよう構成され、前記第一のターゲット測定タスクを決定することは：
前記第一の測定要求が受信された時刻が、前記第二の測定要求が受信された時刻より早いことを判別する場合、前記第一の測定タスクを前記第一のターゲット測定タスクとして決定すること；または
前記第二の測定要求が受信された時刻が、前記第一の測定要求が受信された時刻より遅いことを判別する場合、前記第二の測定タスクを前記第一のターゲット測定タスクとして決定すること；または
前記第一の測定タスクの優先度および前記第二の測定タスクの優先度を決定し、前記第一の測定タスクの優先度および前記第二の測定タスクの優先度に基づいて、優先度がより高い測定タスクを前記第一のターゲット測定タスクとして決定すること；または
前記トランシーバを使って、前記第一の測定タスクを開始する装置に、第一の衝突メッセージであって、該第一の衝突メッセージは、前記端末装置が前記第二の測定要求を受信したことを示すために使用される、第一の衝突メッセージを送信し；前記トランシーバを使って、前記第一の測定タスクを開始する装置によって返される第一の測定構成メッセージであって、該第一の測定構成メッセージは、前記端末装置に、前記第一のターゲット測定タスクを優先的に実行するよう命令するために使用される、第一の測定構成メッセージを受信し；前記第一の測定構成メッセージに基づいて前記第一のターゲット測定タスクを決定すること；または
前記トランシーバを使って、前記第二の測定タスクを開始する装置に、第二の衝突メッセージであって、該第二の衝突メッセージは、前記端末装置が前記第一の測定要求を受信したことを示すために使用される、第二の衝突メッセージを送信し；前記トランシーバを使って、前記第二の測定タスクを開始する装置によって返される第二の測定構成メッセージであって、該第二の測定構成メッセージは、前記端末装置に、前記第一のターゲット測定タスクを優先的に実行するよう命令するために使用される、第二の測定構成メッセージを受信し；前記第二の測定構成メッセージに基づいて前記第一のターゲット測定タスクを決定すること；または
前記トランシーバを使って、前記端末装置にサービスする基地局に、第三の衝突メッセージであって、該第三の衝突メッセージは、前記端末装置が前記第一の測定要求および前記第二の測定要求を受信したことを示すために使用される、第三の衝突メッセージを送信し；前記トランシーバを使って、前記基地局によって返される第三の測定構成メッセージであって、該第三の測定構成メッセージは、前記端末装置に、前記第一のターゲット測定タスクを優先的に実行するよう命令するために使用される、第三の測定構成メッセージを受信し；前記第三の測定構成メッセージに基づいて、前記第一のターゲット測定タスクを決定することを含む、
請求項２６記載の端末装置。
【請求項２８】
前記第一の衝突メッセージがさらに、前記第二の測定タスクの優先度、または前記第二の測定タスクの優先度および前記第一の測定タスクの優先度を含む；または
前記第二の衝突メッセージがさらに、前記第一の測定タスクの優先度、または前記第一の測定タスクの優先度および前記第二の測定タスクの優先度を含む；または
前記第三の衝突メッセージがさらに、前記第一の測定タスクの優先度および前記第二の測定タスクの優先度を含む、
請求項２７記載の端末装置。
【請求項２９】
前記第一の測定タスクの優先度を決定するとき、前記プロセッサは、具体的には：
前記第一の測定要求に含まれる、前記第一の測定タスクの優先度を判別する；もしくは
前記トランシーバを使って、前記第一の測定タスクを開始する装置に優先度要求を送信し、前記第一の測定タスクを開始する装置によって返される、前記第一の測定タスクの優先度を担持する優先度応答を受信する、
よう構成される；または
前記第二の測定タスクの優先度を決定するとき、前記プロセッサは、具体的には：
前記第二の測定要求に含まれる、前記第二の測定タスクの優先度を判別する；もしくは
前記トランシーバを使って、前記第二の測定タスクを開始する装置に優先度要求を送信し、前記第二の測定タスクを開始する装置によって返される、前記第二の測定タスクの優先度を担持する優先度応答を受信する、
よう構成される、
請求項２７記載の端末装置。
【請求項３０】
前記第一のターゲット測定タスクを実行するとき、前記プロセッサは、具体的には：
第一の測定ギャップにおいて前記第一のターゲット測定タスクを実行するよう構成される、
請求項２６ないし２９のうちいずれか一項記載の端末装置。
【請求項３１】
前記第一の測定ギャップは、前記第一の測定タスクを開始する装置、または当該端末装置にサービスする基地局によって、当該端末装置のために、前記第一の測定タスクについて、構成される、
請求項３０記載の端末装置。
【請求項３２】
前記第一のターゲット測定タスクが前記第二の測定タスクである場合、前記プロセッサは、さらに：
前記第一の測定ギャップにおいて前記第一のターゲット測定タスクを実行する前に、前記トランシーバを使って前記第二の測定タスクのために、第一の測定ギャップ構成要求を、前記第二の測定タスクを開始する装置または当該端末装置にサービスする基地局に送信し；
前記トランシーバを使って、前記第二の測定タスクを開始する装置または前記基地局によって送信された第一の測定ギャップ構成情報を受信し；
前記第一の測定ギャップ構成情報に基づいて、前記第一の測定ギャップを決定するよう構成される、
請求項３０記載の端末装置。
【請求項３３】
前記プロセッサが前記第二のターゲット測定タスクを実行することは：
前記第一の測定ギャップにおいて前記第二のターゲット測定タスクを実行すること；または
第二の測定ギャップにおいて前記第二のターゲット測定タスクを実行することを含み、前記第二の測定ギャップは前記第一の測定ギャップとは異なる、
請求項３０ないし３２のうちいずれか一項記載の端末装置。
【請求項３４】
前記プロセッサは、さらに：
前記第二の測定ギャップにおいて前記第二のターゲット測定タスクを実行する前に、前記トランシーバを使って、前記第二のターゲット測定タスクのために、第二の測定ギャップ構成要求を、前記第二のターゲット測定タスクを開始する装置または当該端末装置にサービスする基地局に送信し；
前記トランシーバを使って、前記第二の測定タスクを開始する装置または前記基地局によって送信された第二の測定ギャップ構成情報を受信し；
前記第二の測定ギャップ構成情報に基づいて、前記第二の測定ギャップを決定するよう構成される、
請求項３３記載の端末装置。
【請求項３５】
前記プロセッサが、前記第一のターゲット測定タスクを実行し、前記第二のターゲット測定タスクの実行をスキップする場合、前記プロセッサはさらに：
前記トランシーバを使って、第一の測定レポート受信指示を前記第二のターゲット測定タスクを開始する装置に送信するよう構成され、前記第一の測定レポート受信指示は、前記第二のターゲット測定タスクを開始する装置に、当該端末装置が、前記第二のターゲット測定タスクの実行をスキップすることを通知するために使われる；または
前記プロセッサが、前記第一のターゲット測定タスクを実行し、前記第一のターゲット測定タスクが終わった後で前記第二のターゲット測定タスクを実行する場合、または、前記プロセッサが、前記第一のターゲット測定タスクの指定された実行時間において前記第一のターゲット測定タスクを実行し、前記第二のターゲット測定タスクの指定された実行時間を延長することを決定し、前記第二のターゲット測定タスクの実行時間が延長された後に得られる時間において前記第二のターゲット測定タスクを実行する場合、前記プロセッサはさらに：
前記トランシーバを使って、前記第二のターゲット測定タスクを開始する装置に第二の測定レポート受信指示を送信するよう構成され、前記第二の測定レポート受信指示は、前記第二のターゲット測定タスクを開始する装置に、前記第二のターゲット測定タスクの測定レポートを受信するための時間を延長するよう命令するために使用される；または
前記プロセッサが、前記第一のターゲット測定タスクの実行時間が前記第一の継続時間だけ延長された後に得られる時間において前記第一のターゲット測定タスクを実行し、前記第二のターゲット測定タスクの実行時間が前記第二の継続時間だけ延長された後に得られる時間において前記第二のターゲット測定タスクを実行する場合、前記プロセッサはさらに：
前記トランシーバを使って、前記第一のターゲット測定タスクを開始する装置に第三の測定レポート受信指示を送信し、前記第二のターゲット測定タスクを開始する装置に該第三の測定レポート受信指示を送信するよう構成され、前記第三の測定レポート受信指示は、前記第一のターゲット測定タスクを開始する装置に、前記第一のターゲット測定タスクの測定レポートを受信するための時間を延長するよう命令するために使用され、前記第四の測定レポート受信指示は、前記第二のターゲット測定タスクを開始する装置に、前記第二のターゲット測定タスクの測定レポートを受信するための時間を延長するよう命令するために使用される、
請求項２６ないし３４のうちいずれか一項記載の端末装置。
【請求項３６】
前記第三の測定レポート受信指示はさらに前記第一の継続時間を含む、および／または前記第四の測定レポート受信指示はさらに前記第二の継続時間を含む、
請求項３５記載の端末装置。
【請求項３７】
前記第一の測定タスクおよび前記第二の測定タスクは、それぞれ、位置決め測定タスクおよび非位置決め測定タスクのいずれかである、請求項２６ないし３６のうちいずれか一項記載の端末装置。
【請求項３８】
プログラム命令を記憶するよう構成されたメモリと；
データを受信および送信するよう構成された通信モジュールと；
プロセッサとを有する開始装置であって、
前記プロセッサは、前記メモリに記憶された前記プログラム命令を呼び出して以下の動作、すなわち：
測定タスクの優先度を決定する段階と；
前記通信モジュールを使って、前記測定タスクのための測定要求を端末装置に送信する段階とを実行するよう構成されており、前記測定要求が前記測定タスクの前記優先度を含む、
開始装置。
【請求項３９】
プログラム命令を記憶するよう構成されたメモリと；
データを受信および送信するよう構成された通信モジュールと；
プロセッサとを有する開始装置であって、
前記プロセッサは、前記メモリに記憶された前記プログラム命令を呼び出して以下の動作、すなわち：
前記通信モジュールを使って、測定タスクのための測定要求を端末装置に送信した後、前記通信モジュールを使って、前記端末装置によって送信された優先度要求を受信する段階と；
前記測定タスクの優先度を決定し、前記通信モジュールを使って前記測定タスクの前記優先度を担持する優先度応答を前記端末装置に送信する段階とを実行するよう構成されている、
開始装置。
【請求項４０】
プログラム命令を記憶するよう構成されたメモリと；
データを受信および送信するよう構成された通信モジュールと；
プロセッサとを有する開始装置であって、
前記プロセッサは、前記メモリに記憶された前記プログラム命令を呼び出して以下の動作、すなわち：
前記通信モジュールを使って、測定タスクのための測定要求を端末装置に送信する段階と；
前記通信モジュールを使って、前記端末装置によって送信された第一の測定レポート受信指示を受信する段階であって、前記第一の測定レポート受信指示は、前記端末装置が前記測定タスクの実行をスキップすることを当該開始装置に通知するために使用される、段階；または
前記通信モジュールを使って、前記端末装置によって送信された第二の測定レポート受信指示を受信し、前記第二の測定レポート受信指示に従って、前記測定タスクの測定レポートを受信するための指定された時間を延長することを決定する段階であって、前記第二の測定レポート受信指示は、当該開始装置に、前記測定タスクの測定レポートを受信するための時間を延長するよう命令するために使用される、段階とを実行するよう構成されている、
開始装置。
【請求項４１】
前記第二の測定レポート受信指示は継続時間をさらに含み；
前記第二の測定レポート受信指示に従って、前記測定タスクの測定レポートを受信するための指定された時間を延長することを決定するとき、前記プロセッサは、具体的には：
前記測定タスクの測定レポートを受信するための指定された時間を前記継続時間だけ延長することを決定する、
よう構成される、請求項４０記載の開始装置。
【請求項４２】
プログラム命令を記憶するよう構成されたメモリと；
データを受信および送信するよう構成された通信モジュールと；
プロセッサとを有する開始装置であって、
前記プロセッサは、前記メモリに記憶された前記プログラム命令を呼び出して以下の動作、すなわち：
前記通信モジュールを使って、第三の測定タスクのための測定要求を端末装置に送信する段階と；
前記通信モジュールを使って、前記端末装置、第四の測定タスクを開始する装置、または、前記端末装置にサービスする基地局によって送信された衝突メッセージを受信する段階であって、前記衝突メッセージは、前記端末装置が前記第四の測定タスクのための測定要求を受信したことを示すために使用される、段階と；
第一のターゲット測定タスクを決定する段階であって、前記第一のターゲット測定タスクは、前記第三の測定タスクおよび前記第四の測定タスクのいずれかである、段階と；
前記通信モジュールを使って、測定構成メッセージを、前記端末装置、前記第四の測定タスクを開始する装置、または前記基地局に送信する段階であって、前記測定構成メッセージは、前記端末装置に前記第一のターゲット測定タスクを優先的に実行するよう命令するために使用される、段階とを実行するよう構成されている、
開始装置。
【請求項４３】
前記第一のターゲット測定タスクを決定するとき、前記プロセッサは、具体的には：
前記第三の測定タスクの優先度および前記第四の測定タスクの優先度を決定し；
前記第三の測定タスクの優先度および前記第四の測定タスクの優先度に基づいて、優先度がより高い測定タスクを前記第一のターゲット測定タスクとして決定する、
よう構成される、請求項４２記載の開始装置。
【請求項４４】
前記第三の測定タスクの優先度を決定するとき、前記プロセッサは、具体的には：
前記第三の測定タスクの格納された優先度を判別する；または
前記衝突メッセージに含まれる、前記第三の測定タスクの優先度を判別するよう構成され、
前記第四の測定タスクの優先度を決定するとき、前記プロセッサは、具体的には：
前記第四の測定タスクの格納された優先度を判別する；または
前記衝突メッセージに含まれる、前記第四の測定タスクの優先度を判別するよう構成される、
請求項４３記載の開始装置。
【請求項４５】
前記第一のターゲット測定タスクが前記第三の測定タスクである場合、前記プロセッサは、さらに：
前記通信モジュールを使って、前記第三の測定タスクの測定レポートを受信するための指定された時間において、前記第三の測定タスクの測定レポートを受信するよう構成される；または
前記第一のターゲット測定タスクが前記第四の測定タスクである場合、前記プロセッサは、さらに：
前記第三の測定タスクの測定レポートの受信をスキップする；または
前記第三の測定タスクの測定レポートを受信するための指定された時間を延長することを決定するよう構成される、
請求項４２ないし４４のうちいずれか一項記載の開始装置。
【請求項４６】
前記プロセッサはさらに：
前記測定構成メッセージを前記端末装置、前記第四の測定タスクを開始する装置、または前記基地局に送信した後、前記端末装置によって送信された第一の測定レポート受信指示を前記通信モジュールを使って受信し、前記第一の測定レポート受信指示に従って、前記第三の測定タスクの測定レポートを受信することをスキップするよう構成され、前記第一の測定レポート受信指示は、前記端末装置が前記第三の測定タスクの測定レポートの受信をスキップすることを前記開始装置に通知するために使用される；または
前記測定構成メッセージを前記端末装置、前記第四の測定タスクを開始する装置、または前記基地局に送信した後、前記端末装置によって送信された第二の測定レポート受信指示を前記通信モジュールを使って受信し、前記第二の測定レポート受信指示に従って、前記第三の測定タスクの測定レポートを受信するための指定された時間を延長することを決定するよう構成され、前記第二の測定レポート受信指示は、前記第三の測定タスクの測定レポートを受信するための時間を延長するよう前記開始装置に命令するために使用される、
請求項４２ないし４４のうちいずれか一項記載の開始装置。
【請求項４７】
前記第二の測定レポート受信指示はさらに継続時間を含み；
前記第二の測定レポート受信指示に従って、前記第三の測定タスクの測定レポートを受信するための指定された時間を延長することを決定するとき、前記プロセッサは具体的には：
前記第三の測定タスクの測定レポートを受信するための指定された時間を、前記継続時間だけ延長することを決定よう構成される、
請求項４６記載の開始装置。
【請求項４８】
プログラム命令を記憶するよう構成されたメモリと；
データを受信および送信するよう構成されたトランシーバと；
プロセッサとを有する基地局であって、
前記プロセッサは、前記メモリに記憶された前記プログラム命令を呼び出して以下の動作、すなわち：
前記端末装置によって送信された衝突メッセージを前記トランシーバを使って受信する段階であって、前記第三の衝突メッセージは、前記端末装置が第一の測定タスクのための第一の測定要求および第二の測定タスクのための第二の測定要求を受信したことを示すために使用される、段階と；
第一のターゲット測定タスクを決定する段階であって、前記第一のターゲット測定タスクは、前記第一の測定タスクおよび前記第二の測定タスクのいずれかである、段階と；
前記トランシーバを使って測定構成メッセージを前記端末装置に送信する段階であって、前記測定構成メッセージは、前記端末装置に、前記第一のターゲット測定タスクを優先的に実行するよう命令するために使用される、段階とを実行するよう構成されている、
基地局。
【請求項４９】
前記第一のターゲット測定タスクを決定するとき、前記プロセッサは、具体的には：
前記第一の測定タスクの優先度および前記第二の測定タスクの優先度を決定し；
前記第一の測定タスクの優先度および前記第二の測定タスクの優先度に基づいて、優先度がより高い測定タスクを前記第一のターゲット測定タスクとして決定するよう構成されている、
請求項４８記載の基地局。
【請求項５０】
前記第一の測定タスクの優先度および前記第二の測定タスクの優先度を決定するとき、前記プロセッサは、具体的には：
前記第一の測定タスクの格納された優先度および前記第二の測定タスクの格納された優先度を判別する；または
前記衝突メッセージに含まれる前記第一の測定タスクの優先度および前記第二の測定タスクの優先度を判別するよう構成される、
請求項４９記載の基地局。
【請求項５１】
コンピュータ記憶媒体であって、前記コンピュータ可読記憶媒体はソフトウェア・プログラムを記憶し、前記ソフトウェア・プログラムが一つまたは複数のプロセッサによって読まれ、実行されるとき、請求項１ないし２５のうちいずれか一項記載の方法が実施されることができる、記憶媒体。
【発明の詳細な説明】
【技術分野】
【０００１】
本願は、通信技術の分野に関し、特に、測定方法および装置に関する。
【背景技術】
【０００２】
現在、端末装置は、位置決めに向けられた位置決め測定タスクおよび位置決めに向けられていない非位置決め測定タスクを含む複数の型の測定タスクを実行する必要がある。
【０００３】
端末装置が位置決め測定タスクを実行するプロセスは：位置決め測定タスクを開始する装置（たとえば、位置決めサーバー）によって、位置決め測定タスクのための測定要求を端末装置に送信する段階であって、前記測定要求は、端末装置に位置決め測定タスクを実行するよう命令するために使われる、段階と；測定要求を受信した後、端末装置によって、位置決め測定タスクを実行して測定結果を得て、該測定結果を前記開始する装置に送信する段階とを含む。
【０００４】
端末装置が位置決め測定タスクを実行するプロセスと同様に、端末装置が非位置決め測定タスクを実行するプロセスは：非位置決め測定タスクを開始する装置（たとえば基地局）によって、非位置決め測定タスクのための測定要求を端末装置に送信する段階であって、前記測定要求は、端末装置に非位置決め測定タスクを実行するよう命令するために使われる、段階と；測定要求を受信した後、端末装置によって、非位置決め測定タスクを実行して測定結果を得て、該測定結果を前記開始する装置に送信する段階とを含む。
【０００５】
上記の複数の型の測定タスクが存在することを前提として、端末装置が前記複数の型の測定タスクに同時に直面すると衝突が起こることがあり、これは明らかに測定効率を低下させる。
【発明の概要】
【０００６】
本願の実施形態は、端末装置によって二つの測定タスクを実行するプロセスにおいて衝突が発生し、端末装置の測定効率に影響するという問題を解決するための測定方法および装置を提供する。
【０００７】
第一の側面によれば、本願のある実施形態は、測定方法を提供する。本方法は：
端末装置が、二つの測定タスクを開始する装置によって送信された測定要求を同時にまたは相次いで受信した（たとえば、端末装置が第一の測定タスクを開始する装置によって送信された第一の測定要求を受信した後、端末装置が第一の測定タスクの実行を終了していないときに端末装置が第二の測定タスクを開始する装置によって送信された第二の測定要求を受信する；または端末装置が前記第一の測定要求および前記第二の測定要求を同時に受信する）後、端末装置が上記の場合において前記第一の測定タスクおよび前記第二の測定タスクにおける第一のターゲット測定タスクを優先的に実行することを含む。
【０００８】
本方法によれば、二つの測定タスクを開始する諸装置が、端末装置に二つの対応する測定タスクを実行するよう命令するとき、端末装置は、それら二つの測定タスクを実行するプロセスにおける衝突を回避することができ、それによって、端末装置の測定効率を確保することができる。
【０００９】
ある可能な設計では、端末装置は、以下の態様で第一のターゲット測定タスクを優先的に実行することができる。
【００１０】
態様１：端末装置は、第一のターゲット測定タスクを実行し、第二のターゲット測定タスクの実行を拒否する。
【００１１】
態様２：端末装置は、第一のターゲット測定タスクを実行し、その後、第一のターゲット測定タスクを終了した後で第二のターゲット測定タスクを実行する。
【００１２】
態様３：端末装置は、第一のターゲット測定タスクの指定された実行時間で第一のターゲット測定タスクを実行し、第二のターゲット測定タスクの指定された実行時間を延長し、第二のターゲット測定タスクの実行時間が延長された後に得られる時間で第二のターゲット測定タスクを実行する。ここで、任意の測定タスクの実行時間は、端末装置がその測定タスクを実行し始める時点から、端末装置がその測定タスクの実行を終了する時点までの時間である。
【００１３】
態様４：端末装置は、第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られた時間で第一のターゲット測定タスクを実行し、第二のターゲット測定タスクの実行時間が延長された後に得られた時間で第二のターゲット測定タスクを実行する。ここで、第二の継続時間は第一の継続時間より長い。
【００１４】
態様５：端末装置は、第一のターゲット測定タスクに割り当てられた資源を使って第一のターゲット測定タスクを実行し、第二のターゲット測定タスクに割り当てられた資源を使って第二のターゲット測定タスクを実行する。ここで、第一のターゲット測定タスクに割り当てられた資源は、第二のターゲット測定タスクに割り当てられた資源より大きく、資源は、計算資源、記憶資源、通信資源、および測定ギャップのうちの少なくとも一つを含む。
【００１５】
第二のターゲット測定タスクは、第一の測定タスクおよび第二の測定タスクのうちの、第一のターゲット測定タスクとは異なる他方のタスクである。
【００１６】
上記の態様１では、第一のターゲット測定タスクの達成の品質を保証することができ、二つの測定タスクを実行するプロセスにおける衝突を回避し、それにより端末装置の測定効率を確保する。
【００１７】
上記の態様２では、第一のターゲット測定タスクの達成の品質が確保でき、第二のターゲット測定タスクが達成されることができ、二つの測定タスクを実行するプロセスにおける測定タスクの放棄と衝突を回避し、それにより端末装置の測定効率を確保する。
【００１８】
上記の態様３では、第一のターゲット測定タスクの実行時間内に第一のターゲット測定タスクが終了することが保証でき、それにより第一のターゲット測定タスクの達成の品質を確保する。さらに、第二のターゲット測定タスクの実行時間が延長され、二つの測定タスクを実行するプロセスにおける衝突を避け、それにより端末装置の測定効率を確保する。
【００１９】
上記の態様４では、第一のターゲット測定タスクの実行時間が相対的に短い時間だけ延長されるときに第一のターゲット測定タスクが終了することが保証でき、それにより第一のターゲット測定タスクの達成の品質が保証される。第二のターゲット測定タスクの実行時間は、相対的に長い時間だけ延長され、端末装置による第二のターゲット測定タスクの実行が第一のターゲット測定タスクに過度に影響することを防ぎ、二つの測定タスクを実行するプロセスにおける衝突を回避し、それにより端末装置の測定効率を確保する。
【００２０】
上記の態様５では、端末装置によって第一のターゲット測定タスクに割り当てられる資源は、端末装置によって第二のターゲット測定タスクに割り当てられる資源よりも大きいため、端末装置は、二つの測定タスクを実行するプロセスにおける衝突を回避し、それにより端末装置の測定効率を確保するように、第一のターゲット測定タスクの達成の品質を保証することができる。
【００２１】
ある可能な設計では、端末装置が第一のターゲット測定タスクを優先的に実行する前に、端末装置はさらに、前記第一のターゲット測定タスクを決定することができる。たとえば、端末装置は、以下の態様で第一のターゲット測定タスクを決定することができる。
【００２２】
態様１：端末装置が、第一の測定要求が受信された時刻が第二の測定要求が受信された時刻よりも早いと判断した場合、端末装置は、第一の測定タスクを第一のターゲット測定タスクとして決定する。
【００２３】
態様１：端末装置が、第二の測定要求が受信された時刻が第一の測定要求が受信された時刻よりも遅いと判断した場合、端末装置は、第二の測定タスクを第一のターゲット測定タスクとして決定する。
【００２４】
態様３：端末装置は、第一の測定タスクの優先度および第二の測定タスクの優先度を決定し、第一の測定タスクの優先度および第二の測定タスクの優先度に基づいて、優先度がより高い測定タスクを第一のターゲット測定タスクとして決定する。
【００２５】
態様４：端末装置は、第一の測定タスクを開始した装置に第一の衝突メッセージを送信し、第一の衝突メッセージは、端末装置が第二の測定要求を受信したことを示すために使用され；第一の測定タスクを開始した装置によって返される第一の測定構成メッセージを受信し、第一の測定構成メッセージは、第一のターゲット測定タスクを優先的に実行するように端末装置に命令するために使用され；第一の測定構成メッセージに基づいて第一のターゲット測定タスクを決定する。
【００２６】
態様５：端末装置は、第二の測定タスクを開始した装置に第二の衝突メッセージを送信し、第二の衝突メッセージは、端末装置が第一の測定要求を受信したことを示すために使用され；第二の測定タスクを開始した装置によって返される第二の測定構成メッセージを受信し、第二の測定構成メッセージは、第一のターゲット測定タスクを優先的に実行するように端末装置に命令するために使用され；第二の測定構成メッセージに基づいて第一のターゲット測定タスクを決定する。
【００２７】
態様６：端末装置は、端末装置にサービスする基地局に対して、第三の衝突メッセージを送信し、第三の衝突メッセージは、端末装置が第一の測定要求および第二の測定要求を受信したことを示すために使用され；基地局によって返された第三の測定構成メッセージを受信し、第三の測定構成メッセージは、端末装置に第一のターゲット測定タスクを優先的に実行するよう命令するために使用され；第三の測定構成メッセージに基づいて第一のターゲット測定タスクを決定する。
【００２８】
この設計によれば、端末装置は、複数のポリシーに従って、第一の測定タスクおよび第二の測定タスクから測定タスクを柔軟に選択し、選択された測定タスクを優先的に実行することができ、それにより、二つの測定タスクを実行するプロセスにおける衝突を回避する。
【００２９】
ある可能な設計では、上記の設計の態様４において第一のターゲット測定タスクが決定されるとき、第一の衝突メッセージはさらに：第二の測定タスクの優先度、または第二の測定タスクの優先度および第一の測定タスクの優先度を含む。
【００３０】
第一の衝突メッセージが第二の測定タスクの優先度を含む場合、第一の測定タスクを開始する装置は、第一の衝突メッセージに基づいて、第二の測定タスクの優先度を取得しうる。第一の測定タスクの優先度が別の仕方で決定されると、優先的に実行されるべき測定タスクは、それらの測定タスクの優先度に基づいて決定できる。
【００３１】
第一の衝突メッセージが第二の測定タスクの優先度および第一の測定タスクの優先度を含む場合、第一の測定タスクを開始する装置は、第一の衝突メッセージに基づいて、第一の測定タスクの優先度および第二の測定タスクの優先度を取得することができ、それにより、それらの測定タスクの優先度に基づいて、優先的に実行されるべき測定タスクを決定する。
【００３２】
ある可能な設計では、上記の設計の態様５において第一のターゲット測定タスクが決定されるとき、第二の衝突メッセージは、さらに：第一の測定タスクの優先度、または第一の測定タスクの優先度および第二の測定タスクの優先度を含む。
【００３３】
この設計によれば、第二の測定タスクを開始する装置は、第二の衝突メッセージに基づいて、第一の測定タスクの優先度または二つの測定タスクの優先度を代替的に決定することができ、それにより、それらの測定タスクの優先度に基づいて、優先的に実行されるべき測定タスクを決定する。
【００３４】
ある可能な設計では、上記の設計の態様６において第一のターゲット測定タスクが決定されるとき、第三の衝突メッセージはさらに：第一の測定タスクの優先度および第二の測定タスクの優先度を含む。
【００３５】
この設計によれば、基地局は、二つの測定タスクの優先度を決定することができ、それにより、それらの測定タスクの優先度に基づいて、優先的に実行されるべき測定タスクを決定する。
【００３６】
ある可能な設計では、上記の設計の態様３において第一のターゲット測定タスクが決定されるとき、端末装置は、以下の実装において第一の測定タスクの優先度を決定することができる。
【００３７】
実装１：端末装置は、第一の測定要求に含まれる、第一の測定タスクの優先度を決定する。
【００３８】
実装２：端末装置は、優先度要求を第一の測定タスクを開始した装置に送信し、第一の測定タスクを開始した装置によって返される、第一の測定タスクの優先度を担持する優先度応答を受信する。
【００３９】
実装３：端末装置は、測定タスクと優先度の間の対応に基づいて、第一の測定タスクの優先度を決定してもよい。
【００４０】
この設計によれば、端末装置は第一の測定タスクの優先度を正確に決定することができる。
【００４１】
ある可能な設計では、上記の設計の態様３において第一のターゲット測定タスクが決定されるとき、端末装置は、以下の実装において第二の測定タスクの優先度を決定することができる。
【００４２】
実装１：端末装置は、第二の測定要求に含まれる、第二の測定タスクの優先度を決定する。
【００４３】
実装２：端末装置は、優先度要求を第二の測定タスクを開始した装置に送信し、第二の測定タスクを開始した装置から返される、第二の測定タスクの優先度を担持する優先度応答を受信する。
【００４４】
実装３：端末装置は、測定タスクと優先度の間の対応に基づいて、第二の測定タスクの優先度を決定してもよい。
【００４５】
この設計によれば、端末装置は、第二の測定タスクの優先度を正確に決定することができる。
【００４６】
ある可能な設計では、端末装置によって、第一のターゲット測定タスクを実行することは：
端末装置によって、第一の測定ギャップ内で第一のターゲット測定タスクを実行することを含む。
【００４７】
この設計によれば、測定ギャップ内で実行される必要のある第一のターゲット測定タスクが成功裏に完了できることを確実にすることができる。
【００４８】
ある可能な設計では、上記の設計における第一の測定ギャップは、第一の測定タスクを開始する装置によって、または端末装置にサービスする基地局によって端末装置のために、第一の測定タスクについて、構成される。
【００４９】
この設計によれば、第一のターゲット測定タスクを実行するとき、端末装置は、第一の測定タスクにあらかじめ割り当てられたギャップを使って続けてもよい。
【００５０】
ある可能な設計では、第一のターゲット測定タスクが第二の測定タスクである場合、端末装置が第一の測定ギャップ内で第一のターゲット測定タスクを実行する前に、端末装置は、以下のステップで第二の測定タスクのための測定ギャップを構成する：
まず、第二の測定タスクについて、第一の測定ギャップ構成要求を、第二の測定タスクを開始する装置または端末装置にサービスする基地局に送信し；次いで、第二の測定タスクを開始する装置または基地局によって送信された第一の測定ギャップ構成情報を受信し；最後に、第一の測定ギャップ構成情報に基づいて第一の測定ギャップを決定する。
【００５１】
この設計によれば、端末装置は、第二の測定タスクを開始する装置または基地局に対して、第二の測定タスクのための測定ギャップを構成するよう要求することができる。
【００５２】
ある可能な設計では、端末装置は、以下の実装において第二のターゲット測定タスクを実行することができる。
【００５３】
実装１：端末装置は、前記第一の測定ギャップ内に第二のターゲット測定タスクを実行する。
【００５４】
実装２：端末装置は、第二の測定ギャップにおいて第二のターゲット測定タスクを実行する。ここで、第二の測定ギャップは、第一の測定ギャップとは異なる。
【００５５】
この設計によれば、測定ギャップ内で実行される必要のある第二のターゲット測定タスクが成功裏に完了できることを確実にすることができる。
【００５６】
ある可能な設計では、端末装置が第二の測定ギャップ内で第二のターゲット測定タスクを実行する前に、端末装置は第二のターゲット測定タスクのための測定ギャップを以下のステップで構成する：
第二のターゲット測定タスクについて、第二のターゲット測定タスクを開始する装置または端末装置にサービスする基地局に第二の測定ギャップ構成要求を送信し；次いで、第二の測定タスクを開始する装置または基地局によって送信された第二の測定ギャップ構成情報を受信し；最後に、第二の測定ギャップ構成情報に基づいて第二の測定ギャップを決定する。
【００５７】
この設計によれば、端末装置は、第二のターゲット測定タスクを開始する装置または基地局に対して、第二のターゲット測定タスクのための測定ギャップを構成するよう要求することができる。
【００５８】
ある可能な設計では、端末装置が態様１において第一のターゲット測定タスクを優先的に実行するとき、端末装置はさらに、第一の測定レポート受信指示を、第二のターゲット測定タスクを開始する装置に送信してもよく、ここで、第一の測定レポート受信指示は、第二のターゲット測定タスクを開始する装置に、第二のターゲット測定タスクの測定レポートの受信をスキップするよう命令するために使用される。
【００５９】
この設計によれば、端末装置は、第二のターゲット測定タスクを開始する装置に対して、第二のターゲット測定タスクの実行が禁止されていることを通知することができる。該開始する装置は、第一の測定レポート受信指示に従って、第二のターゲット測定タスクの測定レポートを受信することをスキップする。また、測定レポートを受信するための待機および測定レポートの受信において前記開始する装置によって消費される電力を低減することができる。
【００６０】
ある可能な設計では、端末装置が態様２または態様３において第一のターゲット測定タスクを優先的に実行するとき、端末装置はさらに、第二のターゲット測定タスクを開始する装置に第二の測定レポート受信指示を送信してもよく、ここで、第二の測定レポート受信指示は、第二のターゲット測定タスクを開始する装置に、第二のターゲット測定タスクの測定レポートを受信するための時間を延長するように命令するために使用される。
【００６１】
この設計によれば、端末装置は、第二のターゲット測定タスクを開始する装置に対して、第二のターゲット測定タスクの実行が延長されることを通知することができる。前記開始する装置は、第二の測定レポート受信指示に従って、第二のターゲット測定タスクの測定レポートを受信するための時間を延長する。また、測定レポートを受信するための待機において前記開始する装置によって消費される電力を低減することができる。
【００６２】
ある可能な設計では、端末装置が態様４において第一のターゲット測定タスクを優先的に実行するとき、端末装置はさらに、第三の測定レポート受信指示を第一のターゲット測定タスクを開始する装置に送信し、該第三の測定レポート受信指示を第二のターゲット測定タスクを開始する装置に送信することができる。ここで、第三の測定レポート受信指示は、第一のターゲット測定タスクを開始する装置に対して、第一のターゲット測定タスクの測定レポートを受信するための時間を延長するよう命令するために使用され、第四の測定レポート受信指示は、第二のターゲット測定タスクを開始する装置に対して、第二のターゲット測定タスクの測定レポートを受信するための時間を延長するよう命令するために使用される。
【００６３】
この設計によれば、端末装置は、二つの測定タスクを開始する装置に対して、開始された各測定タスクの実行が延長されることを通知することができる。開始する装置のそれぞれは、受信された測定レポート受信指示に従って、対応して開始された測定タスクの測定レポートを受信するための時間を延長する。また、測定レポートを受信するための待機において前記開始する装置によって消費される電力を低減することができる。
【００６４】
ある可能な設計では、第三の測定レポート受信指示がさらに第一の継続時間を含む、および／または第四の測定レポート受信指示がさらに第二の継続時間を含む。
【００６５】
この設計によれば、測定タスクを開始する装置は、受信した測定レポート受信指示に従って、測定レポートを受信するための時間が具体的にどれだけ延長される必要があるかを知ることができる。それにより、測定レポートを受信するのを待つ際に、前記開始する装置によって消費される電力を低減することができる。
【００６６】
ある可能な設計では、第一の測定タスクおよび第二の測定タスクは、それぞれ、位置決め測定タスクおよび非位置決め測定タスクのいずれかである。
【００６７】
第二の側面によれば、本願のある実施形態は測定方法をさらに提供する。本方法は：
開始装置によって測定タスクの優先度を決定し、前記開始装置によって前記測定タスクのための測定要求を端末装置に送信することを含み、ここで、測定要求は測定タスクの優先度を含む。
【００６８】
この方法によれば、開始装置は、測定要求に測定タスクの優先度を加え、次いで、測定要求を端末装置に送信する。このようにして、端末装置は、測定要求に基づいて測定タスクの優先度を決定することができ、それにより、測定タスクの優先度に基づいて、優先的に実行されるべき測定タスクを決定する。
【００６９】
第三の側面によれば、本願のある実施形態は測定方法をさらに提供する。本方法は：
測定タスクのための測定要求を端末装置に送信した後、端末装置によって送られた優先度要求を開始装置によって受信し；測定タスクの優先度を決定した後、測定タスクの優先度を担持する優先度応答を、開始装置によって端末装置に送信する、ことを含む。
【００７０】
この方法によれば、端末装置が、開始装置によって開始される測定タスクの優先度を開始装置に要求するとき、開始装置は、その測定タスクの優先度を端末装置に送信する。このようにして、端末装置は、測定タスクの優先度に基づいて、優先的に実行されるべき測定タスクを決定することができる。
【００７１】
第四の側面によれば、本願のある実施形態は測定方法をさらに提供する。本方法は：
測定タスクのための測定要求を開始装置によって端末装置に送信し；端末装置によって送信された第一の測定レポート受信指示を受信した後、第一の測定レポート受信指示に従って、測定タスクの測定レポートを受信することを開始装置によってスキップし；端末装置によって送信された第二の測定レポート受信指示を受信した後、第二の測定レポート受信指示に従って、測定タスクの測定レポートを受信するための指定された時間を開始装置によって延長し、ここで、第一の測定レポート受信指示は、測定タスクの測定レポートを受信することをスキップするよう開始装置に命令するために使用され、第二の測定レポート受信指示は、測定タスクの測定レポートを受信するための前記時間を延長するよう開始装置に命令するために使用される。
【００７２】
この方法によれば、開始装置は、第一の測定レポート受信指示に従って、端末装置が測定タスクを実行することを拒否したこと、および、測定タスクの測定レポートの受信が禁止されていることを知ることができ、測定レポートを受信するための待機の時間および測定レポートを受信する時間を短縮することができる。開始装置はさらに、第二の測定レポート受信指示に従って、端末装置が、測定タスクの実行時間、すなわち測定タスクの測定レポートを報告する時間を延長したことを知ることができる。したがって、開始装置は、それに応じて、測定タスクの測定レポートを受信するために指定された時間を延長し、測定レポートを受信するために待機する時間を短縮することができる。
【００７３】
ある可能な設計では、第二の測定レポート受信指示はさらに、継続時間を含む。この場合、開始装置は、次のステップにおいて、第二の測定レポート受信指示に従って、測定タスクの測定レポートを受信するための指定された時間をさらに延長することができる：
開始装置によって、測定タスクの測定レポートを受信するための指定された時間を前記継続時間だけ延長する。
【００７４】
この設計によれば、開始装置は、測定レポートを受信するための時間を延長すべき特定の継続時間を決定することができ、それにより、測定レポートを受信するために待機することにおいて開始装置によって消費される電力を低減する。
【００７５】
第五の側面によれば、本願のある実施形態は測定方法をさらに提供する。本方法は：
第三の測定タスクのための測定要求を開始装置によって端末装置に送信し；端末装置、第四の測定タスクを開始する装置、または端末装置にサービスする基地局によって送信された衝突メッセージを受信した後、開始装置によって第一の測定タスクを決定し、測定構成メッセージを端末装置、第四の測定タスクを開始する装置、または基地局に送信することを含む。ここで、測定構成メッセージは、端末装置に第一のターゲット測定タスクを優先的に実行するよう命令するために使用され、衝突メッセージは、端末装置が第四の測定タスクのための測定要求を受信したことを示すために使用され、第一のターゲット測定タスクは、第三の測定タスクおよび第四の測定タスクのいずれかである。
【００７６】
この方法によれば、開始装置は、第一のターゲット測定タスクを優先的に実行するように端末装置に命令することができる。よって、端末装置は、二つの測定タスクのいずれかを優先的に実行することができ、それにより測定タスクの達成の品質を保証する。このように、二つの測定タスクを開始する装置が、端末装置に、対応する二つの測定タスクを実行するよう命令するとき、端末装置は、二つの測定タスクを実行するプロセスにおける衝突を回避することができ、それにより、端末装置の測定効率を確保することができる。
【００７７】
ある可能な設計では、開始装置は、以下のステップで第一のターゲット測定タスクを決定する：
開始装置によって、第三の測定タスクの優先度および第四の測定タスクの優先度を決定し；次いで、開始装置によって、第三の測定タスクの優先度および第四の測定タスクの優先度に基づいて、優先度がより高い測定タスクを、第一のターゲット測定タスクとして決定する。
【００７８】
この設計によれば、開始装置は、第三の測定タスクおよび第四の測定タスクのうちから優先度がより高い測定タスクを選択して、選択された測定タスクを優先的に実行することができ、それにより、二つの測定タスクを実行するプロセスにおける衝突を回避することができる。
【００７９】
ある可能な設計では、開始装置は、以下の実装における第三の測定タスクの優先度を決定することができる。
【００８０】
実装１：開始装置は、第三の測定タスクの格納された優先度を判別する。
【００８１】
実装２：開始装置は、衝突メッセージに含まれる第三の測定タスクの優先度を判別する。
【００８２】
この設計によれば、開始装置は、第三の測定タスクの優先度を正確に決定することができる。
【００８３】
ある可能な設計では、開始装置は、以下の実装における第四の測定タスクの優先度を決定することができる。
【００８４】
実装１：開始装置は、第四の測定タスクの格納された優先度を決定する。
【００８５】
実装２：開始装置は、衝突メッセージに含まれる第四の測定タスクの優先度を判別する。
【００８６】
この設計によれば、開始装置は、第四の測定タスクの優先度を正確に決定することができる。
【００８７】
ある可能な設計では、第一のターゲット測定タスクが第三の測定タスクであるとき、開始装置は、第三の測定タスクの測定レポートを受信するための指定された時間内に、第三の測定タスクの測定レポートを受信する。
【００８８】
この設計によれば、開始装置が優先的に実行されるべき測定タスクが、開始装置によって開始される第三の測定タスクであると判断するとき、開始装置は、もともとの仕方で、第三の測定タスクの測定レポートを、第三の測定タスクの測定レポートを受信するための指定された時間において受信することができる。
【００８９】
ある可能な設計では、第一のターゲット測定タスクが第四の測定タスクである場合、開始装置は、第三の測定タスクの測定レポートの受信をスキップする；または、開始装置は、第三の測定タスクの測定レポートを受信するための指定された時間を延長する。
【００９０】
この設計によれば、優先的に実行されるべき測定タスクが、開始装置によって開始される第三の測定タスクではないと開始装置が判断する場合、開始装置は、能動的に第三の測定タスクの測定レポートの受信をスキップしたり、あるいは第三の測定タスクの測定レポートを受信するための時間を延長したりすることができ、それにより、測定レポートを受信するために待機することまたは測定レポートを受信することにおいて開始装置によって消費される電力を低減させることができる。
【００９１】
ある可能な設計では、開始装置が測定構成メッセージを端末装置、第四の測定タスクを開始する装置、または基地局に送信した後、開始装置が端末装置によって送信された第一の測定レポート受信指示を受信する場合は、開始装置は、第一の測定レポート受信指示に従って、第三の測定タスクの測定レポートの受信をスキップする；または、開始装置が端末装置によって送信された第二の測定レポート受信指示を受信するとき、開始装置は、第二の測定レポート受信指示に従って、第三の測定タスクの測定レポートを受信するための指定された時間を延長する。ここで、第一の測定レポート受信指示は、第三の測定タスクの測定レポートの受信をスキップするよう開始装置に命令するために使用され、第二の測定レポート受信指示は、第三の測定タスクの測定レポートを受信するための時間を延長するよう開始装置に命令するために使用される。
【００９２】
この設計によれば、開始装置は、第三の測定タスクの実行状態を知り、第三の測定タスクの測定レポートを時間内に受信するための時間を調整するか、または測定レポートを受信するのをスキップすることができ、それにより、測定レポートを受信することおよび測定レポートを受信するのを待つことにおいて消費される電力を削減することができる。
【００９３】
ある可能な設計では、第二の測定レポート受信指示がさらに継続時間を含む場合、開始装置は、次のステップで、第二の測定レポート受信指示に従って、第三の測定タスクの測定レポートを受信するための前記指定された時間をさらに延長することができる：
開始装置によって、第三の測定タスクの測定レポートを受信するための前記指定された時間を、前記継続時間だけ延長する。
【００９４】
この設計によれば、開始装置は、測定レポートを受信するための時間を延長するべき特定の継続時間を決定することができ、それにより、測定レポートを受信するために待機する際に開始装置によって消費される電力を低減する。
【００９５】
第六の側面によれば、本願のある実施形態は測定方法をさらに提供する。本方法は：
端末装置にサービスする基地局によって、端末装置によって送信された衝突メッセージを受信する段階であって、前記第三の衝突メッセージは、端末装置が第一の測定タスクのための第一の測定要求および第二の測定タスクのための第二の測定要求を受信したことを示すために使用される、段階と；基地局によって、第一の測定タスクおよび第二の測定タスクのうちから第一のターゲット測定タスクを決定し、第一のターゲット測定タスクを優先的に実行するように端末装置に命令するための測定構成メッセージを端末装置に送信する段階とを含む。
【００９６】
この方法によれば、基地局は、第一のターゲット測定タスクを優先的に実行するように端末装置に命令することができる。よって、端末装置は、二つの測定タスクのいずれかを優先的に実行することができ、それにより測定タスクの達成の品質を保証する。このように、二つの測定タスクを開始する装置が、端末装置に、対応する二つの測定タスクを実行するように命令するとき、端末装置は、二つの測定タスクを実行するプロセスにおいて衝突を回避することができ、それにより、端末装置の測定効率を確保することができる。
【００９７】
ある可能な設計では、基地局は、以下の方法に従って、第一のターゲット測定タスクを決定することができる：
基地局によって、第一の測定タスクの優先度および第二の測定タスクの優先度を決定し；次いで、基地局によって、第一の測定タスクの優先度および第二の測定タスクの優先度に基づいて、優先度がより高い測定タスクを第一のターゲット測定タスクとして決定する。
【００９８】
この設計によれば、開始装置は、第一の測定タスクおよび第二の測定タスクのうちから優先度がより高い測定タスクを選択し、選択された測定タスクを優先的に実行することができ、それにより、二つの測定タスクを実行するプロセスにおける衝突を回避する。
【００９９】
ある可能な設計では、基地局は、以下の実装において、第一の測定タスクの優先度および第二の測定タスクの優先度を決定することができる。
【０１００】
実装１：基地局は、第一の測定タスクの格納された優先度および第二の測定タスクの格納された優先度を判別する。
【０１０１】
実装２：基地局は、衝突メッセージに含まれる第一の測定タスクの優先度および第二の測定タスクの優先度を判別する。
【０１０２】
この設計によれば、基地局は、第一の測定タスクおよび第二の測定タスクの優先度を正確に決定することができる。
【０１０３】
第七の側面によれば、本願の実施形態は、移動通信システムに適用される測定方法をさらに提供する。この方法では、第一の測定タスクを開始する装置によって送信された第一の測定要求を受信した後、端末装置は、測定タスク通知を他の開始装置に送信し、該測定タスク通知は、端末装置が第一の測定要求を受信したことを該他の開始装置に通知するために使用され、該他の開始装置は、移動通信システムにおいて測定タスクを開始できる（すなわち、端末装置に測定要求を送信できる）装置である。このようにして、測定タスク通知を受け取った後は、該他の開始装置はもはや、指定された時間（事前設定された継続時間、または第一の測定タスクの指定された実行時間）においては、端末装置に対して測定要求を送信しない。開始装置は、基地局またはサーバーであってもよい。たとえば、非位置決め測定タスクのために基地局によって送信された測定要求を端末装置が受信した後、端末装置は、測定タスク通知をサーバー（たとえば、位置決めサーバー）に送信し；測定タスク通知を受信した後、サーバーは、非位置決め測定タスクの実行時間内にはもはや測定タスクのための測定要求（たとえば、位置決め測定タスクのための測定要求）を送信しない。
【０１０４】
上記の方法によれば、測定要求を受信後、端末装置は、移動通信システムにおいて測定要求を送信しうる他の開始装置に対して、測定タスク通知を送信し、それにより、該他の開始装置は、指定された時間内にはもはや端末装置に測定要求を送信しなくなる。このようにして、端末装置は、複数の測定タスクの間の衝突を回避することができ、それにより、端末装置の測定効率を確保することができる。
【０１０５】
第八の側面によれば、本願のある実施形態はさらに、端末装置を提供する。端末装置は、上記の方法実施形態における端末装置の振る舞いを実装する機能をもつ。それらの機能は、ハードウェアによって実装されてもよく、または対応するソフトウェアを実行するハードウェアによって実装されてもよい。ハードウェアまたはソフトウェアは、機能に対応する一つまたは複数のモジュールを含む。
【０１０６】
ある可能な設計では、端末装置の構造は、通信ユニットおよび処理ユニットを含む。これらのユニットは、上記の方法実施形態における対応する機能を実行することができる。詳細については、方法実施形態の詳細な説明を参照されたい。ここでは詳細は記載しない。
【０１０７】
ある可能な設計では、端末装置の構造は、トランシーバと、プロセッサと、メモリとを含み、トランシーバは、データを送受信するよう構成され、プロセッサは、上記の方法における対応する機能を実行する際に端末装置をサポートするよう構成され、メモリは、プロセッサに結合され、端末装置のために必要なプログラム命令（またはアプリケーション・プログラムおよびデータを記憶する。
【０１０８】
第九の側面によれば、本願のある実施形態は、開始装置をさらに提供する。開始装置は、上記の方法実施形態における開始装置の振る舞いを実装する機能をもつ。それらの機能は、ハードウェアによって実装されてもよく、または対応するソフトウェアを実行するハードウェアによって実装されてもよい。ハードウェアまたはソフトウェアは、機能に対応する一つまたは複数のモジュールを含む。
【０１０９】
ある可能な設計では、開始装置の構造は、通信ユニットおよび処理ユニットを含む。これらのユニットは、上記の方法実施形態における対応する機能を実行することができる。詳細については、方法実施形態の詳細な説明を参照されたい。ここでは詳細は記載しない。
【０１１０】
ある可能な設計では、端末装置の構造は、通信モジュールと、プロセッサと、メモリとを含み、通信モジュールは、データを送受信するよう構成され、プロセッサは、上記の方法における対応する機能を実行する際に開始装置をサポートするよう構成され、メモリは、プロセッサに結合され、開始装置のために必要なプログラム命令（またはアプリケーション・プログラムおよびデータを記憶する。
【０１１１】
第十の側面によれば、本願のある実施形態は、基地局をさらに提供する。基地局は、上記の方法実施形態における基地局の振る舞いを実装する機能をもつ。それらの機能は、ハードウェアによって実装されてもよく、または対応するソフトウェアを実行するハードウェアによって実装されてもよい。ハードウェアまたはソフトウェアは、機能に対応する一つまたは複数のモジュールを含む。
【０１１２】
ある可能な設計では、基地局の構造は、通信ユニットおよび処理ユニットを含む。これらのユニットは、上記の方法実施形態における対応する機能を実行することができる。詳細については、方法実施形態の詳細な説明を参照されたい。ここでは詳細は記載しない。
【０１１３】
ある可能な設計では、基地局の構造は、トランシーバと、プロセッサと、メモリとを含み、トランシーバは、データを送受信するよう構成され、プロセッサは、上記の方法における対応する機能を実行する際に基地局をサポートするよう構成され、メモリは、プロセッサに結合され、基地局のために必要なプログラム命令（またはアプリケーション・プログラムおよびデータを記憶する。
【０１１４】
第十一の側面によれば、本願のある実施形態は、コンピュータ記憶媒体をさらに提供する。前記記憶媒体は、ソフトウェア・プログラムを記憶し、前記ソフトウェア・プログラムが一つまたは複数のプロセッサによって読み出され実行されると、前記第一ないし第六の側面のうちのいずれか一つの側面、または前記側面のうちいずれかの側面のいずれかの設計に基づく方法を実装することができる。
【０１１５】
第十二の側面によれば、本願のある実施形態は、命令を含むコンピュータ・プログラム製品をさらに提供する。命令がコンピュータ上で実行されると、コンピュータは、上記の各側面に記載された方法を実行することができるようにされる。
【０１１６】
本願の実施形態では、端末装置が、二つの測定タスクを開始する装置によって送信された測定要求を同時に、または相次いで受信した後、端末装置は、二つの測定タスクのいずれかを優先的に実行することができ、それにより、測定タスクの達成の品質を保証する。このように、二つの測定タスクを開始する装置が、端末装置に、対応する二つの測定タスクを実行するように命令するとき、端末装置は、二つの測定タスクを実行するプロセスにおける衝突を回避することができ、それにより、端末装置の測定効率を確保することができる。
【図面の簡単な説明】
【０１１７】
【図１】本願のある実施形態による移動通信システムのアーキテクチャー図である。
【０１１８】
【図２】本願のある実施形態による第一の測定方法のフローチャートである。
【０１１９】
【図３】本願のある実施形態による第二の測定方法のフローチャートである。
【０１２０】
【図４】本願のある実施形態による第三の測定方法のフローチャートである。
【０１２１】
【図５】本願のある実施形態による第四の測定方法のフローチャートである。
【０１２２】
【図６】本願のある実施形態による第五の測定方法のフローチャートである。
【０１２３】
【図７】本願のある実施形態による第六の測定方法のフローチャートである。
【０１２４】
【図８】本願のある実施形態による第一の端末装置の構造図である。
【０１２５】
【図９】本願のある実施形態による第一の開始装置の構造図である。
【０１２６】
【図１０】本願のある実施形態による第二の開始装置の構造図である。
【０１２７】
【図１１】本願のある実施形態による第三の開始装置の構造図である。
【０１２８】
【図１２】本願のある実施形態による第四の開始装置の構造図である。
【０１２９】
【図１３】本願のある実施形態による第一の基地局の構造図である。
【０１３０】
【図１４】本願のある実施形態に係る第二の端末装置の構造図である。
【０１３１】
【図１５】本願のある実施形態による第五の開始装置の構造図である。
【０１３２】
【図１６】本願のある実施形態による第六の開始装置の構造図である。
【０１３３】
【図１７】本願のある実施形態による第七の開始装置の構造図である。
【０１３４】
【図１８】本願のある実施形態による第八の開始装置の構造図である。
【０１３５】
【図１９】本願のある実施形態による第二の基地局の構造図である。
【発明を実施するための形態】
【０１３６】
本願は、端末装置によって二つの測定タスクを実行するプロセスにおいて衝突が発生し、端末装置の測定効率に影響するという問題を解決するための測定方法および装置を提供する。方法および装置は、同じ発明アイデアに基づいている。この方法および装置は、問題を解決するために同様の原理を有する。したがって、装置の実装および方法の実装について、互いを参照することができ、本明細書では詳細は繰り返さない。
【０１３７】
上記の背景における記述に基づき、端末装置内のチップは限られた処理能力をもつため、端末装置は上記二つの測定タスクを同時に実行することができない。したがって、二つの測定タスクを開始する諸装置の両方が二つの対応する測定タスクを実行するよう端末装置に命令する場合、たとえば、端末装置が、二つの測定タスクのための測定要求を同時に受け取る場合または端末装置が、二つの測定タスクのうちの一方を実行するプロセスにおいて、他方の測定タスクの測定要求を受け取る場合、端末装置が二つの測定タスクを実行するときに衝突が発生し、端末装置の測定効率に影響する。
【０１３８】
本願の実施形態では、端末装置が、二つの測定タスクを開始する装置によって送信された測定要求を同時にまたは相次いで受信した後、端末装置は、二つの測定タスクのいずれかを優先的に実行することができ、それにより、測定タスクの達成の品質を保証する。このように、二つの測定タスクを開始する装置が、端末装置に、対応する二つの測定タスクを実行するよう命令する場合に、端末装置は、二つの測定タスクを実行するプロセスにおける衝突を回避することができ、それにより、端末装置の測定効率を確保することができる。
【０１３９】
当業者がよりよい理解を得るのを助けるために、本願におけるいくつかの用語が下記に記述される。
【０１４０】
（１）本願の実施形態における基地局は、端末装置を無線ネットワークに接続するための装置であり、進化型ノードB（evolved  NodeB、eNB）、無線ネットワーク・コントローラ（radio  network  controller、RNC）、ノードB（NodeB、NB）、基地局コントローラ（Base  Station  Controller、BSC）、ベーストランシーバステーション（Base  Transceiver  Station、BTS）、家庭eノードB（たとえばHome  evolved  NodeBまたはHome  NodeB、HNB）、ベースバンドユニット（Baseband  Unit、BBU）、アクセスポイント（Access  Point、AP）などを含むがそれに限られない。
【０１４１】
（２）本願における端末装置は、ユーザー装置（User  Equipment、UE）とも称され、ユーザーに音声および／またはデータ接続を提供する装置、たとえばハンドヘルド装置、車載装置、ウェアラブル装置またはコンピューティング装置であって、それぞれ無線接続機能をもつものまたは移動局（Mobile  Station、MS）または無線モデムに接続された別の処理装置などである。
【０１４２】
（３）本願における測定タスクは、特定の測定目的を達成し、ユーザーが必要とするデータを得るために、端末装置によって実行される必要がある測定動作または挙動である。測定タスクは、測定タスクの目的の分割に基づいて、位置決め測定タスクおよび非位置決め測定タスクに分類されうる。
【０１４３】
位置決め測定タスクは、端末装置を測位するために、端末装置の物理的な位置を計算するために用いることができるいくつかの関係したパラメータを、端末装置が測定する測定タスクである。たとえば、関係したパラメータは、端末装置の信号受信時間差、信号送信時間差、参照信号時間差（Reference  Signal  Time  Difference、RSTD）などの少なくとも一つであってもよいが、これらに限定されない。
【０１４４】
非位置決め測定タスクは、端末装置が、端末装置の測位ではなく、目的を実現するために使用できる関係したパラメータを測定して目的を達成できるようにする測定タスクである。たとえば、関係したパラメータは、端末装置の参照信号受信電力（Reference  Signal  Received  Power、RSRP）、参照信号の信号対干渉プラスノイズ比（Reference  Signal-Signal  to  Interference  plus  Noise  Ratio、RS-SINR）などのうちの少なくとも一つであってもよいが、これらに限定されない。
【０１４５】
（４）本願における測定タスクの実行時間は、端末装置が測定タスクの実行を開始する瞬間から、端末装置が測定タスクの実行を終了する瞬間（たとえば、測定レポートの生成または測定レポートの報告）までの時間である。あるいはまた、実行時間は、測定タスクの測定時間によって表わされてもよい。たとえば、測定時間は、第三世代パートナープロジェクト（the  3rd  Generation  Partner  Project、3GPP）の仕様TS36.133では、次のように定義される：端末装置が測定要求（または測定命令）を受信する瞬間に始まり、端末装置が測定レポートを報告する瞬間に終わる時間。
【０１４６】
いくつかの測定タスクの実行時間は、たとえばプロトコルで指定されていてもよく、あるいは測定タスクを開始する装置によって指定されて端末装置に通知されてもよく、あるいは端末装置にサービスする基地局によって指定されて端末装置に通知されてもよい。
【０１４７】
（５）本願におけるコンピューティング資源は、測定タスクによって必要とされるコンピューティングを実施するために使用される、端末装置の資源であり、たとえば、中央処理装置（Central  Processing  Unit、CPU）の使用比またはデジタル信号プロセッサ（Digital  Signal  Processing、DSP）の使用比である。
【０１４８】
（６）本願における記憶資源は、測定タスクに関係したデータおよびプログラムを記憶するために端末装置によって必要とされる資源であり、キャッシュ、メモリなどを含むことができる。
【０１４９】
（７）本願における通信資源は、測定タスクにおいて送信されるべきデータを送信するための、端末装置に割り当てられた時間‐周波数資源、アンテナなどを含む。
【０１５０】
（８）本願における測定ギャップ（gap）は、測定タスクを開始する装置または端末装置のための基地局によって、測定タスクを実行するために指定される。端末装置の測定オーバヘッドを低減するために、端末装置は、測定ギャップにおいて測定タスクを実行する。一般に、測定ギャップを構成する仕方は、40msまたは80msの測定ギャップ反復周期（Measurement  Gap  Repetition  period、MGRP）において6msの測定ギャップを構成する。
【０１５１】
すべての測定タスクが測定ギャップ内で実行される必要はなく、いくつかの測定タスクは測定ギャップ構成を必要としないことがあることを注意しておくべきである。これは、本願において限定されない。
【０１５２】
（９）本願の開始装置は、測定タスクを開始する装置、すなわち測定要求を送信する装置である。現在、位置決め測定タスクは、一般に、位置決めサーバーによって開始されるが、非位置決め測定タスクは、一般に、基地局によって開始される。よって、任意的に、開始装置は、基地局またはサーバーであってもよいが、これに限定されず、代替的に、測定タスクを開始することができる別の装置であってもよい。
【０１５３】
「複数の」とは、二つ以上をいう。
【０１５４】
さらに、本願の説明において、「第一」、「第二」等の語は、単に区別された記述のために使用されるに過ぎず、相対的な重要性の指示もしくは含意、また順序の指示もしくは含意としては理解されないことを理解しておくべきである。
【０１５５】
以下、添付図面を参照して、本願の実施形態を詳細に説明する。
【０１５６】
図１は、本願のある実施形態による測定方法が適用可能な移動通信システムのアーキテクチャーを示す図である。図１に示されるように、移動通信システムは：少なくとも一つの開始装置１０１（たとえば、図に示される開始装置ａ  １０１および開始装置ｂ  １０１）、端末装置１０２、および基地局１０３を含む。
【０１５７】
開始装置１０１は、測定タスクのための測定要求を端末装置１０２に送信して、端末装置１０２に測定タスクを実行するように命令するよう構成される。
【０１５８】
開始装置からの測定要求を受け取った後、端末装置１０２は、対応する測定タスクを実行し、測定タスクの実行を終了したときに測定レポートを開始装置１０１に報告し、開始装置１０１に測定タスクの結果を通知する。
【０１５９】
基地局１０３は、測定タスクのための測定要求を端末装置１０２に送信するための開始装置１０１として使用されてもよく、あるいは別の開始装置１０１と前記端末装置１０２との間の通信ノードとして使用されてもよい。たとえば、開始装置ａ  １０１が端末装置１０２に測定要求を送信するとき、該測定要求は、まず基地局１０３に送信され、次いで基地局１０３によって端末装置１０２に転送される必要がある。
【０１６０】
なお、図１に示される移動通信システムは、ロングタームエボリューション（Long  Term  Evolution、LTE）システムや、LTEシステムに基づいて進化した通信システムまたはモノのインターネット・システム等に適用可能でありうる。
【０１６１】
本発明のこの実施形態において記載される移動通信システムの上記のアーキテクチャーは、本願の実施形態の技術的解決策をより明確に説明するために使用される例であり、本願の実施形態において提供される技術的解決策に対するいかなる限定としても解釈してはならない。当業者は、移動通信システムのアーキテクチャーの進化および新しいサービスの出現に伴い、本願の実施形態で提供される技術的解決策が同様の技術的課題にも適用可能であることを知ることができる。
【０１６２】
本願のある実施形態は、測定方法を提供する。本方法は、図１に示される移動通信システムに適用可能であるが、これに限定されない。図２に示されるように、本方法の手順は、以下のステップを含む。
【０１６３】
Ｓ２０１。端末装置が、第一の測定タスクを開始する装置によって送られた第一の測定要求を受信した後、端末装置が第一の測定タスクの実行を終了しないときに、端末装置が、第二の測定タスクを開始する装置によって送られた第二の測定要求を受信する；または端末装置が、第一の測定要求および第二の測定要求を同時に受信する。
【０１６４】
第一の測定要求は、端末装置に第一の測定タスクを実行するよう命令するために使用され、第二の測定要求は、端末装置に第二の測定タスクを実行するよう命令するために使用される。
【０１６５】
任意的に、端末装置が第一の測定タスクの実行を終了しないことは、二つの場合を含む：端末装置がまだ第一の測定タスクを実行することを開始していないこと；または、端末装置が第一の測定タスクを実行中であること、である。
【０１６６】
Ｓ２０１において、第一の測定タスクおよび第二の測定タスクは、それぞれ、位置決め測定タスクおよび非位置決め測定タスクのいずれかである。任意的に、第一の測定タスクおよび第二の測定タスクは、両方とも位置決め測定タスクであってもよく、または両方とも非位置決め測定タスクであってもよく、または異なる型の測定タスクであってもよい。これは、本願のこの実施形態において限定されない。
【０１６７】
任意の測定タスクのための測定要求の表現の仕方は、測定タスクの型によって変わりうる。たとえば、測定要求が位置決め測定要求である場合、測定要求は位置要求情報（Request  Location  Information）であってもよい。
【０１６８】
任意的に、開始装置は、基地局またはサーバーであってもよい。
【０１６９】
さらに、第一の測定タスクを開始する装置と第二の測定タスクを開始する装置は、同じ装置または異なる装置でありうることを注意しておくべきである。これは、本願のこの実施形態において限定されない。
【０１７０】
Ｓ２０１から、端末装置が二つの測定タスクを同時にまたは相次いで受信することがわかる。よって、二つの測定タスクを実行するプロセスにおいて衝突が発生する可能性がある。以下では、図１に示される移動通信システムを記述のための例として使う。例１では、端末装置１０２は、まず、測定タスクａを開始する開始装置ａ  １０１によって送信された測定要求ａを受信し；端末装置１０２が測定タスクａの実行を開始しないとき、または端末装置１０２が測定タスクａを実行中であるときに、測定タスクｂを開始する開始装置ｂ  １０１によって送信された測定要求２を受信する。
【０１７１】
上記二つの測定タスクを実行するプロセスにおける衝突を回避するために、端末装置は、第一の測定タスクおよび第二の測定タスクのうちから測定タスクを選択し、選択された測定タスクを優先的に実行してもよい。任意的に、その後のステップＳ２０２が実行される前に、端末装置は、第一のターゲット測定タスクを決定する。ここで、第一のターゲット測定タスクは、第一の測定タスクおよび第二の測定タスクのいずれかである。
【０１７２】
端末装置は、以下の態様のいずれかで、第一のターゲット測定タスクを決定することができる。
【０１７３】
態様１：端末装置が、第一の測定要求が受信された時刻が第二の測定要求が受信された時刻よりも早いことを判別する場合、端末装置は、第一の測定タスクを第一のターゲット測定タスクとして決定する。たとえば、例１において、端末装置１０２は、測定タスクａを第一のターゲット測定タスクとして選択することができる。
【０１７４】
態様２：端末装置が、第二の測定要求が受信された時刻が第一の測定要求が受信された時刻よりも遅いことを判別する場合、端末装置は、第二の測定タスクを第一のターゲット測定タスクとして決定する。たとえば、例１において、端末装置１０２は、測定タスクｂを第一のターゲット測定タスクとして選択することができる。
【０１７５】
態様３：端末装置は、第一の測定タスクの優先度および第二の測定タスクの優先度を決定し、第一の測定タスクの優先度および第二の測定タスクの優先度に基づいて、優先度がより高い測定タスクを第一のターゲット測定タスクとして決定する。たとえば、例１において、端末装置１０２は、測定タスクａの優先度がより高く、測定タスクｂの優先度がより低いと判断し、端末装置は、測定タスクａを第一のターゲット測定タスクとして選択してもよい。
【０１７６】
態様１、態様２、態様３の記述から、端末装置が、さまざまなポリシーに従って、優先的に実施されるべき測定タスクを決定しうることがわかる。
【０１７７】
態様４：端末装置は、第一の測定タスクを開始する装置に第一の衝突メッセージを送る。ここで、第一の衝突メッセージは、端末装置が第二の測定要求を受信していることを示すために使用される。
【０１７８】
第一の測定タスクを開始する装置は、第一のターゲット測定タスクを決定してもよく、または第一の衝突メッセージを第二の測定タスクを開始する装置または基地局に転送して、第二の測定タスクを開始する装置または基地局が第一のターゲット測定タスクを決定し、第一の測定タスクを開始する装置に第一のターゲット測定タスクを通知してもよい。
【０１７９】
第一のターゲット測定タスクを決定した後、第一の測定タスクを開始した装置は、第一の測定構成メッセージを端末装置に返す。ここで、第一の測定構成メッセージは、端末装置に第一のターゲット測定タスクを優先的に実行するよう命令するために使用される。
【０１８０】
端末装置は、第一の測定タスクを開始した装置から返された第一の測定構成メッセージを受信し、第一の測定構成メッセージに基づいて第一のターゲット測定タスクを決定する。
【０１８１】
態様５：態様４におけるプロセスと同様。端末装置は、第二の測定タスクを開始した装置に第二の衝突メッセージを送信し、第二の衝突メッセージは、端末装置が第一の測定要求を受信していることを示すために使用される。
【０１８２】
第二の測定タスクを開始する装置は、第一のターゲット測定タスクを決定してもよく；または第二の衝突メッセージを第一の測定タスクを開始する装置または基地局に転送して、第一の測定タスクを開始する装置または基地局が第一のターゲット測定タスクを決定し、第二の測定タスクを開始する装置に第一のターゲット測定タスクを通知してもよい。
【０１８３】
第一のターゲット測定タスクを決定した後、第二の測定タスクを開始した装置は、第二の測定構成メッセージを端末装置に返す。ここで、第二の測定構成メッセージは、端末装置に第一のターゲット測定タスクを優先的に実行するよう命令するために使用される。
【０１８４】
端末装置は、第二の測定タスクを開始した装置によって返された第二の測定構成メッセージを受信し、第二の測定構成メッセージに基づいて第一のターゲット測定タスクを決定する。
【０１８５】
態様４および態様５の記述から、端末装置は、測定タスクを開始する装置を使って、優先的に実行されるべき測定タスクを決定してもよいことがわかる。
【０１８６】
態様６：第一の測定タスクを開始する装置も第二の測定タスクを開始する装置も基地局でない場合、端末装置は、第三の衝突メッセージを端末装置にサービスする基地局に送信する。ここで、第三の衝突メッセージは、端末装置が第一の測定要求および第二の測定要求を受信したことを示すために使用される。
【０１８７】
基地局は、第一のターゲット測定タスクを決定し、第三の測定構成メッセージを端末装置に返す。ここで、第三の測定構成メッセージは、端末装置に第一のターゲット測定タスクを優先的に実行するよう命令するために使用される。
【０１８８】
端末装置は、基地局によって返された第三の測定構成メッセージを受信し、第三の測定構成メッセージに基づいて第一のターゲット測定タスクを決定する。
【０１８９】
態様６の説明から、端末装置は、基地局を使って、優先的に実行されるべき測定タスクを代替的に決定してもよいことがわかる。
【０１９０】
なお、上記６つの態様は、端末装置による第一のターゲット測定タスクの決定に対するいかなる限定としても解釈してはならない。端末装置は代替的に、別のポリシーに従って第一のターゲット測定タスクを決定してもよく、たとえば、第一の測定タスクおよび第二の測定タスクのうちから一つの測定タスクをランダムに選択したり、あるいは第一の測定タスクおよび第二の測定タスクのうちから実行時間がより短い測定タスクを選択したりしてもよい。
【０１９１】
任意的に、第一のターゲット測定タスクを決定する上記の態様３において、端末装置は、以下の実装において第一の測定タスクの優先度を決定してもよい。
【０１９２】
実装１：第一の測定要求を送信するときに、第一の測定タスクを開始する装置は、第一の測定要求に第一の測定タスクの優先度を加えてもよい。このようにして、端末装置は、第一の測定要求に含まれる第一の測定タスクの優先度を判別することができる。
【０１９３】
実装２：端末装置は、第一の測定タスクを開始する装置に対して優先度要求を送信し；第一の測定タスクの優先度を決定した後、第一の測定タスクを開始する装置は、測定タスクの優先度を担持する優先度応答を端末装置に送信し；端末装置は、第一の測定タスクを開始する装置によって返される、第一の測定タスクの優先度を担持する優先度応答を受信する。
【０１９４】
実装３：端末装置は、測定タスクと優先度の間の対応に基づいて、第一の測定タスクの優先度を決定してもよい。
【０１９５】
任意的に、第一のターゲット測定タスクを決定する上記の態様３において、端末装置は、代替的に、以下のいくつかの実装において第二の測定タスクの優先度を決定してもよい。端末装置によって第二の測定タスクの優先度を決定する方法は、端末装置によって第一の測定タスクの優先度を決定する方法と同じである。よって、同じ部分については、第一の測定タスクの優先度の決定についての上記の記述を参照されたい。詳細は、ここでは再度説明しない。
【０１９６】
実装１：端末装置は、第二の測定要求に含まれる第二の測定タスクの優先度を判別する。
【０１９７】
実装２：端末装置は、第二の測定タスクを開始する装置に対して優先度要求を送信し；第二の測定タスクを開始する装置によって返される、第二の測定タスクの優先度を担持する優先度応答を受信する。
【０１９８】
実装３：端末装置は、測定タスクと優先度の間の対応に基づいて、第二の測定タスクの優先度を決定してもよい。
【０１９９】
任意的に、第一のターゲット測定タスクを決定する上記の態様４において、端末装置が第二の測定タスクの優先度を決定できる場合、第二の測定タスクの優先度は、第一の衝突メッセージに含められてもよい。このようにして、第一の測定タスクを開始する装置は、第一の衝突メッセージに基づいて、第二の測定タスクの優先度を取得することができる。第一の測定タスクの優先度が別の仕方で決定される場合、優先的に実行されるべき測定タスクは、測定タスクの優先度に基づいて決定できる。
【０２００】
任意的に、第一のターゲット測定タスクを決定する上記の態様４において、端末装置が第一の測定タスクの優先度および第二の測定タスクの優先度を決定できる場合には、第一の測定タスクの優先度および第二の測定タスクの優先度が両方とも第一の衝突メッセージに含められてもよい。このようにして、第一の測定タスクを開始する装置は、第一の衝突メッセージに基づいて、第一の測定タスクの優先度および第二の測定タスクの優先度を取得することができるので、優先的に実行されるべき測定タスクは、測定タスクの優先度に基づいて決定することができる。
【０２０１】
任意的に、第一のターゲット測定タスクを決定する態様４と同様に、第一のターゲット測定タスクを決定する態様５において、代替的に、第二の衝突メッセージがさらに、第一の測定タスクの優先度、または第一の測定タスクの優先度および第二の測定タスクの優先度を含んでいてもよい。
【０２０２】
このようにして、第二の測定タスクを開始する装置は、第二の衝突メッセージに基づいて、第一の測定タスクの優先度または二つの測定タスクの優先度を決定し、それにより、それらの測定タスクの優先度に基づいて、優先的に実行されるべき測定タスクを決定することができる。
【０２０３】
任意的に、第一のターゲット測定タスクを決定する態様４と同様に、第一のターゲット測定タスクを決定する態様６において、第三の衝突メッセージはさらに、第一の測定タスクの優先度および第二の測定タスクの優先度を含んでいてもよい。
【０２０４】
このようにして、基地局は、二つの測定タスクの優先度を決定することができ、それによって、それらの測定タスクの優先度に基づいて、優先的に実行されるべき測定タスクを決定することができる。
【０２０５】
Ｓ２０２。端末装置は、第一のターゲット測定タスクを優先的に実行する。
【０２０６】
Ｓ２０２において、端末装置は、二つの測定タスクを実行するプロセスにおける衝突を回避するよう、第一のターゲット測定タスクの達成の品質を保証することができ、それにより、端末装置の測定効率を保証する。
【０２０７】
任意的に、端末装置は、以下の態様でＳ２０２を実行することができるが、これに限定されるものではない。第二のターゲット測定タスクは、第一の測定タスクおよび第二の測定タスクのうち、第一のターゲット測定タスクとは異なる他方のタスクである。
【０２０８】
態様１：端末装置は、第一のターゲット測定タスクを実行し、第二のターゲット測定タスクの実行を拒否する。
【０２０９】
たとえば、端末装置が第一の測定タスクを実行することを開始しないシナリオでは、端末装置が第二のターゲット測定タスクの実行を拒否することは、端末装置がもはや、第二のターゲット測定タスクを実行することを開始しないことを含む。
【０２１０】
別の例として、端末装置が第一の測定タスクを実行中であり、第二のターゲット測定タスクが第一の測定タスクであるシナリオでは、端末装置が第二のターゲット測定タスクの実行を拒否することは：
端末装置が第一の測定タスクの実行を中断し、もはや第一の測定タスクを実行しないことを含む。
【０２１１】
よって、上記の態様は、二つの測定タスクを実行するプロセスにおける衝突を回避するように、第一のターゲット測定タスクの達成の品質を保証することができ、それにより、端末装置の測定効率を確保する。
【０２１２】
態様２：端末装置は、第一のターゲット測定タスクを実行し、その後、第一のターゲット測定タスクを終了した後、第二のターゲット測定タスクを実行する。
【０２１３】
よって、上記の態様は、第一のターゲット測定タスクの達成の品質を保証するだけでなく、第二のターゲット測定タスクを達成することもでき、二つの測定タスクを実行するプロセスにおける測定タスクの放棄と衝突を回避し、それにより端末装置の測定効率を確保することができる。
【０２１４】
態様３：端末装置は、第一のターゲット測定タスクの指定された実行時間において第一のターゲット測定タスクを実行し、第二のターゲット測定タスクの指定された実行時間を延長し、第二のターゲット測定タスクの実行時間が延長された後に得られる時間において第二のターゲット測定タスクを実行する。ここで、任意の測定タスクの実行時間は、端末装置がその測定タスクの実行を開始する時点から、端末装置がその測定タスクの実行を終了する時点までの時間である。
【０２１５】
よって、上記の態様は、第一のターゲット測定タスクの実行時間内に第一のターゲット測定タスクが終了することを保証することができ、それにより、第一のターゲット測定タスクの達成の品質を保証することができる。また、第二のターゲット測定タスクの実行時間が延長され、二つの測定タスクを実行するプロセスにおける衝突が避けられ、端末装置の測定効率を確保することができる。
【０２１６】
態様４：端末装置は、第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られる時間において第一のターゲット測定タスクを実行し、第二のターゲット測定タスクの実行時間が延長された後に得られる時間において第二のターゲット測定タスクを実行する。ここで、第二の継続時間は第一の継続時間より長い。
【０２１７】
したがって、上記の態様は、第一のターゲット測定タスクの実行時間が相対的に短い時間だけ延長されたときに第一のターゲット測定タスクが終了し、それにより第一のターゲット測定タスクの達成の品質を保証し；第二のターゲット測定タスクの実行時間が相対的に長い時間だけ延長され、それにより端末装置による第二のターゲット測定タスクの実行が、過度に第一のターゲット測定タスクに影響することを防止し、二つの測定タスクを実行するプロセスにおける衝突を回避し、それにより、端末装置の測定効率を確保することができる。
【０２１８】
態様５：端末装置は、第一のターゲット測定タスクに割り当てられた資源を使って第一のターゲット測定タスクを実行し、第二のターゲット測定タスクに割り当てられた資源を使って第二のターゲット測定タスクを実行する。ここで、第一のターゲット測定タスクに割り当てられた資源は、第二のターゲット測定タスクに割り当てられた資源より大きく、資源は、計算資源、記憶資源、通信資源、および測定ギャップのうちの少なくとも一つを含む。
【０２１９】
たとえば、指定された期間に10個の測定ギャップがあり、端末装置は、8個の測定ギャップにおいて第一のターゲット測定タスクを実行し、他の2つの測定ギャップにおいて第二のターゲット測定タスクを実行してもよい。
【０２２０】
上記の態様では、端末装置によって第一のターゲット測定タスクに割り当てられる資源は、端末装置によって第二のターゲット測定タスクに割り当てられる資源よりも大きいため、端末装置は、二つの測定タスクを実行するプロセスにおける衝突を回避し、それにより端末装置の測定効率を確保するように、第一のターゲット測定タスクの達成の品質を保証することができる。
【０２２１】
上記の態様３ないし態様５において、第一のターゲット測定タスクの実行時間と第二のターゲット測定タスクの実行時間との間には、部分的な交わりが存在してもよい。この交わりにおいては、端末装置によって第一のターゲット測定タスクに割り当てられた資源は、端末装置によって第二のターゲット測定タスクに割り当てられた資源よりも大きく、第一のターゲット測定タスクの達成の品質を保証する。
【０２２２】
本願のこの実施形態において提供される上記の測定方法によれば、端末装置が、二つの測定タスクを開始する装置によって送信された測定要求を同時にまたは相次いで受信した後、端末装置は、二つの測定タスクのいずれかを優先的に実行し、それにより、測定タスクの達成の品質を確保することができる。このように、二つの測定タスクを開始する装置が、端末装置に、対応する二つの測定タスクを実行するよう命令する場合、端末装置は、二つの測定タスクを実行するプロセスにおける衝突を回避することができ、それにより、端末装置の測定効率を確保することができる。
【０２２３】
なお、上記の測定方法において、端末装置は、第一のターゲット測定タスクの達成の品質を確保するために、上記の諸態様で第一のターゲット測定タスクを優先的に実行することができることを注意しておくべきである。任意的に、Ｓ２０１において、二つの測定タスクの両方が実行されることを確実にするために、端末装置は、それらの測定タスクの一方を優先的に実行しなくてもよい。
【０２２４】
たとえば、端末装置は、第一の測定タスクの指定された実行時間を延長し、第二の測定タスクの指定された実行時間を延長し、第一の測定タスクの実行時間が延長された後に得られる時間において第一の測定タスクを実行し、第二の測定タスクの実行時間が延長された後に得られる時間において第二の測定タスクを実行する。ここで、端末装置は、二つの測定タスクの実行時間について、延長されるべき継続時間を指定しなくてもよく、あるいは同じ延長されるべき継続時間を指定してもよい。
【０２２５】
別の例として、端末装置は、第一の測定タスクおよび第二の測定タスクに同じ資源を割り当て、それにより、同じ資源を使って上記の二つの測定タスクを実行する。
【０２２６】
さらに、測定ギャップの上記の説明から、測定ギャップ内でいくつかの測定タスクが実行される必要があることがわかる。したがって、任意的に、上記の実施形態におけるＳ２０２において、端末装置は、下記のことを含む以下の実装において第一のターゲット測定タスクを実行してもよい：
端末装置によって、第一の測定ギャップにおいて第一のターゲット測定タスクを実行する。
【０２２７】
任意的に、第一の測定タスクが測定ギャップにおいて実行される必要があり、第一の測定タスクを開始する装置または基地局が第一の測定タスクのための測定ギャップを構成したシナリオにおいては、第一のターゲット測定タスクが第一の測定タスクであるか第二の測定タスクであるかにかかわらず、第一のターゲット測定タスクは相変わらず、構成された測定ギャップを使用してもよい。
【０２２８】
任意的に、第一の測定タスクが第一の測定タスクであり、第一の測定タスクを開始する装置または基地局が第一の測定タスクのために測定ギャップを構成する場合、端末装置は第一の測定タスクを開始する装置または基地局に、測定ギャップを構成するよう要求する必要があり、測定ギャップが構成された後に測定ギャップにおいて第一の測定タスクを実行する。
【０２２９】
結論として、上記の方法における第一の測定ギャップは、第一の測定タスクを開始する装置または端末装置にサービスする基地局によって、端末装置のために、第一の測定タスクについて構成されてもよい。
【０２３０】
任意的に、第一のターゲット測定タスクが第二の測定タスクであるシナリオにおいて、端末装置によって第一の測定ギャップにおいて第一のターゲット測定タスクを実行する前に、本方法は、さらに以下のステップを含む：
端末装置によって、第二の測定タスクのために、第一の測定ギャップ構成要求を、第二の測定タスクを開始する装置または端末装置にサービスを提供する基地局に送信し；
端末装置によって、第二の測定タスクを開始する装置または基地局によって送信された第一の測定ギャップ構成情報を受信し；
端末装置によって、第一の測定ギャップ構成情報に基づいて、第一の測定ギャップを決定する。
【０２３１】
上記の方法によれば、端末装置は、第二の測定タスクを開始する装置または基地局に対して、第二の測定タスクのための測定ギャップを構成設定するよう要求することができる。
【０２３２】
任意的に、上記の実施形態におけるＳ２０２において、第二のターゲット測定タスクも測定ギャップ内で実行する必要がある場合には、端末装置は、以下の二つの実装のいずれかにおいて第二のターゲット測定タスクを実行してもよい。
【０２３３】
実装１：端末装置は、第一の測定ギャップにおいて第二のターゲット測定タスクを実行する。具体的には、端末装置が第二のターゲット測定タスクを実行するとき、第一のターゲット測定タスクにおいて使用される測定ギャップが相変わらず使用される。
【０２３４】
実装２：端末装置は、第二の測定ギャップにおいて第二のターゲット測定タスクを実行する。第二の測定ギャップは、第一の測定ギャップとは異なる。
【０２３５】
任意的に、上記の実装２において端末装置が第二のターゲット測定タスクを実行するとき、端末装置によって、第二のターゲット測定タスクを実行する前に、本方法は、さらに、以下を含む：
端末装置によって、第二のターゲット測定タスクのために、第二のターゲット測定タスクを開始する装置または端末装置にサービスする基地局に第二の測定ギャップ構成要求を送信し；
端末装置によって、第二の測定タスクを開始する装置または基地局によって送信された第二の測定ギャップ構成情報を受信し；
端末装置によって、第二の測定ギャップ構成情報に基づいて、第二の測定ギャップを決定する。
【０２３６】
上記の方法によれば、端末装置は、第二のターゲット測定タスクを開始する装置または基地局に対して、第二のターゲット測定タスクのための測定ギャップを構成するよう要求することができる。
【０２３７】
測定タスクの記述から、測定タスクの実行を終了するとき、端末装置は測定結果を担持する測定レポートを生成する必要があり、測定タスクを開始した装置に該測定レポートを送信することがわかる。したがって、端末装置に測定要求を送信した後、開始装置は、測定レポートを受け取るための時間内に処理レポートを受け取るために待つ。端末装置が第二のターゲット測定タスクの実行を拒否したり、あるいは第二のターゲット測定タスクの実行時間を延長したりする場合には、任意的に、端末装置は、第二のターゲット測定タスクを開始した装置に対して、測定レポートの受信をスキップする、または、測定レポートを受信するための時間を延長するよう命令してもよい。このようにして、測定タスクを開始した装置は、測定タスクの対応する実行状態を通知されることができ、それにより、測定レポートの受信を待つことにおいてまたは測定レポートを受信することにおいて開始装置によって消費される電力を削減することができる。任意的に、端末装置は、第二のターゲット測定タスクを開始する装置に対して、以下の実装において、測定レポートの受信をスキップするように、または測定レポートを受信するための時間を延長するように命令することができる。
【０２３８】
実装１：端末装置が態様１においてＳ２０２を実行する場合、本方法は、さらに以下を含む：
端末装置によって、第一の測定レポート受信指示を第二のターゲット測定タスクを開始する装置に送信する。第一の測定レポート受信指示は、第二のターゲット測定タスクを開始する装置に、第二のターゲット測定タスクの測定レポートの受信をスキップするよう命令するために使用される。
【０２３９】
実装２：端末装置が態様２または態様３においてＳ２０２を実行する場合、本方法はさらに以下を含む：
端末装置によって、第二のターゲット測定タスクを開始する装置に第二の測定レポート受信指示を送信する。第二の測定レポート受信指示は、第二のターゲット測定タスクを開始する装置に、第二のターゲット測定タスクの測定レポートを受信するための時間を延長するよう命令するために使用される。
【０２４０】
実装３：端末装置が態様４においてＳ２０２を実行する場合、本方法は、さらに以下を含む：
端末装置によって、第三の測定レポート受信指示を第一のターゲット測定タスクを開始した装置に送信し、該第三の測定レポート受信指示を第二のターゲット測定タスクを開始した装置に送信する。ここで、第三の測定レポート受信指示は、第一のターゲット測定タスクを開始した装置に対して、第一のターゲット測定タスクの測定レポートを受信するための時間を延長するよう命令するために使用され、第四の測定レポート受信指示は、第二のターゲット測定タスクを開始した装置に対して、第二のターゲット測定タスクの測定レポートを受信するための時間を延長するよう命令するために使用される。
【０２４１】
任意的に、上記の実装３において、第三の測定レポート受信指示はさらに第一の継続時間を含む、および／または第四の測定レポート受信指示はさらに第二の継続時間を含む。
【０２４２】
上述の態様では、測定タスクを開始する装置は、受信した測定レポート受信指示に従って、測定レポートを受信するための時間を具体的にどれくらい延長する必要があるかを知ることができ、それにより、測定レポートを受信するのを待つ際に開始装置によって消費する電力を削減することができる。
【０２４３】
上記の諸実施形態に基づいて、本願のある実施形態は、測定方法をさらに提供する。本方法は、図１に示す移動通信システムに適用可能でありうるが、それに限定されない。図３に示されるように、本方法の手順は、以下のステップを含む。
【０２４４】
Ｓ３０１。開始装置が、測定タスクの優先度を決定する。
【０２４５】
任意的に、開始装置は、図２に示される方法における、第一の測定タスクを開始する装置、または、第二の測定タスクを開始する装置でありうる。
【０２４６】
任意的に、開始装置は、測定タスクと優先度との間の対応に基づいて、測定タスクの優先度を決定してもよい。
【０２４７】
Ｓ３０２。開始装置は、測定タスクの測定要求を端末装置に送信する。ここで、測定要求は測定タスクの優先度を含む。
【０２４８】
本願のこの実施形態において提供される測定方法によれば、開始装置は、測定要求に測定タスクの優先度を加え、その後、測定要求を端末装置に送信する。このようにして、端末装置は、測定要求に基づいて測定タスクの優先度を決定することができ、それによって、測定タスクの優先度に基づいて優先的に実行されるべき測定タスクを決定することができる。
【０２４９】
上記の諸実施形態に基づいて、本願のある実施形態は、測定方法をさらに提供する。本方法は、図１に示される移動通信システムに適用可能でありうるが、これに限定されない。図４に示されるように、本方法の手順は、以下のステップを含む。
【０２５０】
Ｓ４０１。測定タスクのための測定要求を端末装置に送信した後、開始装置は、端末装置によって送信された優先度要求を受信する。
【０２５１】
Ｓ４０２。開始装置は、測定タスクの優先度を決定し、測定タスクの優先度を担持する優先度応答を端末装置に送信する。
【０２５２】
任意的に、開始装置は、測定タスクと優先度との間の対応に基づいて、測定タスクの優先度を決定してもよい。
【０２５３】
本願のこの実施形態において提供される測定方法によれば、端末装置が、開始装置に、開始装置によって開始された測定タスクの優先度を要求するとき、開始装置は、測定タスクの優先度を端末装置に送信する。このようにして、端末装置は、測定タスクの優先度に基づいて、優先的に実行されるべき測定タスクを決定することができる。
【０２５４】
上記の諸実施形態に基づいて、本願のある実施形態は、測定方法をさらに提供する。本方法は、図１に示される移動通信システムに適用可能でありうるが、これに限定されない。図５に示されるように、本方法の手順は、以下のステップを含む。
【０２５５】
Ｓ５０１。開始装置が、測定タスクの測定要求を端末装置に送信する。
【０２５６】
Ｓ５０２。開始装置は、端末装置によって送信された第一の測定レポート受信指示を受信し、第一の測定レポート受信指示に従って、測定タスクの測定レポートを受信することをスキップする。ここで、第一の測定レポート受信指示は、開始装置に対して、測定タスクの測定レポートの受信をスキップするよう命令するために使用される。
【０２５７】
上記のステップＳ５０２において、開始装置は、第一の測定レポート受信指示に従って、端末装置が測定タスクの実行を拒否したこと、測定タスクの測定レポートの受信が禁止されていることを知ることができ、測定レポートを受信するために待つ時間および測定レポートを受信する時間を短縮することができる。
【０２５８】
Ｓ５０３。開始装置は、端末装置によって送信された第二の測定レポート受信指示を受信し、第二の測定レポート受信指示に従って、測定タスクの測定レポートを受信するための指定された時間を延長する。ここで、第二の測定レポート受信指示は、測定タスクの測定レポートを受信するための時間を延長するよう開始装置に命令するために使用される。
【０２５９】
上記のステップＳ５０３において、開始装置は、第二の測定レポート受信指示に従って、端末装置が測定タスクの実行時間を延長したこと、すなわち、測定タスクの測定レポートを報告する時間を延長したことを知ることができる。よって、開始装置は、それに対応して、測定タスクの測定レポートを受信するための指定された時間を延長し、測定レポートを受信するために待機する時間を短縮することができる。
【０２６０】
任意的に、第二の測定レポート受信指示はさらに、継続時間を含む。Ｓ５０３では、開始装置によって、第二の測定レポート受信指示に従って、測定タスクの測定レポートを受信するための指定された時間を延長することは、下記を含む：
開始装置によって、測定タスクの測定レポートを受信するための指定された時間を前記継続時間だけ延長する。
【０２６１】
このようにして、開始装置は、測定レポートを受け取るための時間が延長されるべき特定の期間を決定することができ、それにより、測定レポートを受け取るのを待つ際に開始装置によって消費される電力を減少させることができる。
【０２６２】
上記の諸実施形態に基づいて、本願のある実施形態は、測定方法をさらに提供する。本方法は、図１に示される移動通信システムに適用可能でありうるが、これに限定されない。図６に示されるように、本方法の手順は、以下のステップを含む。
【０２６３】
Ｓ６０１。開始装置が、第三の測定タスクの測定要求を端末装置に送信する。
【０２６４】
Ｓ６０２。開始装置は、端末装置、第四の測定タスクを開始する装置、または端末装置にサービスする基地局によって送信された衝突メッセージを受信し、ここで、衝突メッセージは、端末装置が第四の測定タスクのための測定要求を受信したことを示すために使用される。
【０２６５】
任意的に、衝突メッセージが、第四の測定タスクを開始する装置または基地局によって送信される場合、衝突メッセージは、端末装置によって第四の測定タスクを開始する装置または基地局に送信されてもよく、すなわち、衝突メッセージは、第四の測定タスクを開始する装置または基地局によって、第三の測定タスクを開始する装置に転送されてもよい。
【０２６６】
Ｓ６０３。開始装置は、第一のターゲット測定タスクを決定する。第一のターゲット測定タスクは、第三の測定タスクおよび第四の測定タスクのいずれかである。
【０２６７】
任意的に、開始装置は、以下のステップにおいて第一のターゲット測定タスクを決定することができる：
開始装置によって、第三の測定タスクの優先度および第四の測定タスクの優先度を決定し；
開始装置によって、第三の測定タスクの優先度および第四の測定タスクの優先度に基づいて、優先度がより高い測定タスクを第一のターゲット測定タスクとして決定する。
【０２６８】
本願のこの実施形態は、開始装置が第一のターゲット測定タスクを決定する仕方にいかなる制限も課さないことを注意しておくべきである。任意的に、開始装置は、代替的に、別のポリシーに従って、優先的に実行されるべき測定タスクを決定してもよく、たとえば、優先的に実行されるべき測定タスクをランダムに決定したり、または優先的に実行されるべき測定タスクを実行継続時間に基づいて決定したりすることができる。
【０２６９】
任意的に、上記のステップにおいて、開始装置は、以下の二つの実装において、第三の測定タスクの優先度を決定することができるが、これらに限定されない。
【０２７０】
実装１：開始装置は、第三の測定タスクの格納された優先度を判別する。
【０２７１】
実装２：開始装置は、衝突メッセージに含まれる、第三の測定タスクの優先度を判別する。
【０２７２】
任意的に、上記のステップにおいて、開始装置は、以下の二つの実装において、第四の測定タスクの優先度を決定することができるが、これらに限定されない。
【０２７３】
実装１：開始装置は、第四の測定タスクの格納された優先度を判別する。
【０２７４】
実装２：開始装置は、衝突メッセージに含まれる、第四の測定タスクの優先度を判別する。
【０２７５】
Ｓ６０４。開始装置は、端末装置、第四の測定タスクを開始する装置、または基地局に測定構成メッセージを送信し、ここで、測定構成メッセージは、端末装置に、第一のターゲット測定タスクを優先的に実行するよう命令するために使用される。
【０２７６】
開始装置が第四の測定タスクを開始した装置または基地局に測定構成メッセージを送信すると、第四の測定タスクを開始した装置または基地局は、処理構成メッセージを受信した後、処理構成メッセージを端末装置に転送する。このようにして、端末装置は、処理構成メッセージの指示に従って、第一のターゲット測定タスクを優先的に実行することができる。
【０２７７】
本願のこの実施形態において提供される方法によれば、開始装置は、第一のターゲット測定タスクを優先的に実行するよう端末装置に命令することができる。よって、端末装置は、二つの測定タスクのいずれかを優先的に実行することができ、それにより測定タスクの達成の品質を保証する。このように、二つの測定タスクを開始する装置が、端末装置に、対応する二つの測定タスクを実行するよう命令するとき、端末装置は、二つの測定タスクを実行するプロセスにおける衝突を回避することができ、それにより、端末装置の測定効率を確保することができる。
【０２７８】
任意的に、上記の実施形態において、第一のターゲット測定タスクが第三の測定タスクである場合、本方法は、さらに、以下を含む：
開始装置によって、第三の測定タスクの測定レポートを受け取るための指定された時間内に、第三の測定タスクの測定レポートを受け取る。
【０２７９】
よって、開始装置が、優先的に実行されるべき測定タスクが、開始装置によって開始される第三の測定タスクであると判断した場合、開始装置は、もともとの仕方で、第三の測定タスクの測定レポートを、第三の測定タスクの測定レポートを受信するための指定された時間内に受信することができる。
【０２８０】
任意的に、上記の実施形態において、第一のターゲット測定タスクが第四の測定タスクである場合、本方法は、さらに、以下を含む：
開始装置によって、第三の測定タスクの測定レポートを受信することをスキップする；または
開始装置によって、第三の測定タスクの測定レポートを受信するための指定された時間を延長する。
【０２８１】
このようにして、優先的に実行されるべき測定タスクが、開始装置によって開始される第三の測定タスクではないと開始装置が判断した場合、開始装置は、能動的に第三の測定タスクの測定レポートの受信をスキップしたり、あるいは第三の測定タスクの測定レポートを受信するための時間を延長したりして、それにより、測定レポートを受信するために待つことにおいてまたは測定レポートの受信することにおいて開始装置によって消費される電力を削減することができる。
【０２８２】
任意的に、上記の実施形態において、Ｓ６０４の後に、本方法は、さらに、以下を含む：
開始装置によって、端末装置によって送信された第一の測定レポート受信指示を受信し、第一の測定レポート受信指示に従って、第三の測定タスクの測定レポートを受信することをスキップする。ここで、第一の測定レポート受信指示は、開始装置に、第三の測定タスクの測定レポートを受信することをスキップするよう命令するために使用される；または
開始装置によって、端末装置によって送信された第二の測定レポート受信指示を受信し、第二の測定レポート受信指示に従って、第三の測定タスクの測定レポートを受信するための指定された時間を延長する。ここで、第二の測定レポート受信指示は、開始装置に、第三の測定タスクの測定レポートを受信するための時間を延長するよう命令するために使用される。
【０２８３】
図５に示される実施形態の説明から、上記の方法によれば、開始装置は、第三の測定タスクの実行状態を知り、第三の測定タスクの測定レポートを時間内に受信するための時間を調整するか、または、測定レポートを受信することをスキップすることができ、それにより、測定レポートを受信することおよび測定レポートを受信するのを待つことにおいて消費される電力を削減することができることがわかる。
【０２８４】
任意的に、上記のステップにおいて、第二の測定レポート受信指示はさらに、継続時間を含み；
開始装置によって、第二の測定レポート受信指示に従って、第三の測定タスクの測定レポートを受信するための指定された時間を延長することは、下記を含む：
開始装置によって、第三の測定タスクの測定レポートを受信するための指定された時間を、前記継続時間だけ延長する。
【０２８５】
このようにして、開始装置は、測定レポートを受け取るための時間が延長されるべき特定の期間を決定することができ、それにより、測定レポートを受け取るのを待つ際に開始装置によって消費される電力を減少させることができる。
【０２８６】
上記の実施形態に基づいて、本願のある実施形態は、測定方法をさらに提供する。本方法は、図１に示される移動通信システムに適用可能でありうるが、これに限定されない。図７に示されるように、本方法の手順は、以下のステップを含む。
【０２８７】
Ｓ７０１。端末装置にサービスする基地局は、端末装置によって送信された衝突メッセージを受信し、ここで、第三の衝突メッセージは、端末装置が第一の測定タスクのための第一の測定要求および第二の測定タスクのための第二の測定要求を受信したことを示すために使用される。
【０２８８】
Ｓ７０２。基地局は、第一のターゲット測定タスクを決定する。第一のターゲット測定タスクは、第三の測定タスクおよび第四の測定タスクのいずれかである。
【０２８９】
任意的に、基地局は、下記の方法に従ってＳ７０２を実行してもよい：
基地局によって、第一の測定タスクの優先度および第二の測定タスクの優先度を決定し；
開始装置によって、第一の測定タスクの優先度および第二の測定タスクの優先度に基づいて、優先度がより高い測定タスクを第一のターゲット測定タスクとして決定する。
【０２９０】
上記の方法において、任意的に、基地局は、以下の二つの実装において、第一の測定タスクの優先度および第二の測定タスクの優先度を決定することができるが、これらに限定されない。
【０２９１】
実装１：基地局は、第一の測定タスクの格納された優先度および第二の測定タスクの格納された優先度を判別する。
【０２９２】
実装２：基地局は、衝突メッセージに含まれる第一の測定タスクの優先度および第二の測定タスクの優先度を判別する。
【０２９３】
Ｓ７０３。基地局は、測定構成メッセージを端末装置に送信する。ここで、測定構成メッセージは、端末装置に第一のターゲット測定タスクを優先的に実行するよう命令するために使用される。
【０２９４】
本願のこの実施形態において提供される方法によれば、基地局は、第一のターゲット測定タスクを優先的に実行するように端末装置に命令することができる。よって、端末装置は、二つの測定タスクのいずれかを優先的に実行することができ、それにより測定タスクの達成の品質を保証する。このように、二つの測定タスクを開始する装置が、端末装置に、対応する二つの測定タスクを実行するよう命令する場合、端末装置は、二つの測定タスクを実行するプロセスにおける衝突を回避することができ、それにより、端末装置の測定効率を確保することができる。
【０２９５】
上記の実施形態に基づいて、本願のある実施形態は、端末装置をさらに提供する。端末装置は、図１に示される移動通信システムに適用されることができ、図２に示される実施形態の測定方法を実装することができる。図８に示されるように、端末装置８００は、通信ユニット８０１および処理ユニット８０２を含む。
【０２９６】
通信ユニット８０１は、測定タスクを開始する装置によって送信された測定要求を受信するよう構成される。
【０２９７】
処理ユニット８０２は：
通信ユニット８０１が、第一の測定タスクを開始する装置によって送信された第一の測定要求を受信した後、処理ユニット８０２が第一の測定タスクの実行を終了しないときに、通信ユニット８０１が第二の測定タスクを開始する装置によって送信された第二の測定要求を受信したことを判別する、または、通信ユニット８０１が第一の測定要求および第二の測定要求を同時に受信したことを判別し；
第一のターゲット測定タスクを優先的に実行するよう構成され、第一のターゲット測定タスクを優先的に実行することは下記を含む：
第一のターゲット測定タスクを実行し、第二のターゲット測定タスクの実行を拒否する；または
第一のターゲット測定タスクを実行し、次いで、第一のターゲット測定タスクを実行し終えた後に第二のターゲット測定タスクを実行する；または
第一のターゲット測定タスクの指定された実行時間において第一のターゲット測定タスクを実行し、第二のターゲット測定タスクの指定された実行時間を延長し、第二のターゲット測定タスクの実行時間が延長された後に得られる時間において第二のターゲット測定タスクを実行する。ここで、任意の測定タスクの実行時間は、端末装置がその測定タスクを実行し始める瞬間から、端末装置がその測定タスクの実行を終了する瞬間までの時間である；または
第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られる時間において第一のターゲット測定タスクを実行し、第二のターゲット測定タスクの実行時間が延長された後に得られる時間において第二のターゲット測定タスクを実行する。ここで、第二の継続時間は第一の継続時間より長い；または
第一のターゲット測定タスクに割り当てられた資源を使って第一のターゲット測定タスクを実行し、第二のターゲット測定タスクに割り当てられた資源を使って第二のターゲット測定タスクを実行する。ここで、第一のターゲット測定タスクに割り当てられた資源は、第二のターゲット測定タスクに割り当てられた資源よりも大きく、資源は、計算資源、記憶資源、通信資源、および測定ギャップのうちの少なくとも一つを含む。
【０２９８】
第一のターゲット測定タスクは、第一の測定タスクおよび第二の測定タスクのいずれかであり、第二のターゲット測定タスクは、第一の測定タスクおよび第二の測定タスクのうち、第一のターゲット測定タスクとは異なる他方である。
【０２９９】
任意的に、処理ユニット８０２はさらに：
第一のターゲット測定タスクを優先的に実行する前に、第一のターゲット測定タスクを決定するよう構成され、第一のターゲット測定タスクを決定することは下記を含む：
第一の測定要求が受信された時刻が、第二の測定要求が受信された時刻よりも早いと判断する場合、端末装置によって第一の測定タスクを第一のターゲット測定タスクとして決定する；または
第二の測定要求が受信された時刻が、第一の測定要求が受信された時刻より遅いと判断する場合、端末装置によって第二の測定タスクを第一のターゲット測定タスクとして決定する；または
第一の測定タスクの優先度および第二の測定タスクの優先度を決定し、第一の測定タスクの優先度および第二の測定タスクの優先度に基づいて、優先度がより高い測定タスクを第一のターゲット測定タスクとして決定する；または
通信ユニット８０１を使って、第一の測定タスクを開始する装置に第一の衝突メッセージを送信し、ここで、第一の衝突メッセージは、端末装置が第二の測定要求を受信したことを示すために使用され；通信ユニット８０１を使って、第一の測定タスクを開始する装置によって返される第一の測定構成メッセージを受信し、ここで、第一の測定構成メッセージは、端末装置に、第一のターゲット測定タスクを優先的に実行するよう命令するために使用され；第一の測定構成メッセージに基づいて第一のターゲット測定タスクを決定する；または
通信ユニット８０１を使って、第二の測定タスクを開始する装置に第二の衝突メッセージを送信し、ここで、第二の衝突メッセージは、端末装置が第一の測定要求を受信したことを示すために使用され；通信ユニット８０１を使って、第二の測定タスクを開始する装置によって返される第二の測定構成メッセージを受信し、ここで、第二の測定構成メッセージは、端末装置に、第一のターゲット測定タスクを優先的に実行するよう命令するために使用され；第二の測定構成メッセージに基づいて第一のターゲット測定タスクを決定する；または
通信ユニット８０１を使って、第三の衝突メッセージを、端末装置にサービスする基地局に送信し、第三の衝突メッセージは、端末装置が第一の測定要求および第二の測定要求を受信したことを示すために使用され；通信ユニット８０１を使って、基地局によって返される第三の測定構成メッセージを受信し、ここで、第三の測定構成メッセージは、端末装置に、第一のターゲット測定タスクを優先的に実行するよう命令するために使用され；第三の測定構成メッセージに基づいて、第一のターゲット測定タスクを決定する。
【０３００】
任意的に、第一の衝突メッセージはさらに、第二の測定タスクの優先度、または第二の測定タスクの優先度および第一の測定タスクの優先度を含む；または
第二の衝突メッセージはさらに、第一の測定タスクの優先度、または第一の測定タスクの優先度および第二の測定タスクの優先度を含む；または
第三の衝突メッセージはさらに、第一の測定タスクの優先度および第二の測定タスクの優先度を含む。
【０３０１】
任意的に、第一の測定タスクの優先度を決定するとき、処理ユニット８０２は、具体的には：
第一の測定要求に含まれる、第一の測定タスクの優先度を判別する；または
通信ユニット８０１を使って、第一の測定タスクを開始する装置に対して優先度要求を送信し、通信ユニット８０１を使って、第一の測定タスクを開始する装置によって返される、第一の測定タスクの優先度を担持する優先度応答を受信し；優先度応答において担持される第一の測定タスクの優先度を判別する、
よう構成される。
【０３０２】
第二の測定タスクの優先度を決定するとき、処理ユニット８０２は、具体的には：
第二の測定要求に含まれる、第二の測定タスクの優先度を判別する；または
通信ユニット８０１を使って、第二の測定タスクを開始する装置に対して優先度要求を送信し、通信ユニット８０１を使って、第二の測定タスクを開始する装置によって返される、第二の測定タスクの優先度を担持する優先度応答を受信し；優先度応答において担持される第一の測定タスクの優先度を判別する、
よう構成される。
【０３０３】
任意的に、第一のターゲット測定タスクを実行するとき、処理ユニット８０２は、具体的には：
第一の測定ギャップにおいて第一のターゲット測定タスクを実行するよう構成される。
【０３０４】
任意的に、第一の測定ギャップは、第一の測定タスクを開始する装置、または端末装置にサービスする基地局によって端末装置のために、第一の測定タスクについて、構成される。
【０３０５】
任意的に、第一のターゲット測定タスクが第二の測定タスクである場合、処理ユニット８０２は、さらに、以下のように構成される：
第一の測定ギャップにおいて第一のターゲット測定タスクを実行する前に、通信ユニット８０１を使って第二の測定タスクのために、第一の測定ギャップ構成要求を、第二の測定タスクを開始する装置または端末装置にサービスを提供する基地局に送信し；
通信ユニット８０１を使って、第二の測定タスクを開始する装置または基地局によって送信された第一の測定ギャップ構成情報を受信し；
第一の測定ギャップ設定情報に基づいて、第一の測定ギャップを決定する。
【０３０６】
任意的に、第二のターゲット測定タスクを実行するとき、処理ユニット８０２は、具体的には：
前記第一の測定ギャップにおいて第二のターゲット測定タスクを実行する；または
第二の測定ギャップにおいて第二のターゲット測定タスクを実行するよう構成され、ここで、前記第二の測定ギャップは前記第一の測定ギャップとは異なる。
【０３０７】
任意的に、処理ユニット８０２は、さらに：
第二の測定ギャップにおいて第二のターゲット測定タスクを実行する前に、第二のターゲット測定タスクのために、第二の測定ギャップ構成要求を、第二のターゲット測定タスクを開始する装置または端末装置にサービスを提供する基地局に送信し；
通信ユニット８０１を使って、第二の測定タスクを開始する装置または基地局によって送信された第二の測定ギャップ構成情報を受信し；
第二の測定ギャップ構成情報に基づいて、第二の測定ギャップを決定する、
よう構成される。
【０３０８】
任意的に、処理ユニット８０２が第一のターゲット測定タスクを実行し、第二のターゲット測定タスクの実行を拒否する場合、処理ユニット８０２はさらに：
通信ユニット８０１を使って、第一の測定レポート受信指示を第二のターゲット測定タスクを開始する装置に送信するよう構成され、ここで、第一の測定レポート受信指示は、第二のターゲット測定タスクを開始する装置に、第二のターゲット測定タスクの測定レポートの受信をスキップするよう命令するために使われる；または
【０３０９】
処理ユニット８０２が、第一のターゲット測定タスクを実行し、第一のターゲット測定タスクの実行終了後に第二のターゲット測定タスクを実行する場合、または、処理ユニット８０２が、第一のターゲット測定タスクの指定された実行時間内に第一のターゲット測定タスクを実行し、第二のターゲット測定タスクの指定された実行時間を延長し、第二のターゲット測定タスクの実行時間が延長された後に得られる時間内に第二のターゲット測定タスクを実行する場合、処理ユニット８０２はさらに：
通信ユニット８０１を使って、第二のターゲット測定タスクを開始する装置に第二の測定レポート受信指示を送信するよう構成され、ここで、第二の測定レポート受信指示は、第二のターゲット測定タスクを開始する装置に、第二のターゲット測定タスクの測定レポートを受信するための時間を延長するよう命令するために使用される；または
【０３１０】
処理ユニット８０２が、第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られる時間内に第一のターゲット測定タスクを実行し、第二のターゲット測定タスクの実行時間が延長された後に得られる時間内に第二のターゲット測定タスクを実行する場合、処理ユニット８０２はさらに：
通信ユニット８０１を使って、第一のターゲット測定タスクを開始する装置に第三の測定レポート受信指示を送信し、第二のターゲット測定タスクを開始する装置に該第三の測定レポート受信指示を送信するよう構成され、ここで、第三の測定レポート受信指示は、第一のターゲット測定タスクを開始する装置に対して、第一のターゲット測定タスクの測定レポートを受信するための時間を延長するよう命令するために使用され、第四の測定レポート受信指示は、第二のターゲット測定タスクを開始する装置に対して、第二のターゲット測定タスクの測定レポートを受信するための時間を延長するよう命令するために使用される。
【０３１１】
任意的に、第三の測定レポート受信指示はさらに前記第一の継続時間を含む、および／または第四の測定レポート受信指示はさらに前記第二の継続時間を含む。
【０３１２】
任意的に、第一の測定タスクおよび第二の測定タスクは、それぞれ、位置決め測定タスクおよび非位置決め測定タスクのいずれかである。
【０３１３】
本願のこの実施形態は、端末装置を提供する。端末装置が、二つの測定タスクを開始する装置によって送信された測定要求を同時にまたは相次いで受信した後、端末装置は、二つの測定タスクのいずれかを優先的に実行することができ、それにより、測定タスクの達成の品質を保証する。このように、二つの測定タスクを開始する装置が、端末装置に、対応する二つの測定タスクを実行するよう命令するとき、端末装置は、二つの測定タスクを実行するプロセスにおける衝突を回避することができ、それにより、端末装置の測定効率を確保することができる。
【０３１４】
上記の実施形態に基づいて、本願のある実施形態は、開始装置をさらに提供する。開始装置は、図１に示される移動通信システムに適用されることができ、図３に示される実施形態における測定方法を実装することができる。図９に示されるように、開始装置９００は、処理ユニット９０１および通信ユニット９０２を含む。
【０３１５】
処理ユニット９０１は、測定タスクの優先度を決定するよう構成される。
【０３１６】
通信ユニット９０２は、測定タスクのための測定要求を端末装置に送信するよう構成され、ここで、測定要求は、測定タスクの優先度を含む。
【０３１７】
本願のこの実施形態は、開始装置を提供する。開始装置は、測定要求に測定タスクの優先度を加え、その後、測定要求を端末装置に送信してもよい。このようにして、端末装置は、測定要求に基づいて測定タスクの優先度を決定することができ、それにより、測定タスクの優先度に基づいて、優先的に実行されるべき測定タスクを決定することができる。
【０３１８】
上記の実施形態に基づいて、本願のある実施形態は、開始装置をさらに提供する。開始装置は、図１に示される移動通信システムに適用されることができ、図４に示す実施形態における測定方法を実装することができる。図１０に示されるように、開始装置１０００は、通信ユニット１００１および処理ユニット１００２を含む。
【０３１９】
通信ユニット１００１は：測定タスクのための測定要求を端末装置に送信した後、端末装置によって送信された優先度要求を受信するよう構成される。
【０３２０】
処理ユニット１００２は、測定タスクの優先度を決定するよう構成される。
【０３２１】
通信ユニット１００１はさらに、測定タスクの優先度を担持する優先度応答を端末装置に送信するよう構成される。
【０３２２】
本願のこの実施形態は、開始装置を提供する。端末装置が、開始装置によって開始された測定タスクの優先度を開始装置に要求する場合、開始装置は、測定タスクの優先度を端末装置に送信する。このようにして、端末装置は、測定タスクの優先度に基づいて、優先的に実行されるべき測定タスクを決定することができる。
【０３２３】
上記の実施形態に基づいて、本願のある実施形態は、開始装置をさらに提供する。開始装置は、図１に示される移動通信システムに適用されることができ、図５に示される実施形態における測定方法を実装することができる。図１１に示されるように、開始装置１１００は、通信ユニット１１０１および処理ユニット１１０２を含む。
【０３２４】
通信ユニット１１０１は、測定タスクのための測定要求を端末装置に送信し；端末装置によって送信された第一の測定レポート受信指示を受信するか、または端末装置によって送信された第二の測定レポート受信指示を受信するよう構成され、ここで、第一の測定レポート受信指示は、測定タスクの測定レポートの受信をスキップするように開始装置に命令するために使用され、第二の測定レポート受信指示は、測定タスクの測定レポートを受信するための時間を延長するよう、開始装置に命令するために使用される。
【０３２５】
処理ユニット１１０２は、第一の測定レポート受信指示に従って、測定タスクの測定レポートの受信をスキップするか、または第二の測定レポート受信指示に従って、測定タスクの測定レポートを受信するための指定された時間を延長するよう構成される。
【０３２６】
任意的に、第二の測定レポート受信指示はさらに、継続時間を含み；
第二の測定レポート受信指示に従って、測定タスクの測定レポートを受信するための指定された時間を延長するとき、処理ユニット１１０２は、具体的には：
測定タスクの測定レポートを受信するための指定された時間を前記継続時間だけ延長するよう構成される。
【０３２７】
本願のこの実施形態は、開始装置を提供する。開始装置は、受信された測定レポート受信指示に従って、第三の測定タスクの実行状態を知り、時間内に測定レポートを受信するための時間を調整するか、または測定レポートを受信することをスキップし、それにより測定レポートを受信することおよび測定レポートを受信するのを待つことにおいて消費される電力を削減することができる。
【０３２８】
上記の実施形態に基づいて、本願のある実施形態は、さらに、開始装置を提供する。開始装置は、図１に示される移動通信システムに適用されることができ、図６に示される実施形態における測定方法を実装することができる。図１２に示されるように、開始装置１２００は、通信ユニット１２０１および処理ユニット１２０２を含む。
【０３２９】
通信ユニット１２０１は、第三の測定タスクのための測定要求を端末装置に送信し；端末装置、第四の測定タスクを開始する装置、または、端末装置にサービスする基地局によって送信された衝突メッセージを受信するよう構成されており、ここで、衝突メッセージは、端末装置が第四の測定タスクのための測定要求を受信したことを示すために使用される。
【０３３０】
処理ユニット１２０２は、第一のターゲット測定タスクを決定するよう構成され、第一のターゲット測定タスクは、第三の測定タスクおよび第四の測定タスクのいずれかである。
【０３３１】
通信ユニット１２０１はさらに、測定構成メッセージを、端末装置、第四の測定タスクを開始する装置、または基地局に送信するように構成され、ここで、測定構成メッセージは、端末装置に第一のターゲット測定タスクを優先的に実行するよう命令するために使用される。
【０３３２】
任意的に、第一のターゲット測定タスクを決定するとき、処理ユニット１２０２は、具体的には：
第三の測定タスクの優先度および第四の測定タスクの優先度を決定し；
第三の測定タスクの優先度および第四の測定タスクの優先度に基づいて、優先度がより高い測定タスクを第一のターゲット測定タスクとして決定する、
よう構成される。
【０３３３】
任意的に、第三の測定タスクの優先度を決定するとき、処理ユニット１２０２は、具体的には：
第三の測定タスクの格納された優先度を判別する；または
衝突メッセージに含まれる、第三の測定タスクの優先度を判別する、
よう構成される。
【０３３４】
第四の測定タスクの優先度を決定するとき、処理ユニット１２０２は、具体的には：
第四の測定タスクの格納された優先度を判別する；または
衝突メッセージに含まれる、第四の測定タスクの優先度を決定する、
よう構成される。
【０３３５】
任意的に、第一のターゲット測定タスクが第三の測定タスクである場合、処理ユニット１２０２は、さらに：
通信ユニット１２０１を使って、第三の測定タスクの測定レポートを受け取るための指定された時間内に、第三の測定タスクの測定レポートを受け取るよう構成される；または
第一のターゲット測定タスクが第四の測定タスクである場合、処理ユニット１２０２は、さらに：
第三の測定タスクの測定レポートの受信をスキップする；または
第三の測定タスクの測定レポートを受信するための指定された時間を延長する、
よう構成される。
【０３３６】
任意的に、通信ユニット１２０１はさらに：測定構成メッセージを端末装置、第四の測定タスクを開始する装置、または基地局に送信した後、端末装置によって送信された第一の測定レポート受信指示を受信するよう構成され、ここで、第一の測定レポート受信指示は、第三の測定タスクの測定レポートの受信をスキップするよう開始装置に命令するために使用され；
処理ユニット１２０２はさらに、第一の測定レポート受信指示に従って、第三の測定タスクの測定レポートを受信することをスキップするように構成される；または
通信ユニット１２０１はさらに、測定構成メッセージを端末装置、第四の測定タスクを開始する装置、または基地局に送信した後、端末装置によって送信された第二の測定レポート受信指示を受信するよう構成され、第二の測定レポート受信指示は、第三の測定タスクの測定レポートを受信するための時間を延長するよう開始装置に命令するために使用され；
処理ユニット１２０２はさらに、第二の測定レポート受信指示に従って、第三の測定タスクの測定レポートを受信するための指定された時間を延長するよう構成される。
【０３３７】
任意的に、第二の測定レポート受信指示はさらに期間を含み；
第二の測定レポート受信指示に従って、第三の測定タスクの測定レポートを受信するための指定された時間を延長するとき、処理ユニット１２０２は具体的には：
第三の測定タスクの測定レポートを受信するための指定された時間を、前記期間だけ延長するよう構成される。
【０３３８】
本願のこの実施形態は、開始装置を提供する。開始装置は、第一のターゲット測定タスクを優先的に実行するよう端末装置に命令することができる。よって、端末装置は、二つの測定タスクのいずれかを優先的に実行することができ、それにより測定タスクの達成の品質を保証する。このように、二つの測定タスクを開始する装置が、端末装置に、対応する二つの測定タスクを実行するよう命令する場合、端末装置は、二つの測定タスクを実行するプロセスにおける衝突を回避することができ、それにより、端末装置の測定効率を確保することができる。
【０３３９】
上記の実施形態に基づいて、本願のある実施形態は、基地局をさらに提供する。基地局は、図１に示される移動通信システムに適用されることができ、図７に示される実施形態における測定方法を実装することができる。図１３に示されるように、基地局１３００は、通信ユニット１３０１および処理ユニット１３０２を含む。
【０３４０】
通信ユニット１３０１は、端末装置によって送信された衝突メッセージを受信するよう構成され、第三の衝突メッセージは、端末装置が第一の測定タスクのための第一の測定要求および第二の測定タスクのための第二の測定要求を受信したことを示すために使用される。
【０３４１】
処理ユニット１３０２は、第一のターゲット測定タスクを決定するように構成され、ここで、第一のターゲット測定タスクは、第一の測定タスクおよび第二の測定タスクのいずれかである。
【０３４２】
通信ユニット１３０１はさらに、測定構成メッセージを端末装置に送信するよう構成され、測定構成メッセージは、端末装置に、第一のターゲット測定タスクを優先的に実行するよう命令するために使用される。
【０３４３】
任意的に、第一のターゲット測定タスクを決定するとき、処理ユニット１３０２は、具体的には：
第一の測定タスクの優先度および第二の測定タスクの優先度を決定し；
第一の測定タスクの優先度および第二の測定タスクの優先度に基づいて、優先度がより高い測定タスクを第一のターゲット測定タスクとして決定する、
よう構成される。
【０３４４】
任意的に、第一の測定タスクの優先度および第二の測定タスクの優先度を決定するとき、処理ユニット１３０２は、具体的には：
第一の測定タスクの格納された優先度および第二の測定タスクの格納された優先度を判別する；または
衝突メッセージに含まれる第一の測定タスクの優先度および第二の測定タスクの優先度を判別する、
よう構成される。
【０３４５】
本願のこの実施形態は、基地局をさらに提供する。基地局は、第一のターゲット測定タスクを優先的に実行するよう端末装置に命令することができる。よって、端末装置は、二つの測定タスクのいずれかを優先的に実行することができ、それにより測定タスクの達成の品質を保証する。このように、二つの測定タスクを開始する装置が、端末装置に、対応する二つの測定タスクを実行するよう命令する場合、端末装置は、二つの測定タスクを実行するプロセスにおける衝突を回避することができ、それにより、端末装置の測定効率を確保することができる。
【０３４６】
なお、本願のこの実施形態において、ユニット分割は一例であり、単に論理的な機能分割に過ぎないことを注意しておくべきである。実際の実装においては、別の分割の仕方があるかもしれない。本願のこの実施形態における機能ユニットは、一つの処理ユニットに統合されてもよく、または各ユニットは物理的に単独で存在してもよく、または二つ以上のユニットが一つのユニットに統合されてもよい。統合ユニットは、ハードウェアの形で実装されてもよく、またはソフトウェア機能ユニットの形で実装されてもよい。
【０３４７】
上記の諸実施形態に基づいて、本願のある実施形態は、さらに、コンピュータ記憶媒体を提供する。記憶媒体はソフトウェア・プログラムを記憶し、ソフトウェア・プログラムが一つまたは複数のプロセッサによって読み出されて実行されるとき、上記の諸実施形態において提供される測定方法が実装されうる。コンピュータ記憶媒体は、プログラム・コードを記憶することができる任意の媒体、たとえば、USBフラッシュドライブ、リムーバブルハードディスク、リードオンリーメモリ（Read-Only  Memory、ROM）、ランダムアクセスメモリ（Random  Access  Memory、RAM）、磁気ディスク、または光ディスクを含む。
【０３４８】
上記の諸実施形態に基づいて、本願の実施形態は、さらに、端末装置を提供する。端末装置は、図２に示される測定方法を実装するよう構成され、図８に示される端末装置８００の機能を有する。図１４に示されるように、端末装置１４００は、トランシーバ１４０１、プロセッサ１４０２、およびメモリ１４０３を含む。トランシーバ１４０１、プロセッサ１４０２、およびメモリ１４０３は、互いに接続される。
【０３４９】
任意的に、トランシーバ１４０１、プロセッサ１４０２、およびメモリ１４０３は、バス１４０４を使って互いに接続される。バス１４０４は、周辺コンポーネント相互接続（peripheral  component  interconnect、PCI）バス、拡張業界標準アーキテクチャー（extended  industry  standard  architecture、EISA）バスなどであってもよい。バス１４０４は、アドレスバス、データバス、制御バスなどに分類することができる。表現の簡単のため、図１４においてバスを表わすためには１本の太線のみが使用されているが、これは１本のみのバスまたは一つの型のみのバスがあることを意味するものではない。
【０３５０】
トランシーバ１４０１は、他の装置との通信を実施するために、データを受信し、送信するよう構成される。
【０３５１】
プロセッサ１４０２は、図２に示される測定方法を実装するよう構成され、具体的には
トランシーバ１４０１が、第一の測定タスクを開始する装置によって送信された第一の測定要求を受信した後、プロセッサ１４０２が第一の測定タスクの実行を終了しないときに、トランシーバ１４０１が第二の測定タスクを開始する装置によって送信された第二の測定要求を受信したことを判別する、または、トランシーバ１４０１が第一の測定要求および第二の測定要求を同時に受信したことを判別し；
第一のターゲット測定タスクを優先的に実行するよう構成され、第一のターゲット測定タスクを優先的に実行することは下記を含む：
第一のターゲット測定タスクを実行し、第二のターゲット測定タスクの実行を拒否する；または
第一のターゲット測定タスクを実行し、次いで、第一のターゲット測定タスクを実行し終えた後に第二のターゲット測定タスクを実行する；または
第一のターゲット測定タスクの指定された実行時間において第一のターゲット測定タスクを実行し、第二のターゲット測定タスクの指定された実行時間を延長し、第二のターゲット測定タスクの実行時間が延長された後に得られる時間において第二のターゲット測定タスクを実行する。ここで、任意の測定タスクの実行時間は、端末装置１４００がその測定タスクを実行し始める瞬間から、端末装置１４００がその測定タスクの実行を終了する瞬間までの時間である；または
第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られる時間において第一のターゲット測定タスクを実行し、第二のターゲット測定タスクの実行時間が延長された後に得られる時間において第二のターゲット測定タスクを実行する。ここで、第二の継続時間は第一の継続時間より長い；または
第一のターゲット測定タスクに割り当てられた資源を使って第一のターゲット測定タスクを実行し、第二のターゲット測定タスクに割り当てられた資源を使って第二のターゲット測定タスクを実行する。ここで、第一のターゲット測定タスクに割り当てられた資源は、第二のターゲット測定タスクに割り当てられた資源よりも大きく、資源は、計算資源、記憶資源、通信資源、および測定ギャップのうちの少なくとも一つを含む。
【０３５２】
第一のターゲット測定タスクは、第一の測定タスクおよび第二の測定タスクのいずれかであり、第二のターゲット測定タスクは、第一の測定タスクおよび第二の測定タスクのうち、第一のターゲット測定タスクとは異なる他方である。
【０３５３】
任意的に、プロセッサ１４０２はさらに：
第一のターゲット測定タスクを優先的に実行する前に、第一のターゲット測定タスクを決定するよう構成され、第一のターゲット測定タスクを決定することは下記を含む：
第一の測定要求が受信された時刻が、第二の測定要求が受信された時刻よりも早いと判断する場合、第一の測定タスクを第一のターゲット測定タスクとして決定する；または
第二の測定要求が受信された時刻が、第一の測定要求が受信された時刻より遅いと判断する場合、第二の測定タスクを第一のターゲット測定タスクとして決定する；または
第一の測定タスクの優先度および第二の測定タスクの優先度を決定し、第一の測定タスクの優先度および第二の測定タスクの優先度に基づいて、優先度がより高い測定タスクを第一のターゲット測定タスクとして決定する；または
トランシーバ１４０１を使って、第一の測定タスクを開始する装置に第一の衝突メッセージを送信し、ここで、第一の衝突メッセージは、端末装置１４００が第二の測定要求を受信したことを示すために使用され；トランシーバ１４０１を使って、第一の測定タスクを開始する装置によって返される第一の測定構成メッセージを受信し、ここで、第一の測定構成メッセージは、端末装置１４００に、第一のターゲット測定タスクを優先的に実行するよう命令するために使用され；第一の測定構成メッセージに基づいて第一のターゲット測定タスクを決定する；または
トランシーバ１４０１を使って、第二の測定タスクを開始する装置に第二の衝突メッセージを送信し、ここで、第二の衝突メッセージは、端末装置１４００が第一の測定要求を受信したことを示すために使用され；トランシーバ１４０１を使って、第二の測定タスクを開始する装置によって返される第二の測定構成メッセージを受信し、ここで、第二の測定構成メッセージは、端末装置１４００に、第一のターゲット測定タスクを優先的に実行するよう命令するために使用され；第二の測定構成メッセージに基づいて第一のターゲット測定タスクを決定する；または
トランシーバ１４０１を使って、第三の衝突メッセージを、端末装置１４００にサービスする基地局に送信し、第三の衝突メッセージは、端末装置１４００が第一の測定要求および第二の測定要求を受信したことを示すために使用され；トランシーバ１４０１を使って、基地局によって返される第三の測定構成メッセージを受信し、ここで、第三の測定構成メッセージは、端末装置１４００に、第一のターゲット測定タスクを優先的に実行するよう命令するために使用され；第三の測定構成メッセージに基づいて、第一のターゲット測定タスクを決定する。
【０３５４】
任意的に、第一の衝突メッセージはさらに、第二の測定タスクの優先度、または第二の測定タスクの優先度および第一の測定タスクの優先度を含む；または
第二の衝突メッセージはさらに、第一の測定タスクの優先度、または第一の測定タスクの優先度および第二の測定タスクの優先度を含む；または
第三の衝突メッセージはさらに、第一の測定タスクの優先度および第二の測定タスクの優先度を含む。
【０３５５】
任意的に、第一の測定タスクの優先度を決定するとき、プロセッサ１４０２は、具体的には：
第一の測定要求に含まれる、第一の測定タスクの優先度を判別する；または
トランシーバ１４０１を使って、第一の測定タスクを開始する装置に対して優先度要求を送信し、第一の測定タスクを開始する装置によって返される、第一の測定タスクの優先度を担持する優先度応答を受信する、
よう構成され；
【０３５６】
第二の測定タスクの優先度を決定するとき、プロセッサ１４０２は、具体的には：
第二の測定要求に含まれる、第二の測定タスクの優先度を判別する；または
トランシーバ１４０１を使って、第二の測定タスクを開始する装置に対して優先度要求を送信し、第二の測定タスクを開始する装置によって返される、第二の測定タスクの優先度を担持する優先度応答を受信する、
よう構成される。
【０３５７】
任意的に、第一のターゲット測定タスクを実行するとき、プロセッサ１４０２は、具体的には：
第一の測定ギャップにおいて第一のターゲット測定タスクを実行するよう構成される。
【０３５８】
任意的に、第一の測定ギャップは、第一の測定タスクを開始する装置、または端末装置１４００にサービスする基地局によって端末装置１４００のために、第一の測定タスクについて、構成される。
【０３５９】
任意的に、第一のターゲット測定タスクが第二の測定タスクである場合、プロセッサ１４０２は、さらに、以下のように構成される：
第一の測定ギャップにおいて第一のターゲット測定タスクを実行する前に、トランシーバ１４０１を使って第二の測定タスクのために、第一の測定ギャップ構成要求を、第二の測定タスクを開始する装置または端末装置１４００にサービスする基地局に送信し；
トランシーバ１４０１を使って、第二の測定タスクを開始する装置または基地局によって送信された第一の測定ギャップ構成情報を受信し；
第一の測定ギャップ設定情報に基づいて、第一の測定ギャップを決定する。
【０３６０】
任意的に、プロセッサ１４０２が第二のターゲット測定タスクを実行することは：
前記第一の測定ギャップにおいて第二のターゲット測定タスクを実行する；または
第二の測定ギャップにおいて第二のターゲット測定タスクを実行することを含み、ここで、前記第二の測定ギャップは前記第一の測定ギャップとは異なる。
【０３６１】
任意的に、プロセッサ１４０２は、さらに：
第二の測定ギャップにおいて第二のターゲット測定タスクを実行する前に、第二のターゲット測定タスクのために、トランシーバ１４０１を使って、第二の測定ギャップ構成要求を、第二のターゲット測定タスクを開始する装置または端末装置１４００にサービスする基地局に送信し；
トランシーバ１４０１を使って、第二の測定タスクを開始する装置または基地局によって送信された第二の測定ギャップ構成情報を受信し；
第二の測定ギャップ構成情報に基づいて、第二の測定ギャップを決定する、
よう構成される。
【０３６２】
任意的に、プロセッサ１４０２が第一のターゲット測定タスクを実行し、第二のターゲット測定タスクの実行を拒否する場合、プロセッサ１４０２はさらに：
トランシーバ１４０１を使って、第一の測定レポート受信指示を第二のターゲット測定タスクを開始する装置に送信するよう構成され、ここで、第一の測定レポート受信指示は、第二のターゲット測定タスクを開始する装置に、第二のターゲット測定タスクの測定レポートの受信をスキップするよう命令するために使われる；または
【０３６３】
プロセッサ１４０２が、第一のターゲット測定タスクを実行し、第一のターゲット測定タスクの実行終了後に第二のターゲット測定タスクを実行する場合、または、プロセッサ１４０２が、第一のターゲット測定タスクの指定された実行時間内に第一のターゲット測定タスクを実行し、第二のターゲット測定タスクの指定された実行時間を延長し、第二のターゲット測定タスクの実行時間が延長された後に得られる時間内に第二のターゲット測定タスクを実行する場合、プロセッサ１４０２はさらに：
トランシーバ１４０１を使って、第二のターゲット測定タスクを開始する装置に第二の測定レポート受信指示を送信するよう構成され、ここで、第二の測定レポート受信指示は、第二のターゲット測定タスクを開始する装置に、第二のターゲット測定タスクの測定レポートを受信するための時間を延長するよう命令するために使用される；または
【０３６４】
プロセッサ１４０２が、第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られる時間内に第一のターゲット測定タスクを実行し、第二のターゲット測定タスクの実行時間が延長された後に得られる時間内に第二のターゲット測定タスクを実行する場合、プロセッサ１４０２はさらに：
トランシーバ１４０１を使って、第一のターゲット測定タスクを開始する装置に第三の測定レポート受信指示を送信し、第二のターゲット測定タスクを開始する装置に該第三の測定レポート受信指示を送信するよう構成され、ここで、第三の測定レポート受信指示は、第一のターゲット測定タスクを開始する装置に対して、第一のターゲット測定タスクの測定レポートを受信するための時間を延長するよう命令するために使用され、第四の測定レポート受信指示は、第二のターゲット測定タスクを開始する装置に対して、第二のターゲット測定タスクの測定レポートを受信するための時間を延長するよう命令するために使用される。
【０３６５】
任意的に、第三の測定レポート受信指示はさらに前記第一の継続時間を含む、および／または第四の測定レポート受信指示はさらに前記第二の継続時間を含む。
【０３６６】
任意的に、第一の測定タスクおよび第二の測定タスクは、それぞれ、位置決め測定タスクおよび非位置決め測定タスクのいずれかである。
【０３６７】
メモリ１４０３は、プログラム命令などを記憶するよう構成される。具体的には、プログラム命令はプログラム・コードを含んでいてもよく、プログラム・コードはコンピュータ動作命令を含む。メモリ１４０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１４０２は、上記の諸機能を実装するために、メモリ１４０３に記憶されたプログラム命令を実行し、それによって、上記の諸実施形態において提供される測定方法を実施する。
【０３６８】
本願のこの実施形態は、端末装置を提供する。端末装置が、二つの測定タスクを開始する装置によって送信された測定要求を同時にまたは相次いで受信した後、端末装置は、二つの測定タスクのいずれかを優先的に実行することができ、それにより、測定タスクの達成の品質を保証する。このように、二つの測定タスクを開始する装置が、端末装置に、対応する二つの測定タスクを実行するよう命令するとき、端末装置は、二つの測定タスクを実行するプロセスにおける衝突を回避することができ、それにより、端末装置の測定効率を確保することができる。
【０３６９】
上記の諸実施形態に基づいて、本願のある実施形態は、さらに、開始装置を提供する。開始装置は、図３に示される測定方法を実装するよう構成され、図９に示される開始装置９００の機能をもつ。図１５に示されるように、開始装置１５００は、通信モジュール１５０１、プロセッサ１５０２およびメモリ１５０３を含む。通信モジュール１５０１、プロセッサ１５０２、およびメモリ１５０３は、互いに接続される。
【０３７０】
任意的に、通信モジュール１５０１、プロセッサ１５０２、およびメモリ１５０３は、バス１５０４を使って互いに接続される。バス１５０４は、周辺コンポーネント相互接続（peripheral  component  interconnect、PCI）バス、拡張業界標準アーキテクチャー（extended  industry  standard  architecture、EISA）バスなどであってもよい。バスは、アドレスバス、データバス、制御バスなどに分類することができる。表現の簡単のため、図１５においてバスを表わすためには１本の太線のみが使用されているが、これは１本のみのバスまたは一つの型のみのバスがあることを意味するものではない。
【０３７１】
通信モジュール１５０１は、他の装置との通信を実施するために、データを受信し、送信するよう構成される。任意的に、通信モジュール１５０１はトランシーバまたは通信インターフェースであってもよい。たとえば、開始装置が基地局であるときは、通信モジュール１５０１はトランシーバであり；あるいは開始装置がサーバーであるときは、通信モジュール１５０１は通信インターフェースである。
【０３７２】
プロセッサ１５０２は、図３に示される測定方法を実装するよう構成され、具体的には：
測定タスクの優先度を決定し；
通信モジュール１５０１を使って、測定タスクのための測定要求を端末装置に送信するよう構成され、測定要求は測定タスクの優先度を含む。
【０３７３】
メモリ１５０３は、プログラム命令などを記憶するよう構成される。具体的には、プログラム命令はプログラム・コードを含んでいてもよく、プログラム・コードはコンピュータ動作命令を含む。メモリ１５０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１５０２は、上記の諸機能を実装するために、メモリ１５０３に記憶されたプログラム命令を実行し、それによって、上記の諸実施形態において提供される測定方法を実施する。
【０３７４】
本願のこの実施形態は、開始装置を提供する。開始装置は、測定要求に測定タスクの優先度を追加し、その後、測定要求を端末装置に送信してもよい。このようにして、端末装置は、測定要求に基づいて測定タスクの優先度を決定することができ、それにより、測定タスクの優先度に基づいて優先的に実行されるべき測定タスクを決定することができる。
【０３７５】
上記の諸実施形態に基づいて、本願のある実施形態は、さらに、開始装置を提供する。開始装置は、図４に示される測定方法を実装するよう構成され、図１０に示される開始装置１０００の機能をもつ。図１６に示されるように、開始装置１６００は、通信モジュール１６０１、プロセッサ１６０２およびメモリ１６０３を含む。通信モジュール１６０１、プロセッサ１６０２、およびメモリ１６０３は、互いに接続される。
【０３７６】
任意的に、通信モジュール１６０１、プロセッサ１６０２およびメモリ１６０３はバス１６０４を使って互いに接続される。バス１６０４は、周辺コンポーネント相互接続（peripheral  component  interconnect、PCI）バス、拡張業界標準アーキテクチャー（extended  industry  standard  architecture、EISA）バスなどであってもよい。バスは、アドレスバス、データバス、制御バスなどに分類することができる。表現の簡単のため、図１６においてバスを表わすためには１本の太線のみが使用されているが、これは１本のみのバスまたは一つの型のみのバスがあることを意味するものではない。
【０３７７】
通信モジュール１６０１は、他の装置との通信を実施するために、データを受信し、送信するよう構成される。任意的に、通信モジュール１６０１はトランシーバまたは通信インターフェースであってもよい。たとえば、開始装置が基地局であるときは、通信モジュール１６０１はトランシーバであり；あるいは開始装置がサーバーであるときは、通信モジュール１６０１は通信インターフェースである。
【０３７８】
プロセッサ１６０２は、図４に示される測定方法を実装するよう構成され、具体的には：
通信モジュール１０６１を使って、測定タスクのための測定要求を端末装置に送信した後、通信モジュール１６０１を使って、端末装置によって送信された優先度要求を受信し；
測定タスクの優先度を決定し、通信モジュール１６０１を使って測定タスクの優先度を担持する優先度応答を端末装置に送信するよう構成される。
【０３７９】
メモリ１６０３は、プログラム命令などを記憶するよう構成される。具体的には、プログラム命令はプログラム・コードを含んでいてもよく、プログラム・コードはコンピュータ動作命令を含む。メモリ１６０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１６０２は、上記の諸機能を実装するために、メモリ１６０３に記憶されたプログラム命令を実行し、それによって、上記の諸実施形態において提供される測定方法を実施する。
【０３８０】
本願のこの実施形態は、開始装置を提供する。端末装置が、開始装置によって開始される測定タスクの優先度を開始装置に要求するとき、開始装置は、測定タスクの優先度を端末装置に送信する。このようにして、端末装置は、測定タスクの優先度に基づいて、優先的に実行されるべき測定タスクを決定することができる。
【０３８１】
上記の諸実施形態に基づいて、本願のある実施形態は、さらに、開始装置を提供する。開始装置は、図５に示される測定方法を実装するよう構成され、図１１に示される開始装置の機能をもつ。図１７に示されるように、開始装置１７００は、通信モジュール１７０１、プロセッサ１７０２およびメモリ１７０３を含む。通信モジュール１７０１、プロセッサ１７０２、およびメモリ１７０３は、互いに接続される。
【０３８２】
任意的に、通信モジュール１７０１、プロセッサ１７０２、およびメモリ１７０３は、バス１７０４を使って互いに接続される。バス１７０４は、周辺コンポーネント相互接続（peripheral  component  interconnect、PCI）バス、拡張業界標準アーキテクチャー（extended  industry  standard  architecture、EISA）バスなどであってもよい。バスは、アドレスバス、データバス、制御バスなどに分類することができる。表現の簡単のため、図１７においてバスを表わすためには１本の太線のみが使用されているが、これは１本のみのバスまたは一つの型のみのバスがあることを意味するものではない。
【０３８３】
通信モジュール１７０１は、他の装置との通信を実施するために、データを受信し、送信するよう構成される。任意的に、通信モジュール１７０１はトランシーバまたは通信インターフェースであってもよい。たとえば、開始装置が基地局であるときは、通信モジュール１７０１はトランシーバであり；あるいは開始装置がサーバーであるときは、通信モジュール１７０１は通信インターフェースである。
【０３８４】
プロセッサ１７０２は、図５に示される測定方法を実装するよう構成され、具体的には以下のように構成される：
通信モジュール１７０１を使って、測定タスクのための測定要求を端末装置に送信し；
通信モジュール１７０１を使って、端末装置によって送信された第一の測定レポート受信指示を受信し、第一の測定レポート受信指示に従って、測定タスクの測定レポートを受信し、ここで、第一の測定レポート受信指示は、開始装置に、測定タスクの測定レポートの受信をスキップするよう命令するために使用される；または
通信モジュール１７０１を使って、端末装置によって送信された第二の測定レポート受信指示を受信し、第二の測定レポート受信指示に従って、測定タスクの測定レポートを受信するための指定された時間を延長し、ここで、第二の測定レポート受信指示は、開始装置に、測定タスクの測定レポートを受信するための時間を延長するよう命令するために使用される。
【０３８５】
任意的に、第二の測定レポート受信指示は、継続時間をさらに含み；
第二の測定レポート受信指示に従って、測定タスクの測定レポートを受信するための指定された時間を延長するとき、プロセッサ１７０２は、具体的には：
測定タスクの測定レポートを受信するための指定された時間を前記継続時間だけ延長する、
よう構成される。
【０３８６】
メモリ１７０３は、プログラム命令などを記憶するよう構成される。具体的には、プログラム命令はプログラム・コードを含んでいてもよく、プログラム・コードはコンピュータ動作命令を含む。メモリ１７０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１７０２は、上記の諸機能を実装するために、メモリ１７０３に記憶されたプログラム命令を実行し、それによって、上記の諸実施形態において提供される測定方法を実施する。
【０３８７】
本願のこの実施形態は、開始装置を提供する。開始装置は、受信された測定レポート受信指示に従って、第三の測定タスクの実行状態を知り、測定レポートを時間内に受信するための時間を調整するか、または測定レポートを受信することをスキップし、それにより測定レポートを受信することおよび測定レポートを受信するのを待つことのにおいて消費される電力を削減することができる。
【０３８８】
上記の諸実施形態に基づいて、本願のある実施形態は、さらに、開始装置を提供する。開始装置は、図６に示される測定方法を実装するよう構成され、図１２に示される開始装置１２００の機能をもつ。図１８に示されるように、開始装置１８００は、通信モジュール１８０１、プロセッサ１８０２およびメモリ１８０３を含む。通信モジュール１８０１、プロセッサ１８０２、およびメモリ１８０３は互いに接続される。
【０３８９】
任意的に、通信モジュール１８０１、プロセッサ１８０２、およびメモリ１８０３は、バス１８０４を使って互いに接続される。バス１８０４は、周辺コンポーネント相互接続（peripheral  component  interconnect、PCI）バス、拡張業界標準アーキテクチャー（extended  industry  standard  architecture、EISA）バスなどであってもよい。バスは、アドレスバス、データバス、制御バスなどに分類することができる。表現の簡単のため、図１８においてバスを表わすためには１本の太線のみが使用されているが、これは１本のみのバスまたは一つの型のみのバスがあることを意味するものではない。
【０３９０】
通信モジュール１８０１は、他の装置との通信を実施するために、データを受信し、送信するよう構成される。任意的に、通信モジュール１８０１はトランシーバまたは通信インターフェースであってもよい。たとえば、開始装置が基地局であるときは、通信モジュール１８０１はトランシーバであり；あるいは開始装置がサーバーであるときは、通信モジュール１８０１は通信インターフェースである。
【０３９１】
プロセッサ１８０２は、図６に示される測定方法を実装するよう構成され、具体的には、下記のように構成される：
通信モジュール１８０１を使って、第三の測定タスクのための測定要求を端末装置に送信する；
通信モジュール１８０１を使って、端末装置、第四の測定タスクを開始する装置、または、端末装置にサービスする基地局によって送信された衝突メッセージを受信する。ここで、衝突メッセージは、端末装置が第四の測定タスクのための測定要求を受信したことを示すために使用される；
第一のターゲット測定タスクを決定する。ここで、第一のターゲット測定タスクは、第三の測定タスクおよび第四の測定タスクのいずれかである；
通信モジュール１８０１を使って、測定構成メッセージを、端末装置、第四の測定タスクを開始する装置、または基地局に送信する。ここで、測定構成メッセージは、端末装置に第一のターゲット測定タスクを優先的に実行するよう命令するために使用される。
【０３９２】
任意的に、第一のターゲット測定タスクを決定するとき、プロセッサ１８０２は、具体的には：
第三の測定タスクの優先度および第四の測定タスクの優先度を決定し；
第三の測定タスクの優先度および第四の測定タスクの優先度に基づいて、優先度がより高い測定タスクを第一のターゲット測定タスクとして決定する、
よう構成される。
【０３９３】
任意的に、第三の測定タスクの優先度を決定するとき、プロセッサ１８０２は、具体的には：
第三の測定タスクの格納された優先度を判別する；または
衝突メッセージに含まれる、第三の測定タスクの優先度を判別する、
よう構成される。
【０３９４】
第四の測定タスクの優先度を決定するとき、プロセッサ１８０２は、具体的には：
第四の測定タスクの格納された優先度を判別する；または
衝突メッセージに含まれる、第四の測定タスクの優先度を決定する、
よう構成される。
【０３９５】
任意的に、第一のターゲット測定タスクが第三の測定タスクである場合、プロセッサ１８０２は、さらに：
通信モジュール１８０１を使って、第三の測定タスクの測定レポートを受け取るための指定された時間内に、第三の測定タスクの測定レポートを受け取るよう構成される；または
第一のターゲット測定タスクが第四の測定タスクである場合、プロセッサ１８０２は、さらに：
第三の測定タスクの測定レポートの受信をスキップする；または
第三の測定タスクの測定レポートを受信するための指定された時間を延長する、
よう構成される。
【０３９６】
任意的に、プロセッサ１８０１はさらに、下記のように構成される：
測定構成メッセージを端末装置、第四の測定タスクを開始する装置、または基地局に送信した後、端末装置によって送信された第一の測定レポート受信指示を通信モジュール１８０１を使って受信し、第一の測定レポート受信指示に従って、第三の測定タスクの測定レポートを受信することをスキップする。ここで、第一の測定レポート受信指示は、第三の測定タスクの測定レポートの受信をスキップするよう開始装置に命令するために使用される；または
測定構成メッセージを端末装置、第四の測定タスクを開始する装置、または基地局に送信した後、端末装置によって送信された第二の測定レポート受信指示を通信モジュール１８０１を使って受信し、第二の測定レポート受信指示に従って、第三の測定タスクの測定レポートを受信するための指定された時間を延長する。ここで、第二の測定レポート受信指示は、第三の測定タスクの測定レポートを受信するための時間を延長するよう開始装置に命令するために使用される。
【０３９７】
任意的に、第二の測定レポート受信指示はさらに継続時間を含み；
第二の測定レポート受信指示に従って、第三の測定タスクの測定レポートを受信するための指定された時間を延長するとき、プロセッサ１８０２は具体的には：
第三の測定タスクの測定レポートを受信するための指定された時間を、前記継続時間だけ延長するよう構成される。
【０３９８】
メモリ１８０３は、プログラム命令などを記憶するよう構成される。具体的には、プログラム命令はプログラム・コードを含んでいてもよく、プログラム・コードはコンピュータ動作命令を含む。メモリ１８０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１８０２は、上記の諸機能を実装するために、メモリ１８０３に記憶されたプログラム命令を実行し、それによって、上記の諸実施形態において提供される測定方法を実施する。
【０３９９】
本願のこの実施形態は、開始装置を提供する。開始装置は端末装置に、第一のターゲット測定タスクを優先的に実行するよう命令することができる。よって、端末装置は、二つの測定タスクのいずれかを優先的に実行することができ、それにより、測定タスクの達成の品質を保証する。このように、二つの測定タスクを開始する装置が、端末装置に、対応する二つの測定タスクを実行するよう命令するとき、端末装置は、二つの測定タスクを実行するプロセスにおける衝突を回避することができ、それにより、端末装置の測定効率を確保することができる。
【０４００】
上記の諸実施形態に基づいて、本願のある実施形態は、さらに、基地局を提供する。基地局は、図７に示される測定方法を実装するよう構成され、図１３に示される基地局１３００の機能をもつ。図１９に示されるように、基地局１９００は、トランシーバ１９０１、プロセッサ１９０２およびメモリ１９０３を含む。トランシーバ１９０１、プロセッサ１９０２、およびメモリ１９０３は、互いに接続される。
【０４０１】
任意的に、トランシーバ１９０１、プロセッサ１９０２、およびメモリ１９０３は、バス１９０４を使って互いに接続される。バス１９０４は、周辺コンポーネント相互接続（peripheral  component  interconnect、PCI）バス、拡張業界標準アーキテクチャー（extended  industry  standard  architecture、EISA）バスなどであってもよい。バスは、アドレスバス、データバス、制御バスなどに分類することができる。表現の簡単のため、図１９においてバスを表わすためには１本の太線のみが使用されているが、これは１本のみのバスまたは一つの型のみのバスがあることを意味するものではない。
【０４０２】
トランシーバ１９０１は、他の装置との通信を実施するために、データを受信し、送信するよう構成される。
【０４０３】
プロセッサ１９０２は、図７に示される測定方法を実装するよう構成され、具体的には下記のように構成される：
端末装置によって送信された衝突メッセージをトランシーバ１９０１を使って受信する。ここで、第三の衝突メッセージは、端末装置が第一の測定タスクのための第一の測定要求および第二の測定タスクのための第二の測定要求を受信したことを示すために使用される；
第一のターゲット測定タスクを決定する。ここで、第一のターゲット測定タスクは、第一の測定タスクおよび第二の測定タスクのいずれかである；
トランシーバ１９０１を使って測定構成メッセージを端末装置に送信する。ここで、測定構成メッセージは、端末装置に、第一のターゲット測定タスクを優先的に実行するよう命令するために使用される。
【０４０４】
任意的に、第一のターゲット測定タスクを決定するとき、プロセッサ１９０２は、具体的には：
第一の測定タスクの優先度および第二の測定タスクの優先度を決定し；
第一の測定タスクの優先度および第二の測定タスクの優先度に基づいて、優先度がより高い測定タスクを第一のターゲット測定タスクとして決定する、
よう構成される。
【０４０５】
任意的に、第一の測定タスクの優先度および第二の測定タスクの優先度を決定するとき、プロセッサ１９０２は、具体的には：
第一の測定タスクの格納された優先度および第二の測定タスクの格納された優先度を判別する；または
衝突メッセージに含まれる第一の測定タスクの優先度および第二の測定タスクの優先度を判別する、
よう構成される。
【０４０６】
メモリ１９０３は、プログラム命令などを記憶するよう構成される。具体的には、プログラム命令はプログラム・コードを含んでいてもよく、プログラム・コードはコンピュータ動作命令を含む。メモリ１９０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１９０２は、上記の諸機能を実装するために、メモリ１９０３に記憶されたプログラム命令を実行し、それによって、上記の諸実施形態において提供される測定方法を実施する。
【０４０７】
本願のこの実施形態は、基地局をさらに提供する。基地局は端末装置に、第一のターゲット測定タスクを優先的に実行するよう命令することができる。よって、端末装置は、二つの測定タスクのいずれかを優先的に実行することができ、それにより、測定タスクの達成の品質を保証する。このように、二つの測定タスクを開始する装置が、端末装置に、対応する二つの測定タスクを実行するよう命令するとき、端末装置は、二つの測定タスクを実行するプロセスにおける衝突を回避することができ、それにより、端末装置の測定効率を確保することができる。
【０４０８】
結論として、本願の実施形態は、測定方法および装置を提供する。この方法では、端末装置が、二つの測定タスクを開始する装置によって送信された測定要求を同時にまたは相次いで受信した後、端末装置は、二つの測定タスクのいずれかを優先的に実行することができ、それにより、測定タスクの達成の品質を保証する。このように、二つの測定タスクを開始する装置が、端末装置に、対応する二つの測定タスクを実行するように指示する場合、端末装置は、二つの測定タスクを実行するプロセスにおける衝突を回避することができ、それにより、端末装置の測定効率を確保することができる。
【０４０９】
当業者は、本願の実施形態が、方法、システムまたはコンピュータ・プログラム製品として提供されうることを理解するはずである。よって、本願は、ハードウェアのみの実施形態、ソフトウェアのみの実施形態、またはソフトウェアとハードウェアの組み合わせを有する実施形態の形を使用することができる。さらに、本願は、コンピュータ使用可能プログラム・コードを含む、一つまたは複数のコンピュータ使用可能記憶媒体（ディスク・メモリ、CD-ROM、光メモリなどを含むが、これらに限定されない）上に実装されるコンピュータ・プログラム製品の形を使用することができる。
【０４１０】
本願は、本願の実施形態に基づく方法、装置（システム）、およびコンピュータ・プログラム製品のフローチャートおよび／またはブロック図を参照して記述されている。フローチャートおよび／またはブロック図の各プロセスおよび／または各ブロック、およびフローチャートおよび／またはブロック図のプロセスおよび／またはブロックの組み合わせを実装するためにコンピュータ・プログラム命令が使用されうることを理解しておくべきである。これらのコンピュータ・プログラム命令は、汎用コンピュータ、専用コンピュータ、埋め込みプロセッサ、または別のプログラマブル・データ処理装置のプロセッサが機械を生成するために提供されることができ、その結果、前記コンピュータまたは前記別のプログラマブル・データ処理装置の前記プロセッサによって実行される前記命令は、フローチャート内の一つまたは複数のプロセスおよび／またはブロック図内の一つまたは複数のブロックにおける特定の機能を実装するための装置を生成する。
【０４１１】
これらのコンピュータ・プログラム命令は、前記コンピュータまたは前記別のプログラマブル・データ処理装置に、特定の仕方で動作するように命令することができるコンピュータ可読メモリに記憶されてもよく、それにより、コンピュータ可読メモリに記憶された命令は、命令装置を含む製造物を生成する。前記命令装置は、フローチャート中の一つまたは複数のプロセスおよび／またはブロック図中の一つまたは複数のブロックにおける特定の機能を実装する。
【０４１２】
これらのコンピュータ・プログラム命令は、コンピュータまたは別のプログラマブル・データ処理装置にロードされてもよく、それにより、一連の動作およびステップが前記コンピュータまたは前記別のプログラマブル装置上で実行され、それにより、コンピュータ実装された処理を生成する。よって、前記コンピュータまたは前記別のプログラマブル装置上で実行される命令は、フローチャートの一つまたは複数のプロセスおよび／またはブロック図の一つまたは複数のブロックにおける特定の機能を実装するためのステップを提供する。
【０４１３】
明らかに、当業者は、本願の実施形態の精神および範囲から逸脱することなく、本願の実施形態にさまざまな修正および変更を加えることができる。よって、本願は、以下の請求項およびそれらの等価な技術によって定義される保護の範囲内はいる限り、これらの修正および変形をカバーすることが意図されている。
【図１】
2020519143.tif 000003
【図２】
2020519143.tif 000004
【図３】
2020519143.tif 000005
【図４】
2020519143.tif 000006
【図５】
2020519143.tif 000007
【図６】
2020519143.tif 000008
【図７】
2020519143.tif 000009
【図８】
2020519143.tif 000010
【図９】
2020519143.tif 000011
【図１０】
2020519143.tif 000012
【図１１】
2020519143.tif 000013
【図１２】
2020519143.tif 000014
【図１３】
2020519143.tif 000015
【図１４】
2020519143.tif 000016
【図１５】
2020519143.tif 000017
【図１６】
2020519143.tif 000018
【図１７】
2020519143.tif 000019
【図１８】
2020519143.tif 000020
【図１９】
2020519143.tif 000021
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
測定方法であって：
端末装置が、第一の測定タスクを開始する装置によって送信された第一の測定要求を受信した後、第一の測定タスクが終わっていないときに、第二の測定タスクを開始する装置によって送信された第二の測定要求を前記端末装置によって受信する；または、前記第一の測定要求および前記第二の測定要求を前記端末装置によって同時に受信する、段階と；
前記端末装置によって、第一のターゲット測定タスクを優先的に実行する段階とを含み、
前記端末装置によって、前記第一のターゲット測定タスクを優先的に実行する前記段階は：
前記端末装置によって、前記第一のターゲット測定タスクを実行し、第二のターゲット測定タスクの実行をスキップすること；または
前記端末装置によって、まず前記第一のターゲット測定タスクを実行し、次いで、前記第一のターゲット測定タスクが終わった後に前記第二のターゲット測定タスクを実行すること；または
前記端末装置によって、前記第一のターゲット測定タスクの指定された実行時間において前記第一のターゲット測定タスクを実行し、前記第二のターゲット測定タスクの指定された実行時間を延長し、前記第二のターゲット測定タスクの実行時間が延長された後に得られる時間において前記第二のターゲット測定タスクを実行すること；または
前記第一のターゲット測定タスクの実行時間が第一の継続時間だけ延長された後に得られる時間において、前記端末装置によって、前記第一のターゲット測定タスクを実行し、前記第二のターゲット測定タスクの実行時間が第二の継続時間だけ延長された後に得られる時間において、前記第二のターゲット測定タスクを実行することであって、前記第二の継続時間は前記第一の継続時間より長い、こと；または
前記端末装置によって、前記第一のターゲット測定タスクに割り当てられた資源を使って前記第一のターゲット測定タスクを実行し、前記第二のターゲット測定タスクに割り当てられた資源を使って前記第二のターゲット測定タスクを実行することであって、前記第一のターゲット測定タスクに割り当てられた資源は、前記第二のターゲット測定タスクに割り当てられた資源よりも大きく、資源は、計算資源、記憶資源、通信資源、および測定ギャップのうちの少なくとも一つを含むこと、
を含み、
前記第一のターゲット測定タスクは、前記第一の測定タスクおよび前記第二の測定タスクのうちの任意のものであり、前記第二のターゲット測定タスクは、前記第一の測定タスクおよび前記第二の測定タスクのうち、前記第一のターゲット測定タスクとは異なる他方である、
方法。
【請求項２】
前記端末装置によって、前記第一のターゲット測定タスクを優先的に実行する前に、当該方法はさらに：
前記端末装置によって、前記第一のターゲット測定タスクを決定することを含み、前記第一のターゲット測定タスクを決定することは：
前記端末装置が、前記第一の測定要求が受信された時刻が、前記第二の測定要求が受信された時刻より早いことを判別する場合、前記端末装置によって前記第一の測定タスクを前記第一のターゲット測定タスクとして決定すること；または
前記端末装置が、前記第二の測定要求が受信された時刻が、前記第一の測定要求が受信された時刻より遅いことを判別する場合、前記端末装置によって前記第二の測定タスクを前記第一のターゲット測定タスクとして決定すること；または
前記端末装置によって、前記第一の測定タスクの優先度および前記第二の測定タスクの優先度を決定し、前記第一の測定タスクの優先度および前記第二の測定タスクの優先度に基づいて、より高い優先度をもつ測定タスクを前記第一のターゲット測定タスクとして決定すること；または
前記端末装置によって、前記第一の測定タスクを開始する装置に、第一の衝突メッセージであって、該第一の衝突メッセージは前記端末装置が前記第二の測定要求を受信したことを示す、第一の衝突メッセージを送信し；前記第一の測定タスクを開始する装置によって返される第一の測定構成メッセージであって、該第一の測定構成メッセージは前記端末装置に前記第一のターゲット測定タスクを優先的に実行するよう命令するために使用される、第一の測定構成メッセージを受領し；前記第一の測定構成メッセージに基づいて前記第一のターゲット測定タスクを決定すること；または
前記端末装置によって、前記第二の測定タスクを開始する装置に、第二の衝突メッセージであって、該第二の衝突メッセージは前記端末装置が前記第一の測定要求を受信したことを示す、第二の衝突メッセージを送信し；前記第二の測定タスクを開始する装置によって返される第二の測定構成メッセージであって、該第二の測定構成メッセージは前記端末装置に前記第一のターゲット測定タスクを優先的に実行するよう命令するために使用される、第二の測定構成メッセージを受領し；前記第二の測定構成メッセージに基づいて前記第一のターゲット測定タスクを決定すること；または
前記端末装置によって、前記端末装置にサービスする基地局に、第三の衝突メッセージであって、該第三の衝突メッセージは、前記端末装置が前記第一の測定要求および前記第二の測定要求を受信したことを示す、第三の衝突メッセージを送信し；前記基地局によって返される第三の測定構成メッセージであって、該第三の測定構成メッセージは前記端末装置に前記第一のターゲット測定タスクを優先的に実行するよう命令するために使用される、第三の測定構成メッセージを受信し；前記第三の測定構成メッセージに基づいて、前記第一のターゲット測定タスクを決定することを含む、
請求項１記載の方法。
【請求項３】
前記第一の衝突メッセージがさらに、前記第二の測定タスクの優先度、または前記第二の測定タスクの優先度および前記第一の測定タスクの優先度を含む；または
前記第二の衝突メッセージがさらに、前記第一の測定タスクの優先度、または前記第一の測定タスクの優先度および前記第二の測定タスクの優先度を含む；または
前記第三の衝突メッセージがさらに、前記第一の測定タスクの優先度および前記第二の測定タスクの優先度を含む、
請求項２記載の方法。
【請求項４】
前記端末装置によって、前記第一の測定タスクの優先度を決定することが：
前記端末装置によって、前記第一の測定要求に含まれる、前記第一の測定タスクの優先度を判別すること；または
前記端末装置によって、前記第一の測定タスクを開始する装置に優先度要求を送信し、前記第一の測定タスクを開始する装置によって返される、前記第一の測定タスクの優先度を担持する優先度応答を受信することを含み；
前記端末装置によって、前記第二の測定タスクの優先度を決定することが：
前記端末装置によって、前記第二の測定要求に含まれる、前記第二の測定タスクの優先度を判別すること；または
前記端末装置によって、前記第二の測定タスクを開始する装置に優先度要求を送信し、前記第二の測定タスクを開始する装置によって返される、前記第二の測定タスクの優先度を担持する優先度応答を受信することを含む、
請求項２記載の方法。
【請求項５】
前記端末装置によって、前記第一のターゲット測定タスクを実行することが：
前記端末装置によって、第一の測定ギャップにおいて前記第一のターゲット測定タスクを実行することを含む、
請求項１ないし４のうちいずれか一項記載の方法。
【請求項６】
前記第一の測定ギャップは、前記第一の測定タスクを開始する装置、または前記端末装置にサービスする基地局によって、前記端末装置のために、前記第一の測定タスクについて、構成される、請求項５記載の方法。
【請求項７】
前記第一のターゲット測定タスクが前記第二の測定タスクである場合、前記端末装置によって、第一の測定ギャップにおいて前記第一のターゲット測定タスクを実行する前に、当該方法はさらに：
前記端末装置によって、前記第二の測定タスクのために、第一の測定ギャップ構成要求を、前記第二の測定タスクを開始する装置または前記端末装置にサービスを提供する基地局に送信し；
前記端末装置によって、前記第二の測定タスクを開始する装置または前記基地局によって送信された第一の測定ギャップ構成情報を受信し；
前記端末装置によって、前記第一の測定ギャップ構成情報に基づいて、前記第一の測定ギャップを決定することを含む、
請求項５記載の方法。
【請求項８】
前記端末装置によって、前記第二のターゲット測定タスクを実行することが：
前記端末装置によって、前記第一の測定ギャップにおいて前記第二のターゲット測定タスクを実行すること；または
前記端末装置によって、第二の測定ギャップにおいて前記第二のターゲット測定タスクを実行することであって、前記第二の測定ギャップは前記第一の測定ギャップとは異なる、ことを含む、
請求項５ないし７のうちいずれか一項記載の方法。
【請求項９】
前記端末装置によって、第二の測定ギャップにおいて前記第二のターゲット測定タスクを実行する前に、当該方法がさらに：
前記端末装置によって、前記第二のターゲット測定タスクのために、第二の測定ギャップ構成要求を、前記第二のターゲット測定タスクを開始する装置または前記端末装置にサービスする基地局に送信し；
前記端末装置によって、前記第二の測定タスクを開始する装置または前記基地局によって送信された第二の測定ギャップ構成情報を受信し；
前記端末装置によって、前記第二の測定ギャップ構成情報に基づいて、前記第二の測定ギャップを決定することを含む、
請求項８記載の方法。
【請求項１０】
前記端末装置が前記第一のターゲット測定タスクを実行し、前記第二のターゲット測定タスクの実行をスキップする場合、当該方法はさらに：
第一の測定レポート受信指示であって、該第一の測定レポート受信指示は、前記第二のターゲット測定タスクを開始する装置に、前記端末装置が前記第二のターゲット測定タスクの実行をスキップすることを通知するために使われる、第一の測定レポート受信指示を、前記端末装置によって、前記第二のターゲット測定タスクを開始する装置に送信することを含む；または
前記端末装置が前記第一のターゲット測定タスクを実行し、前記第一のターゲット測定タスクが終わった後に前記第二のターゲット測定タスクを実行する場合、または、前記端末装置が前記第一のターゲット測定タスクの指定された実行時間において前記第一のターゲット測定タスクを実行し、前記第二のターゲット測定タスクの指定された実行時間を延長することを決定し、前記第二のターゲット測定タスクの実行時間が延長された後に得られる時間内に前記第二のターゲット測定タスクを実行する場合、当該方法はさらに：
前記端末装置によって、前記第二のターゲット測定タスクを開始する装置に、第二の測定レポート受信指示であって、該第二の測定レポート受信指示は、前記第二のターゲット測定タスクを開始する装置に、前記第二のターゲット測定タスクの測定レポートを受信するための時間を延長するよう命令するために使用される、第二の測定レポート受信指示を送信することを含む；または
前記端末装置が、前記第一のターゲット測定タスクの実行時間が前記第一の継続時間だけ延長された後に得られる時間内に前記第一のターゲット測定タスクを実行し、前記第二のターゲット測定タスクの実行時間が前記第二の継続時間だけ延長された後に得られる時間内に前記第二のターゲット測定タスクを実行する場合、当該方法はさらに：
前記端末装置によって、第三の測定レポート受信指示を前記第一のターゲット測定タスクを開始する装置に送信し、第四の測定レポート受信指示を前記第二のターゲット測定タスクを開始する装置に送信することであって、前記第三の測定レポート受信指示は、前記第一のターゲット測定タスクを開始する装置に、前記第一のターゲット測定タスクの測定レポートを受信するための時間を延長するよう命令するために使用され、前記第四の測定レポート受信指示は、前記第二のターゲット測定タスクを開始する装置に、前記第二のターゲット測定タスクの測定レポートを受信するための時間を延長するよう命令するために使用される、ことを含む、
請求項１ないし９のうちいずれか一項記載の方法。
【請求項１１】
前記第三の測定レポート受信指示がさらに前記第一の継続時間を含むこと；
前記第四の測定レポート受信指示がさらに前記第二の継続時間を含むこと、
のうち少なくとも一方を含む、請求項１０記載の方法。
【請求項１２】
前記第一の測定タスクおよび前記第二の測定タスクは、それぞれ、位置決め測定タスクおよび非位置決め測定タスクのうちの任意のものである、請求項１ないし１１のうちいずれか一項記載の方法。
【請求項１３】
測定方法であって：
開始装置によって、測定タスクのための測定要求を端末装置に送信する段階と；
前記開始装置によって、前記端末装置によって送信された第一の測定レポート受信指示を受信する段階であって、前記第一の測定レポート受信指示は、前記端末装置が前記測定タスクの実行をスキップすることを前記開始装置に通知するために使用される、段階；または
前記開始装置によって、前記端末装置によって送信された第二の測定レポート受信指示を受信し、前記第二の測定レポート受信指示に基づいて、前記測定タスクの測定レポートを受信するための指定された時間を延長することを決定する段階であって、前記第二の測定レポート受信指示は、前記測定タスクの測定レポートを受信するための前記時間を延長するよう前記開始装置に命令するために使用される、段階とを含む、
方法。
【請求項１４】
前記第二の測定レポート受信指示はさらに継続時間を含み；
前記開始装置によって、前記第二の測定レポート受信指示に基づいて、前記測定タスクの測定レポートを受信するための指定された時間を延長することを決定することが：
前記開始装置によって、前記測定タスクの測定レポートを受信するための指定された時間を前記継続時間だけ延長することを決定することを含む、
請求項１３記載の方法。
【請求項１５】
測定方法であって：
開始装置によって、第三の測定タスクのための測定要求を端末装置に送信する段階と；
前記端末装置、第四の測定タスクを開始する装置、または、前記端末装置にサービスする基地局によって送信された衝突メッセージを受信する段階であって、前記衝突メッセージは、前記端末装置が前記第四の測定タスクのための測定要求を受信したことを示す、段階と；
前記開始装置によって、第一のターゲット測定タスクを決定する段階であって、前記第一のターゲット測定タスクは、前記第三の測定タスクおよび前記第四の測定タスクのうちの任意のものである、段階と：
前記開始装置によって、測定構成メッセージを、前記端末装置、前記第四の測定タスクを開始する装置、または前記基地局に送信する段階であって、前記測定構成メッセージは、前記端末装置に前記第一のターゲット測定タスクを優先的に実行するよう命令するために使用される、段階とを含む、
方法。
【請求項１６】
前記第一のターゲット測定タスクが前記第三の測定タスクである場合、当該方法はさらに：
前記開始装置によって、前記第三の測定タスクの測定レポートを受信するための指定された時間において前記第三の測定タスクの測定レポートを受信することを含む；または
前記第一のターゲット測定タスクが前記第四の測定タスクである場合、当該方法はさらに：
前記開始装置によって、前記第三の測定タスクの測定レポートの受信をスキップすること；もしくは
前記開始装置によって、前記第三の測定タスクの測定レポートを受信するための指定された時間を延長することを含む、
請求項１５記載の方法。
【請求項１７】
前記開始装置によって、測定構成メッセージを前記端末装置、前記第四の測定タスクを開始する装置、または前記基地局に送信した後、当該方法はさらに：
前記端末装置によって送信された第一の測定レポート受信指示を前記開始装置によって受信する段階であって、前記第一の測定レポート受信指示は、前記端末装置が前記第三の測定タスクの実行をスキップすることを前記開始装置に通知するために使用される、段階；または
前記端末装置によって送信された第二の測定レポート受信指示を前記開始装置によって受信し、前記第二の測定レポート受信指示に基づいて、前記第三の測定タスクの測定レポートを受信するための指定された時間を延長することを決定する段階であって、前記第二の測定レポート受信指示は、前記第三の測定タスクの測定レポートを受信するための時間を延長するよう前記開始装置に命令するために使用される、段階を含む、
請求項１５または１６記載の方法。
【請求項１８】
前記第二の測定レポート受信指示はさらに継続時間を含み；
前記開始装置によって、前記第二の測定レポート受信指示に基づいて、前記第三の測定タスクの測定レポートを受信するための指定された時間を延長することを決定することは：
前記開始装置によって、前記第三の測定タスクの測定レポートを受信するための前記指定された時間を、前記継続時間だけ延長することを決定することを含む、
請求項１７記載の方法。
【請求項１９】
測定方法であって：
前記端末装置によって送信された衝突メッセージを基地局によって受信する段階であって、前記第三の衝突メッセージは、前記端末装置が第一の測定タスクのための第一の測定要求および第二の測定タスクのための第二の測定要求を受信したことを示すために使用される、段階と；
前記基地局によって、第一のターゲット測定タスクを決定する段階であって、前記第一のターゲット測定タスクは、前記第一の測定タスクおよび前記第二の測定タスクのうち任意のもののいずれかである、段階と；
前記基地局によって、測定構成メッセージを前記端末装置に送信する段階であって、前記測定構成メッセージは、前記端末装置に、前記第一のターゲット測定タスクを優先的に実行するよう命令するために使用される、段階とを含む、
方法。
【請求項２０】
プログラム命令を記憶するよう構成されたメモリと；
データを受信および送信するよう構成されたトランシーバと；
プロセッサとを有する端末装置であって、前記プロセッサは前記メモリに記憶された前記プログラム命令を呼び出し；前記トランシーバが、第一の測定タスクを開始する装置によって送信された第一の測定要求を受信した後、前記第一の測定タスクが終わっていないときに、前記トランシーバが第二の測定タスクを開始する装置によって送信された第二の測定要求を受信したことを判別する、または、前記トランシーバが前記第一の測定要求および前記第二の測定要求を同時に受信したことを判別し；第一のターゲット測定タスクを優先的に実行するよう構成されており；
前記プロセッサは：
前記第一のターゲット測定タスクを実行し、第二のターゲット測定タスクの実行をスキップすること；または
まず前記第一のターゲット測定タスクを実行し、次いで、前記第一のターゲット測定タスクが終わった後に前記第二のターゲット測定タスクを実行すること；または
前記第一のターゲット測定タスクの指定された実行時間において前記第一のターゲット測定タスクを実行し、前記第二のターゲット測定タスクの指定された実行時間を延長することを決定し、前記第二のターゲット測定タスクの実行時間が延長された後に得られる時間において前記第二のターゲット測定タスクを実行すること；または
前記第一のターゲット測定タスクの実行時間が第一の継続時間だけ延長された後に得られる時間において前記第一のターゲット測定タスクを実行し、前記第二のターゲット測定タスクの実行時間が第二の継続時間だけ延長された後に得られる時間において前記第二のターゲット測定タスクを実行することであって、前記第二の継続時間は前記第一の継続時間より長い、こと；または
前記第一のターゲット測定タスクに割り当てられた資源を使って前記第一のターゲット測定タスクを実行し、前記第二のターゲット測定タスクに割り当てられた資源を使って前記第二のターゲット測定タスクを実行することであって、前記第一のターゲット測定タスクに割り当てられた資源は、前記第二のターゲット測定タスクに割り当てられた資源よりも大きく、資源は、計算資源、記憶資源、通信資源、および測定ギャップのうちの少なくとも一つを含む、ことを含み、
前記第一のターゲット測定タスクは、前記第一の測定タスクおよび前記第二の測定タスクのうちの任意のものであり、前記第二のターゲット測定タスクは、前記第一の測定タスクおよび前記第二の測定タスクのうち、前記第一のターゲット測定タスクとは異なる他方である、
端末装置。
【請求項２１】
前記プロセッサがさらに：
前記第一のターゲット測定タスクを優先的に実行する前に、前記第一のターゲット測定タスクを決定するよう構成され、前記第一のターゲット測定タスクを決定することは：
前記第一の測定要求が受信された時刻が、前記第二の測定要求が受信された時刻より早いことを判別する場合、前記第一の測定タスクを前記第一のターゲット測定タスクとして決定すること；または
前記第二の測定要求が受信された時刻が、前記第一の測定要求が受信された時刻より遅いことを判別する場合、前記第二の測定タスクを前記第一のターゲット測定タスクとして決定すること；または
前記第一の測定タスクの優先度および前記第二の測定タスクの優先度を決定し、前記第一の測定タスクの優先度および前記第二の測定タスクの優先度に基づいて、より高い優先度をもつ測定タスクを前記第一のターゲット測定タスクとして決定すること；または
前記トランシーバを使って、前記第一の測定タスクを開始する装置に、第一の衝突メッセージであって、該第一の衝突メッセージは、前記端末装置が前記第二の測定要求を受信したことを示す、第一の衝突メッセージを送信し；前記トランシーバを使って、前記第一の測定タスクを開始する装置によって返される第一の測定構成メッセージであって、該第一の測定構成メッセージは、前記端末装置に、前記第一のターゲット測定タスクを優先的に実行するよう命令するために使用される、第一の測定構成メッセージを受信し；前記第一の測定構成メッセージに基づいて前記第一のターゲット測定タスクを決定すること；または
前記トランシーバを使って、前記第二の測定タスクを開始する装置に、第二の衝突メッセージであって、該第二の衝突メッセージは、前記端末装置が前記第一の測定要求を受信したことを示す、第二の衝突メッセージを送信し；前記トランシーバを使って、前記第二の測定タスクを開始する装置によって返される第二の測定構成メッセージであって、該第二の測定構成メッセージは、前記端末装置に、前記第一のターゲット測定タスクを優先的に実行するよう命令するために使用される、第二の測定構成メッセージを受信し；前記第二の測定構成メッセージに基づいて前記第一のターゲット測定タスクを決定すること；または
前記トランシーバを使って、前記端末装置にサービスする基地局に、第三の衝突メッセージであって、該第三の衝突メッセージは、前記端末装置が前記第一の測定要求および前記第二の測定要求を受信したことを示す、第三の衝突メッセージを送信し；前記トランシーバを使って、前記基地局によって返される第三の測定構成メッセージであって、該第三の測定構成メッセージは、前記端末装置に、前記第一のターゲット測定タスクを優先的に実行するよう命令するために使用される、第三の測定構成メッセージを受信し；前記第三の測定構成メッセージに基づいて、前記第一のターゲット測定タスクを決定することを含む、
請求項２０記載の端末装置。
【請求項２２】
前記第一の衝突メッセージがさらに、前記第二の測定タスクの優先度、または前記第二の測定タスクの優先度および前記第一の測定タスクの優先度を含む；または
前記第二の衝突メッセージがさらに、前記第一の測定タスクの優先度、または前記第一の測定タスクの優先度および前記第二の測定タスクの優先度を含む；または
前記第三の衝突メッセージがさらに、前記第一の測定タスクの優先度および前記第二の測定タスクの優先度を含む、
請求項２１記載の端末装置。
【請求項２３】
前記第一の測定タスクの優先度を決定するとき、前記プロセッサは：
前記第一の測定要求に含まれる、前記第一の測定タスクの優先度を判別する；もしくは
前記トランシーバを使って、前記第一の測定タスクを開始する装置に優先度要求を送信し、前記第一の測定タスクを開始する装置によって返される、前記第一の測定タスクの優先度を担持する優先度応答を受信する、
よう構成され；
前記第二の測定タスクの優先度を決定するとき、前記プロセッサは：
前記第二の測定要求に含まれる、前記第二の測定タスクの優先度を判別する；もしくは
前記トランシーバを使って、前記第二の測定タスクを開始する装置に優先度要求を送信し、前記第二の測定タスクを開始する装置によって返される、前記第二の測定タスクの優先度を担持する優先度応答を受信する、
よう構成される、
請求項２１記載の端末装置。
【請求項２４】
前記第一のターゲット測定タスクを実行するとき、前記プロセッサは：
第一の測定ギャップにおいて前記第一のターゲット測定タスクを実行するよう構成される、
請求項２０ないし２３のうちいずれか一項記載の端末装置。
【請求項２５】
前記第一の測定ギャップは、前記第一の測定タスクを開始する装置、または当該端末装置にサービスする基地局によって、当該端末装置のために、前記第一の測定タスクについて、構成される、
請求項２４記載の端末装置。
【請求項２６】
前記第一のターゲット測定タスクが前記第二の測定タスクである場合、前記プロセッサは、さらに：
前記第一の測定ギャップにおいて前記第一のターゲット測定タスクを実行する前に、前記トランシーバを使って前記第二の測定タスクのために、第一の測定ギャップ構成要求を、前記第二の測定タスクを開始する装置または当該端末装置にサービスする基地局に送信し；
前記トランシーバを使って、前記第二の測定タスクを開始する装置または前記基地局によって送信された第一の測定ギャップ構成情報を受信し；
前記第一の測定ギャップ構成情報に基づいて、前記第一の測定ギャップを決定するよう構成される、
請求項２４記載の端末装置。
【請求項２７】
前記プロセッサが前記第二のターゲット測定タスクを実行することは：
前記第一の測定ギャップにおいて前記第二のターゲット測定タスクを実行すること；または
第二の測定ギャップにおいて前記第二のターゲット測定タスクを実行することを含み、前記第二の測定ギャップは前記第一の測定ギャップとは異なる、
請求項２４ないし２６のうちいずれか一項記載の端末装置。
【請求項２８】
前記プロセッサは、さらに：
前記第二の測定ギャップにおいて前記第二のターゲット測定タスクを実行する前に、前記トランシーバを使って、前記第二のターゲット測定タスクのために、第二の測定ギャップ構成要求を、前記第二のターゲット測定タスクを開始する装置または当該端末装置にサービスする基地局に送信し；
前記トランシーバを使って、前記第二の測定タスクを開始する装置または前記基地局によって送信された第二の測定ギャップ構成情報を受信し；
前記第二の測定ギャップ構成情報に基づいて、前記第二の測定ギャップを決定するよう構成される、
請求項２７記載の端末装置。
【請求項２９】
前記プロセッサが、前記第一のターゲット測定タスクを実行し、前記第二のターゲット測定タスクの実行をスキップする場合、前記プロセッサはさらに：
前記トランシーバを使って、第一の測定レポート受信指示を前記第二のターゲット測定タスクを開始する装置に送信するよう構成され、前記第一の測定レポート受信指示は、前記第二のターゲット測定タスクを開始する装置に、当該端末装置が、前記第二のターゲット測定タスクの実行をスキップすることを通知するために使われる；または
前記プロセッサが、前記第一のターゲット測定タスクを実行し、前記第一のターゲット測定タスクが終わった後で前記第二のターゲット測定タスクを実行する場合、または、前記プロセッサが、前記第一のターゲット測定タスクの指定された実行時間において前記第一のターゲット測定タスクを実行し、前記第二のターゲット測定タスクの指定された実行時間を延長することを決定し、前記第二のターゲット測定タスクの実行時間が延長された後に得られる時間において前記第二のターゲット測定タスクを実行する場合、前記プロセッサはさらに：
前記トランシーバを使って、前記第二のターゲット測定タスクを開始する装置に第二の測定レポート受信指示を送信するよう構成され、前記第二の測定レポート受信指示は、前記第二のターゲット測定タスクを開始する装置に、前記第二のターゲット測定タスクの測定レポートを受信するための時間を延長するよう命令するために使用される；または
前記プロセッサが、前記第一のターゲット測定タスクの実行時間が前記第一の継続時間だけ延長された後に得られる時間において前記第一のターゲット測定タスクを実行し、前記第二のターゲット測定タスクの実行時間が前記第二の継続時間だけ延長された後に得られる時間において前記第二のターゲット測定タスクを実行する場合、前記プロセッサはさらに：
前記トランシーバを使って、前記第一のターゲット測定タスクを開始する装置に第三の測定レポート受信指示を送信し、前記第二のターゲット測定タスクを開始する装置に第四の測定レポート受信指示を送信するよう構成され、前記第三の測定レポート受信指示は、前記第一のターゲット測定タスクを開始する装置に、前記第一のターゲット測定タスクの測定レポートを受信するための時間を延長するよう命令するために使用され、前記第四の測定レポート受信指示は、前記第二のターゲット測定タスクを開始する装置に、前記第二のターゲット測定タスクの測定レポートを受信するための時間を延長するよう命令するために使用される、
請求項２０ないし２８のうちいずれか一項記載の端末装置。
【請求項３０】
前記第三の測定レポート受信指示がさらに前記第一の継続時間を含むこと；
前記第四の測定レポート受信指示がさらに前記第二の継続時間を含むこと、
のうちの少なくとも一方を含む、請求項２９記載の端末装置。
【請求項３１】
前記第一の測定タスクおよび前記第二の測定タスクは、それぞれ、位置決め測定タスクおよび非位置決め測定タスクのうちの任意のものである、請求項２０ないし３０のうちいずれか一項記載の端末装置。
【請求項３２】
プログラム命令を記憶するよう構成されたメモリと；
データを受信および送信するよう構成された通信モジュールと；
プロセッサとを有する開始装置であって、
前記プロセッサは、前記メモリに記憶された前記プログラム命令を呼び出して以下の動作、すなわち：
前記通信モジュールを使って、測定タスクのための測定要求を端末装置に送信する段階と；
前記通信モジュールを使って、前記端末装置によって送信された第一の測定レポート受信指示を受信する段階であって、前記第一の測定レポート受信指示は、前記端末装置が前記測定タスクの実行をスキップすることを当該開始装置に通知するために使用される、段階；または
前記通信モジュールを使って、前記端末装置によって送信された第二の測定レポート受信指示を受信し、前記第二の測定レポート受信指示に基づいて、前記測定タスクの測定レポートを受信するための指定された時間を延長することを決定する段階であって、前記第二の測定レポート受信指示は、当該開始装置に、前記測定タスクの測定レポートを受信するための時間を延長するよう命令するために使用される、段階とを実行するよう構成されている、
開始装置。
【請求項３３】
前記第二の測定レポート受信指示は継続時間をさらに含み；
前記第二の測定レポート受信指示に基づいて、前記測定タスクの測定レポートを受信するための指定された時間を延長することを決定するとき、前記プロセッサは：
前記測定タスクの測定レポートを受信するための指定された時間を前記継続時間だけ延長することを決定する、
よう構成される、請求項３２記載の開始装置。
【請求項３４】
プログラム命令を記憶するよう構成されたメモリと；
データを受信および送信するよう構成された通信モジュールと；
プロセッサとを有する開始装置であって、
前記プロセッサは、前記メモリに記憶された前記プログラム命令を呼び出して以下の動作、すなわち：
前記通信モジュールを使って、第三の測定タスクのための測定要求を端末装置に送信する段階と；
前記通信モジュールを使って、前記端末装置、第四の測定タスクを開始する装置、または、前記端末装置にサービスする基地局によって送信された衝突メッセージを受信する段階であって、前記衝突メッセージは、前記端末装置が前記第四の測定タスクのための測定要求を受信したことを示すために使用される、段階と；
第一のターゲット測定タスクを決定する段階であって、前記第一のターゲット測定タスクは、前記第三の測定タスクおよび前記第四の測定タスクのうちの任意のものである、段階と；
前記通信モジュールを使って、測定構成メッセージを、前記端末装置、前記第四の測定タスクを開始する装置、または前記基地局に送信する段階であって、前記測定構成メッセージは、前記端末装置に前記第一のターゲット測定タスクを優先的に実行するよう命令するために使用される、段階とを実行するよう構成されている、
開始装置。
【請求項３５】
前記第一のターゲット測定タスクが前記第三の測定タスクである場合、前記プロセッサは、さらに：
前記通信モジュールを使って、前記第三の測定タスクの測定レポートを受信するための指定された時間において、前記第三の測定タスクの測定レポートを受信するよう構成される；または
前記第一のターゲット測定タスクが前記第四の測定タスクである場合、前記プロセッサは、さらに：
前記第三の測定タスクの測定レポートの受信をスキップする；または
前記第三の測定タスクの測定レポートを受信するための指定された時間を延長することを決定するよう構成される、
請求項３４記載の開始装置。
【請求項３６】
前記プロセッサはさらに：
前記測定構成メッセージを前記端末装置、前記第四の測定タスクを開始する装置、または前記基地局に送信した後、前記端末装置によって送信された第一の測定レポート受信指示を前記通信モジュールを使って受信し、前記第一の測定レポート受信指示に基づいて、前記第三の測定タスクの測定レポートを受信することをスキップするよう構成され、前記第一の測定レポート受信指示は、前記端末装置が前記第三の測定タスクの測定レポートの受信をスキップすることを前記開始装置に通知するために使用される；または
前記測定構成メッセージを前記端末装置、前記第四の測定タスクを開始する装置、または前記基地局に送信した後、前記端末装置によって送信された第二の測定レポート受信指示を前記通信モジュールを使って受信し、前記第二の測定レポート受信指示に基づいて、前記第三の測定タスクの測定レポートを受信するための指定された時間を延長することを決定するよう構成され、前記第二の測定レポート受信指示は、前記第三の測定タスクの測定レポートを受信するための時間を延長するよう前記開始装置に命令するために使用される、
請求項３４または３５記載の開始装置。
【請求項３７】
前記第二の測定レポート受信指示はさらに継続時間を含み；
前記第二の測定レポート受信指示に基づいて、前記第三の測定タスクの測定レポートを受信するための指定された時間を延長することを決定するとき、前記プロセッサは：
前記第三の測定タスクの測定レポートを受信するための指定された時間を、前記継続時間だけ延長することを決定よう構成される、
請求項３６記載の開始装置。
【請求項３８】
プログラム命令を記憶するよう構成されたメモリと；
データを受信および送信するよう構成されたトランシーバと；
プロセッサとを有する基地局であって、
前記プロセッサは、前記メモリに記憶された前記プログラム命令を呼び出して以下の動作、すなわち：
前記端末装置によって送信された衝突メッセージを前記トランシーバを使って受信する段階であって、前記衝突メッセージは、前記端末装置が第一の測定タスクのための第一の測定要求および第二の測定タスクのための第二の測定要求を受信したことを示す、段階と；
第一のターゲット測定タスクを決定する段階であって、前記第一のターゲット測定タスクは、前記第一の測定タスクおよび前記第二の測定タスクのうちの任意のものである、段階と；
前記トランシーバを使って測定構成メッセージを前記端末装置に送信する段階であって、前記測定構成メッセージは、前記端末装置に、前記第一のターゲット測定タスクを優先的に実行するよう命令するために使用される、段階とを実行するよう構成されている、
基地局。
【請求項３９】
プロセッサに請求項１ないし１２のうちいずれか一項記載の方法を実行させるコンピュータ・プログラム。
【手続補正２】
【補正対象書類名】明細書
【補正対象項目名】全文
【補正方法】変更
【補正の内容】
【発明の詳細な説明】
【技術分野】
【０００１】
本願は、通信技術の分野に関し、特に、測定方法および装置に関する。
【背景技術】
【０００２】
現在、端末装置は、位置決めに向けられた位置決め測定タスクおよび位置決めに向けられていない非位置決め測定タスクを含む複数の型の測定タスクを実行する必要がある。
【０００３】
前記端末装置が前記位置決め測定タスクを実行する手順は、次のことを含む：位置決め測定タスクを開始する装置（たとえば、位置決めサーバー）が、位置決め測定タスクのための測定要求を端末装置に送信し、前記測定要求は、端末装置に位置決め測定タスクを実行するよう命令するために使われる。測定要求を受信した後、端末装置は、位置決め測定タスクを実行して測定結果を得て、該測定結果を前記開始する装置に送信する。
【０００４】
前記端末装置が前記位置決め測定タスクを実行する手順と同様に、前記端末装置が前記非位置決め測定タスクを実行するプロセスは、次のことを含む：非位置決め測定タスクを開始する装置（たとえば基地局）が、非位置決め測定タスクのための測定要求を端末装置に送信し、前記測定要求は、端末装置に非位置決め測定タスクを実行するよう命令するために使われる。測定要求を受信した後、端末装置は、非位置決め測定タスクを実行して測定結果を得て、該測定結果を前記開始する装置に送信する。
【０００５】
上記の複数の型の測定タスクが存在することを前提として、端末装置が前記複数の型の測定タスクに同時に直面すると衝突が起こることがあり、結果として、測定効率が有意に低下する。
【発明の概要】
【０００６】
本願の実施形態は、端末装置によって二つの測定タスクを実行するプロセスにおいて衝突が発生し、端末装置の測定効率に影響するという問題を解決するための測定方法および装置を提供する。
【０００７】
第一の側面によれば、本願のある実施形態は、測定方法を提供し、本方法は：
端末装置が、二つの測定タスクを開始する装置によって送信された測定要求を同時にまたは相次いで受信した（たとえば、端末装置が第一の測定タスクを開始する装置によって送信された第一の測定要求を受信した後、端末装置が第一の測定タスクの実行を終了していないときに端末装置が第二の測定タスクを開始する装置によって送信された第二の測定要求を受信する；または端末装置が前記第一の測定要求および前記第二の測定要求を同時に受信する）後、端末装置が上記の場合において前記第一の測定タスクおよび前記第二の測定タスクにおける第一のターゲット測定タスクを優先的に実行することを含む。
【０００８】
本方法によれば、二つの測定タスクを開始する諸装置が、端末装置に二つの対応する測定タスクを実行するよう命令するとき、端末装置によってそれら二つの測定タスクを実行するプロセスにおいて衝突が回避されることができ、それによって、端末装置の測定効率を確保することができる。
【０００９】
ある可能な設計では、端末装置は、以下の態様で第一のターゲット測定タスクを優先的に実行することができる。
【００１０】
態様１：端末装置は、第一のターゲット測定タスクを実行し、第二のターゲット測定タスクの実行を拒否する。
【００１１】
態様２：端末装置は、まず第一のターゲット測定タスクを実行し、その後、第一のターゲット測定タスクを終了した後で第二のターゲット測定タスクを実行する。
【００１２】
態様３：端末装置は、第一のターゲット測定タスクの指定された実行時間で第一のターゲット測定タスクを実行し、第二のターゲット測定タスクの指定された実行時間を延長し、第二のターゲット測定タスクの実行時間が延長された後に得られる時間で第二のターゲット測定タスクを実行する。任意の測定タスクの実行時間は、端末装置がその測定タスクを実行し始める時点から、端末装置がその測定タスクの実行を終了する時点までの費やされる時間である。
【００１３】
態様４：端末装置は、第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られた時間で第一のターゲット測定タスクを実行し、第二のターゲット測定タスクの実行時間が延長された後に得られた時間で第二のターゲット測定タスクを実行する。第二の継続時間は第一の継続時間より長い。
【００１４】
態様５：端末装置は、第一のターゲット測定タスクに割り当てられた資源を使って第一のターゲット測定タスクを実行し、第二のターゲット測定タスクに割り当てられた資源を使って第二のターゲット測定タスクを実行する。第一のターゲット測定タスクに割り当てられた資源は、第二のターゲット測定タスクに割り当てられた資源より大きく、資源は、計算資源、記憶資源、通信資源、および測定ギャップのうちの少なくとも一つを含む。
【００１５】
第二のターゲット測定タスクは、第一の測定タスクおよび第二の測定タスクのうちの、第一のターゲット測定タスクとは異なる他方のタスクである。
【００１６】
態様１では、第一のターゲット測定タスクの完了品質を保証することができ、二つの測定タスクを実行するプロセスにおける衝突を回避し、それにより端末装置の測定効率を確保する。
【００１７】
態様２では、第一のターゲット測定タスクの完了品質が確保できるだけでなく、第二のターゲット測定タスクが完了されることもでき、二つの測定タスクを実行するプロセスにおける測定タスクの放棄と衝突を回避し、それにより端末装置の測定効率を確保する。
【００１８】
態様３では、第一のターゲット測定タスクの実行時間において第一のターゲット測定タスクが終了することが保証でき、それにより第一のターゲット測定タスクの完了品質を確保する。さらに、第二のターゲット測定タスクの実行時間が延長され、二つの測定タスクを実行するプロセスにおける衝突を避け、それにより端末装置の測定効率を確保する。
【００１９】
態様４では、第一のターゲット測定タスクの実行時間がより短い時間だけ延長されるときに第一のターゲット測定タスクが終了することが保証でき、それにより第一のターゲット測定タスクの完了品質が保証される。第二のターゲット測定タスクの実行時間は、より長い時間だけ延長され、端末装置が第二のターゲット測定タスクを実行するときに第一のターゲット測定タスクに過度に回避されることを防ぎ、二つの測定タスクを実行するプロセスにおける衝突を回避し、それにより端末装置の測定効率を確保する。
【００２０】
態様５では、端末装置によって第一のターゲット測定タスクに割り当てられる資源は、端末装置によって第二のターゲット測定タスクに割り当てられる資源よりも大きいため、端末装置は、二つの測定タスクを実行するプロセスにおける衝突を回避し、それにより端末装置の測定効率を確保するように、第一のターゲット測定タスクの完了品質を保証することができる。
【００２１】
ある可能な設計では、端末装置が第一のターゲット測定タスクを優先的に実行する前に、端末装置はさらに、前記第一のターゲット測定タスクを決定することができる。たとえば、端末装置は、以下の態様で第一のターゲット測定タスクを決定することができる。
【００２２】
態様１：端末装置が、第一の測定要求が受信された時刻が第二の測定要求が受信された時刻よりも早いと判断した場合、端末装置は、第一の測定タスクを第一のターゲット測定タスクとして決定する。
【００２３】
態様１：端末装置が、第二の測定要求が受信された時刻が第一の測定要求が受信された時刻よりも遅いと判断した場合、端末装置は、第二の測定タスクを第一のターゲット測定タスクとして決定する。
【００２４】
態様３：端末装置は、第一の測定タスクの優先度および第二の測定タスクの優先度を決定し、第一の測定タスクの優先度および第二の測定タスクの優先度に基づいて、より高い優先度をもつ測定タスクを第一のターゲット測定タスクとして決定する。
【００２５】
態様４：端末装置は、第一の測定タスクを開始した装置に第一の衝突メッセージを送信し、第一の衝突メッセージは、端末装置が第二の測定要求を受信したことを示すために使用され；第一の測定タスクを開始した装置によって返される第一の測定構成メッセージを受信し、第一の測定構成メッセージは、第一のターゲット測定タスクを優先的に実行するように端末装置に命令するために使用され；第一の測定構成メッセージに基づいて第一のターゲット測定タスクを決定する。
【００２６】
態様５：端末装置は、第二の測定タスクを開始した装置に第二の衝突メッセージを送信し、第二の衝突メッセージは、端末装置が第一の測定要求を受信したことを示すために使用され；第二の測定タスクを開始した装置によって返される第二の測定構成メッセージを受信し、第二の測定構成メッセージは、第一のターゲット測定タスクを優先的に実行するように端末装置に命令するために使用され；第二の測定構成メッセージに基づいて第一のターゲット測定タスクを決定する。
【００２７】
態様６：端末装置は、端末装置にサービスする基地局に対して、第三の衝突メッセージを送信し、第三の衝突メッセージは、端末装置が第一の測定要求および第二の測定要求を受信したことを示すために使用され；基地局によって返された第三の測定構成メッセージを受信し、第三の測定構成メッセージは、端末装置に第一のターゲット測定タスクを優先的に実行するよう命令するために使用され；第三の測定構成メッセージに基づいて第一のターゲット測定タスクを決定する。
【００２８】
この設計によれば、端末装置は、複数のポリシーに従って、第一の測定タスクおよび第二の測定タスクから測定タスクを柔軟に選択し、選択された測定タスクを優先的に実行することができ、それにより、二つの測定タスクを実行するプロセスにおける衝突を回避する。
【００２９】
ある可能な設計では、上記の設計の態様４において第一のターゲット測定タスクが決定されるとき、第一の衝突メッセージはさらに：第二の測定タスクの優先度、または第二の測定タスクの優先度および第一の測定タスクの優先度を含む。
【００３０】
第一の衝突メッセージが第二の測定タスクの優先度を含む場合、第一の測定タスクを開始する装置は、第一の衝突メッセージに基づいて、第二の測定タスクの優先度を取得しうる。第一の測定タスクの優先度が別の仕方で決定されると、優先的に実行されるべき測定タスクは、それらの測定タスクの優先度に基づいて決定できる。
【００３１】
第一の衝突メッセージが第二の測定タスクの優先度および第一の測定タスクの優先度を含む場合、第一の測定タスクを開始する装置は、第一の衝突メッセージに基づいて、第一の測定タスクの優先度および第二の測定タスクの優先度を取得することができ、それにより、それらの測定タスクの優先度に基づいて、優先的に実行されるべき測定タスクを決定する。
【００３２】
ある可能な設計では、上記の設計の態様５において第一のターゲット測定タスクが決定されるとき、第二の衝突メッセージは、さらに：第一の測定タスクの優先度、または第一の測定タスクの優先度および第二の測定タスクの優先度を含む。
【００３３】
この設計によれば、第二の測定タスクを開始する装置は、第二の衝突メッセージに基づいて、第一の測定タスクの優先度または二つの測定タスクの優先度を代替的に決定することができ、それにより、それらの測定タスクの優先度に基づいて、優先的に実行されるべき測定タスクを決定する。
【００３４】
ある可能な設計では、上記の設計の態様６において第一のターゲット測定タスクが決定されるとき、第三の衝突メッセージはさらに：第一の測定タスクの優先度および第二の測定タスクの優先度を含む。
【００３５】
この設計によれば、基地局は、二つの測定タスクの優先度を決定してもよく、それにより、それらの測定タスクの優先度に基づいて、優先的に実行されるべき測定タスクを決定する。
【００３６】
ある可能な設計では、上記の設計の態様３において第一のターゲット測定タスクが決定されるとき、端末装置は、以下の実装において第一の測定タスクの優先度を決定することができる。
【００３７】
実装１：端末装置は、第一の測定要求に含まれる、第一の測定タスクの前記優先度を決定する。
【００３８】
実装２：端末装置は、優先度要求を第一の測定タスクを開始した装置に送信し、第一の測定タスクを開始した装置によって返される、第一の測定タスクの前記優先度を担持する優先度応答を受信する。
【００３９】
実装３：端末装置は、測定タスクと優先度の間の対応に基づいて、第一の測定タスクの優先度を決定してもよい。
【００４０】
この設計によれば、端末装置は第一の測定タスクの優先度を正確に決定することができる。
【００４１】
ある可能な設計では、上記の設計の態様３において第一のターゲット測定タスクが決定されるとき、端末装置は、以下の実装において第二の測定タスクの優先度を決定することができる。
【００４２】
実装１：端末装置は、第二の測定要求に含まれる、第二の測定タスクの前記優先度を決定する。
【００４３】
実装２：端末装置は、優先度要求を第二の測定タスクを開始した装置に送信し、第二の測定タスクを開始した装置から返される、第二の測定タスクの前記優先度を担持する優先度応答を受信する。
【００４４】
実装３：端末装置は、測定タスクと優先度の間の対応に基づいて、第二の測定タスクの優先度を決定してもよい。
【００４５】
この設計によれば、端末装置は、第二の測定タスクの優先度を正確に決定することができる。
【００４６】
ある可能な設計では、端末装置によって、第一のターゲット測定タスクを実行することは：
端末装置によって、第一の測定ギャップ内で第一のターゲット測定タスクを実行することを含む。
【００４７】
この設計によれば、測定ギャップ内で実行される必要のある第一のターゲット測定タスクが成功裏に完了できることを確実にすることができる。
【００４８】
ある可能な設計では、上記の設計における第一の測定ギャップは、第一の測定タスクを開始する装置によって、または端末装置にサービスする基地局によって、端末装置のために、第一の測定タスクについて、構成される。
【００４９】
この設計によれば、第一のターゲット測定タスクを実行するとき、端末装置は、第一の測定タスクにあらかじめ割り当てられたギャップを使って続けてもよい。
【００５０】
ある可能な設計では、第一のターゲット測定タスクが第二の測定タスクである場合、端末装置が第一の測定ギャップ内で第一のターゲット測定タスクを実行する前に、端末装置は、以下のステップで第二の測定タスクのための測定ギャップを構成する：
まず、第二の測定タスクについて、第一の測定ギャップ構成要求を、第二の測定タスクを開始する装置または端末装置にサービスする基地局に送信し；次いで、第二の測定タスクを開始する装置または基地局によって送信された第一の測定ギャップ構成情報を受信し；最後に、第一の測定ギャップ構成情報に基づいて第一の測定ギャップを決定する。
【００５１】
この設計によれば、端末装置は、第二の測定タスクを開始する装置または基地局に対して、第二の測定タスクのための測定ギャップを構成するよう要求してもよい。
【００５２】
ある可能な設計では、端末装置は、以下の実装において第二のターゲット測定タスクを実行することができる。
【００５３】
実装１：端末装置は、前記第一の測定ギャップ内に第二のターゲット測定タスクを実行する。
【００５４】
実装２：端末装置は、第二の測定ギャップにおいて第二のターゲット測定タスクを実行する。第二の測定ギャップは、第一の測定ギャップとは異なる。
【００５５】
この設計によれば、測定ギャップ内で実行される必要のある第二のターゲット測定タスクが成功裏に完了できることを確実にすることができる。
【００５６】
ある可能な設計では、端末装置が第二の測定ギャップ内で第二のターゲット測定タスクを実行する前に、端末装置は第二のターゲット測定タスクのための測定ギャップを以下のステップで構成する：
第二のターゲット測定タスクについて、第二のターゲット測定タスクを開始する装置または端末装置にサービスする基地局に第二の測定ギャップ構成要求を送信し；次いで、第二の測定タスクを開始する装置または基地局によって送信された第二の測定ギャップ構成情報を受信し；最後に、第二の測定ギャップ構成情報に基づいて第二の測定ギャップを決定する。
【００５７】
この設計によれば、端末装置は、第二のターゲット測定タスクを開始する装置または基地局に対して、第二のターゲット測定タスクのための測定ギャップを構成するよう要求してもよい。
【００５８】
ある可能な設計では、端末装置が態様１において第一のターゲット測定タスクを優先的に実行するとき、端末装置はさらに、第一の測定レポート受信指示を、第二のターゲット測定タスクを開始する装置に送信してもよい。第一の測定レポート受信指示は、第二のターゲット測定タスクを開始する装置に、第二のターゲット測定タスクの測定レポートの受信をスキップするよう命令するために使用される。
【００５９】
この設計によれば、端末装置は、第二のターゲット測定タスクを開始する装置に対して、第二のターゲット測定タスクの実行が禁止されていることを通知してもよい。該開始する装置は、第一の測定レポート受信指示に基づいて、第二のターゲット測定タスクの測定レポートを受信することをスキップする。また、測定レポートを受信するための待機および測定レポートの受信において前記開始する装置によって消費される電力を低減することができる。
【００６０】
ある可能な設計では、端末装置が態様２または態様３において第一のターゲット測定タスクを優先的に実行するとき、端末装置はさらに、第二のターゲット測定タスクを開始する装置に第二の測定レポート受信指示を送信してもよい。第二の測定レポート受信指示は、第二のターゲット測定タスクを開始する装置に、第二のターゲット測定タスクの測定レポートを受信するための時間を延長するように命令するために使用される。
【００６１】
この設計によれば、端末装置は、第二のターゲット測定タスクを開始する装置に対して、第二のターゲット測定タスクの実行が延長されることを通知してもよい。前記開始する装置は、第二の測定レポート受信指示に基づいて、第二のターゲット測定タスクの測定レポートを受信するための時間を延長する。また、測定レポートを受信するための待機において前記開始する装置によって消費される電力を低減することができる。
【００６２】
ある可能な設計では、端末装置が態様４において第一のターゲット測定タスクを優先的に実行するとき、端末装置はさらに、第三の測定レポート受信指示を第一のターゲット測定タスクを開始する装置に送信し、第四の測定レポート受信指示を第二のターゲット測定タスクを開始する装置に送信することができる。第三の測定レポート受信指示は、第一のターゲット測定タスクを開始する装置に対して、第一のターゲット測定タスクの測定レポートを受信するための時間を延長するよう命令するために使用され、第四の測定レポート受信指示は、第二のターゲット測定タスクを開始する装置に対して、第二のターゲット測定タスクの測定レポートを受信するための時間を延長するよう命令するために使用される。
【００６３】
この設計によれば、端末装置は、二つの測定タスクを開始する装置に対して、該開始する装置によってそれぞれ開始された測定タスクの実行が延長されることを通知してもよい。開始する装置のそれぞれは、受信された測定レポート受信指示に基づいて、開始された測定タスクの測定レポートを受信するための時間を延長する。また、測定レポートを受信するための待機において前記開始する装置によって消費される電力を低減することができる。
【００６４】
ある可能な設計では、第三の測定レポート受信指示がさらに第一の継続時間を含む、および／または第四の測定レポート受信指示がさらに第二の継続時間を含む。
【００６５】
この設計によれば、測定タスクを開始する装置は、受信した測定レポート受信指示に基づいて、測定レポートを受信するための時間が延長される必要がある特定の時間を知ることができる。それにより、測定レポートを受信するのを待つ際に、前記開始する装置によって消費される電力を低減することができる。
【００６６】
ある可能な設計では、第一の測定タスクおよび第二の測定タスクは、それぞれ、位置決め測定タスクおよび非位置決め測定タスクのうちの任意のものである。
【００６７】
第二の側面によれば、本願のある実施形態は測定方法をさらに提供する。本方法は：
開始装置によって測定タスクの優先度を決定し、前記開始装置によって前記測定タスクのための測定要求を端末装置に送信することを含み、ここで、測定要求は測定タスクの優先度を含む。
【００６８】
この方法によれば、開始装置は、測定要求に測定タスクの優先度を加え、次いで、測定要求を端末装置に送信する。このようにして、端末装置は、測定要求に基づいて測定タスクの優先度を決定することができ、それにより、測定タスクの優先度に基づいて、優先的に実行されるべき測定タスクを決定する。
【００６９】
第三の側面によれば、本願のある実施形態は測定方法をさらに提供する。本方法は：
測定タスクのための測定要求を端末装置に送信した後、端末装置によって送られた優先度要求を開始装置によって受信し；測定タスクの優先度を決定した後、測定タスクの優先度を担持する優先度応答を、開始装置によって端末装置に送信する、ことを含む。
【００７０】
この方法によれば、端末装置が、開始装置によって開始される測定タスクの優先度を開始装置に要求するとき、開始装置は、その測定タスクの優先度を端末装置に送信する。このようにして、端末装置は、測定タスクの優先度に基づいて、優先的に実行されるべき測定タスクを決定することができる。
【００７１】
第四の側面によれば、本願のある実施形態は測定方法をさらに提供する。本方法は：
測定タスクのための測定要求を開始装置によって端末装置に送信し；端末装置によって送信された第一の測定レポート受信指示を受信した後、第一の測定レポート受信指示に基づいて、測定タスクの測定レポートを受信することを開始装置によってスキップし；端末装置によって送信された第二の測定レポート受信指示を受信した後、第二の測定レポート受信指示に基づいて、測定タスクの測定レポートを受信するための指定された時間を開始装置によって延長し、ここで、第一の測定レポート受信指示は、測定タスクの測定レポートを受信することをスキップするよう開始装置に命令するために使用され、第二の測定レポート受信指示は、測定タスクの測定レポートを受信するための前記時間を延長するよう開始装置に命令するために使用される。
【００７２】
本方法によれば、開始装置は、第一の測定レポート受信指示に基づいて、端末装置が測定タスクを実行することを拒否したこと、および、測定タスクの測定レポートの受信が禁止されていることを知ることができ、測定レポートを受信するための待機の時間および測定レポートを受信する時間を短縮することができる。開始装置はさらに、第二の測定レポート受信指示に基づいて、端末装置が、測定タスクの実行時間を延長した、すなわち測定タスクの測定レポートを報告する時間を延長したことを知ることができる。したがって、開始装置は、それに応じて、測定タスクの測定レポートを受信するために指定された時間を延長し、測定レポートを受信するために待機する時間を短縮することができる。
【００７３】
ある可能な設計では、第二の測定レポート受信指示はさらに、継続時間を含む。この場合、開始装置は、次のステップにおいて、第二の測定レポート受信指示に基づいて、測定タスクの測定レポートを受信するための指定された時間をさらに延長することができる：
開始装置によって、測定タスクの測定レポートを受信するための指定された時間を前記継続時間だけ延長する。
【００７４】
この設計によれば、開始装置は、測定レポートを受信するための時間を延長すべき特定の継続時間を決定することができ、それにより、測定レポートを受信するために待機することにおいて開始装置によって消費される電力を低減する。
【００７５】
第五の側面によれば、本願のある実施形態は測定方法をさらに提供する。本方法は：
第三の測定タスクのための測定要求を開始装置によって端末装置に送信し；端末装置、第四の測定タスクを開始する装置、または端末装置にサービスする基地局によって送信された衝突メッセージを受信した後、開始装置によって第一の測定タスクを決定し、測定構成メッセージを端末装置、第四の測定タスクを開始する装置、または基地局に送信することを含む。ここで、測定構成メッセージは、端末装置に第一のターゲット測定タスクを優先的に実行するよう命令するために使用され、衝突メッセージは、端末装置が第四の測定タスクのための測定要求を受信したことを示すために使用され、第一のターゲット測定タスクは、第三の測定タスクおよび第四の測定タスクのうちの任意のものである。
【００７６】
本方法によれば、開始装置は、第一のターゲット測定タスクを優先的に実行するように端末装置に命令することができる。よって、端末装置は、二つの測定タスクのうちの任意のものを優先的に実行することができ、それにより測定タスクの完了品質を保証する。このように、二つの測定タスクを開始する装置が、端末装置に、対応する二つの測定タスクを実行するよう命令するとき、端末装置によって二つの測定タスクを実行するプロセスにおいて衝突が回避されることができ、それにより、端末装置の測定効率を確保することができる。
【００７７】
ある可能な設計では、開始装置は、以下のステップで第一のターゲット測定タスクを決定する：
開始装置によって、第三の測定タスクの優先度および第四の測定タスクの優先度を決定し；次いで、開始装置によって、第三の測定タスクの優先度および第四の測定タスクの優先度に基づいて、より高い優先度をもつ測定タスクを、第一のターゲット測定タスクとして決定する。
【００７８】
この設計によれば、開始装置は、第三の測定タスクおよび第四の測定タスクのうちからより高い優先度をもつ測定タスクを選択して、選択された測定タスクを優先的に実行することができ、それにより、二つの測定タスクを実行するプロセスにおける衝突を回避することができる。
【００７９】
ある可能な設計では、開始装置は、以下の実装における第三の測定タスクの優先度を決定することができる。
【００８０】
実装１：開始装置は、第三の測定タスクの前記格納された優先度を判別する。
【００８１】
実装２：開始装置は、衝突メッセージに含まれる第三の測定タスクの前記優先度を判別する。
【００８２】
この設計によれば、開始装置は、第三の測定タスクの優先度を正確に決定することができる。
【００８３】
ある可能な設計では、開始装置は、以下の実装における第四の測定タスクの優先度を決定することができる。
【００８４】
実装１：開始装置は、第四の測定タスクの前記格納された優先度を決定する。
【００８５】
実装２：開始装置は、衝突メッセージに含まれる第四の測定タスクの前記優先度を判別する。
【００８６】
この設計によれば、開始装置は、第四の測定タスクの優先度を正確に決定することができる。
【００８７】
ある可能な設計では、第一のターゲット測定タスクが第三の測定タスクであるとき、開始装置は、第三の測定タスクの測定レポートを受信するための指定された時間内に、第三の測定タスクの測定レポートを受信する。
【００８８】
この設計によれば、開始装置が優先的に実行されるべき測定タスクが、開始装置によって開始される第三の測定タスクであると判断するとき、開始装置は、もともとの仕方で、第三の測定タスクの測定レポートを、第三の測定タスクの測定レポートを受信するための指定された時間において受信することができる。
【００８９】
ある可能な設計では、第一のターゲット測定タスクが第四の測定タスクである場合、開始装置は、第三の測定タスクの測定レポートの受信をスキップする；または、開始装置は、第三の測定タスクの測定レポートを受信するための指定された時間を延長する。
【００９０】
この設計によれば、優先的に実行されるべき測定タスクが、開始装置によって開始される第三の測定タスクではないと開始装置が判断する場合、開始装置は、能動的に第三の測定タスクの測定レポートの受信をスキップしたり、あるいは第三の測定タスクの測定レポートを受信するための時間を延長したりすることができ、それにより、測定レポートを受信するために待機することまたは測定レポートを受信することにおいて開始装置によって消費される電力を低減させることができる。
【００９１】
ある可能な設計では、開始装置が測定構成メッセージを端末装置、第四の測定タスクを開始する装置、または基地局に送信した後、開始装置が端末装置によって送信された第一の測定レポート受信指示を受信する場合は、開始装置は、第一の測定レポート受信指示に基づいて、第三の測定タスクの測定レポートの受信をスキップする；または、開始装置が端末装置によって送信された第二の測定レポート受信指示を受信するとき、開始装置は、第二の測定レポート受信指示に基づいて、第三の測定タスクの測定レポートを受信するための指定された時間を延長する。第一の測定レポート受信指示は、第三の測定タスクの測定レポートの受信をスキップするよう開始装置に命令するために使用され、第二の測定レポート受信指示は、第三の測定タスクの測定レポートを受信するための時間を延長するよう開始装置に命令するために使用される。
【００９２】
この設計によれば、開始装置は、第三の測定タスクの実行状態を知り、第三の測定タスクの測定レポートを時間内に受信するための時間を調整するか、または測定レポートを受信するのをスキップすることができ、それにより、測定レポートを受信することにおいておよび測定レポートを受信するのを待つことにおいて消費される電力を削減することができる。
【００９３】
ある可能な設計では、第二の測定レポート受信指示がさらに継続時間を含む場合、開始装置は、次のステップで、第二の測定レポート受信指示に基づいて、第三の測定タスクの測定レポートを受信するための前記指定された時間をさらに延長することができる：
開始装置によって、第三の測定タスクの測定レポートを受信するための前記指定された時間を、前記継続時間だけ延長する。
【００９４】
この設計によれば、開始装置は、測定レポートを受信するための時間を延長するべき特定の継続時間を決定することができ、それにより、測定レポートを受信するために待機する際に開始装置によって消費される電力を低減する。
【００９５】
第六の側面によれば、本願のある実施形態は測定方法をさらに提供する。本方法は：
端末装置にサービスする基地局によって、端末装置によって送信された衝突メッセージを受信する段階であって、前記衝突メッセージは、端末装置が第一の測定タスクのための第一の測定要求および第二の測定タスクのための第二の測定要求を受信したことを示すために使用される、段階と；基地局によって、第一の測定タスクおよび第二の測定タスクのうちから第一のターゲット測定タスクを決定し、第一のターゲット測定タスクを優先的に実行するように端末装置に命令するための測定構成メッセージを端末装置に送信する段階とを含む。
【００９６】
本方法によれば、基地局は、第一のターゲット測定タスクを優先的に実行するように端末装置に命令することができる。よって、端末装置は、二つの測定タスクのうちの任意のものを優先的に実行することができ、それにより測定タスクの完了品質を保証する。このように、二つの測定タスクを開始する装置が、端末装置に、対応する二つの測定タスクを実行するように命令するとき、端末装置によって二つの測定タスクを実行するプロセスにおいて衝突が回避されることができ、それにより、端末装置の測定効率を確保することができる。
【００９７】
ある可能な設計では、基地局は、以下の方法で、第一のターゲット測定タスクを決定することができる：
基地局によって、第一の測定タスクの優先度および第二の測定タスクの優先度を決定し；次いで、基地局によって、第一の測定タスクの優先度および第二の測定タスクの優先度に基づいて、より高い優先度をもつ測定タスクを第一のターゲット測定タスクとして決定する。
【００９８】
この設計によれば、開始装置は、第一の測定タスクおよび第二の測定タスクのうちからより高い優先度をもつ測定タスクを選択し、選択された測定タスクを優先的に実行することができ、それにより、二つの測定タスクを実行するプロセスにおける衝突を回避する。
【００９９】
ある可能な設計では、基地局は、以下の実装において、第一の測定タスクの優先度および第二の測定タスクの優先度を決定することができる。
【０１００】
実装１：基地局は、第一の測定タスクの前記格納された優先度および第二の測定タスクの格納された優先度を判別する。
【０１０１】
実装２：基地局は、衝突メッセージに含まれる第一の測定タスクの前記優先度および第二の測定タスクの優先度を判別する。
【０１０２】
この設計によれば、基地局は、第一の測定タスクおよび第二の測定タスクの優先度を正確に決定することができる。
【０１０３】
第七の側面によれば、本願の実施形態は、移動通信システムに適用される測定方法をさらに提供する。本方法では、第一の測定タスクを開始する装置によって送信された第一の測定要求を受信した後、端末装置は、測定タスク通知を他の開始装置に送信する。該測定タスク通知は、端末装置が第一の測定要求を受信したことを該他の開始装置に通知するために使用され、該他の開始装置は、前記移動通信システムにおいて測定タスクを開始できる（すなわち、端末装置に測定要求を送信できる）装置である。このようにして、測定タスク通知を受け取った後は、該他の開始装置はもはや、指定された時間（事前設定された継続時間、または第一の測定タスクの指定された実行時間）においては、端末装置に対して測定要求を送信しない。開始装置は、基地局またはサーバーであってもよい。たとえば、非位置決め測定タスクのために基地局によって送信された測定要求を端末装置が受信した後、端末装置は、測定タスク通知をサーバー（たとえば、位置決めサーバー）に送信する。測定タスク通知を受信した後、サーバーは、非位置決め測定タスクの実行時間内にはもはや測定タスクのための測定要求（たとえば、位置決め測定タスクのための測定要求）を送信しない。
【０１０４】
本方法によれば、測定要求を受信後、端末装置は、移動通信システムにおいて測定要求を送信しうる他の開始装置に対して、測定タスク通知を送信し、それにより、該他の開始装置は、指定された時間内にはもはや端末装置に測定要求を送信しなくなる。このようにして、端末装置において、複数の測定タスクの間の衝突が回避されることができ、それにより、端末装置の測定効率を確保することができる。
【０１０５】
第八の側面によれば、本願のある実施形態はさらに、端末装置を提供する。端末装置は、上記の方法実施形態における端末装置の振る舞いを実装する機能をもつ。それらの機能は、ハードウェアによって実装されてもよく、または対応するソフトウェアを実行するハードウェアによって実装されてもよい。ハードウェアまたはソフトウェアは、機能に対応する一つまたは複数のモジュールを含む。
【０１０６】
ある可能な設計では、端末装置の構造は、通信ユニットおよび処理ユニットを含む。これらのユニットは、上記の方法実施形態における対応する機能を実行することができる。詳細については、方法実施形態の詳細な説明を参照されたい。ここでは詳細は再度記載しない。
【０１０７】
ある可能な設計では、端末装置の構造は、トランシーバと、プロセッサと、メモリとを含む。トランシーバは、データを送受信するよう構成され、プロセッサは、上記の方法における対応する機能を実行する際に端末装置をサポートするよう構成され、メモリは、プロセッサに結合され、端末装置のために必要なプログラム命令（またはアプリケーション・プログラムおよびデータを記憶する。
【０１０８】
第九の側面によれば、本願のある実施形態は、開始装置をさらに提供する。開始装置は、上記の方法実施形態における開始装置の振る舞いを実装する機能をもつ。それらの機能は、ハードウェアによって実装されてもよく、または対応するソフトウェアを実行するハードウェアによって実装されてもよい。ハードウェアまたはソフトウェアは、機能に対応する一つまたは複数のモジュールを含む。
【０１０９】
ある可能な設計では、開始装置の構造は、通信ユニットおよび処理ユニットを含む。これらのユニットは、上記の方法実施形態における対応する機能を実行することができる。詳細については、方法実施形態の詳細な説明を参照されたい。ここでは詳細は再度記載しない。
【０１１０】
ある可能な設計では、端末装置の構造は、通信モジュールと、プロセッサと、メモリとを含む。通信モジュールは、データを送受信するよう構成され、プロセッサは、上記の方法における対応する機能を実行する際に開始装置をサポートするよう構成され、メモリは、プロセッサに結合され、開始装置のために必要なプログラム命令（またはアプリケーション・プログラムおよびデータを記憶する。
【０１１１】
第十の側面によれば、本願のある実施形態は、基地局をさらに提供する。基地局は、上記の方法実施形態における基地局の振る舞いを実装する機能をもつ。それらの機能は、ハードウェアによって実装されてもよく、または対応するソフトウェアを実行するハードウェアによって実装されてもよい。ハードウェアまたはソフトウェアは、機能に対応する一つまたは複数のモジュールを含む。
【０１１２】
ある可能な設計では、基地局の構造は、通信ユニットおよび処理ユニットを含む。これらのユニットは、上記の方法実施形態における対応する機能を実行することができる。詳細については、方法実施形態の詳細な説明を参照されたい。ここでは詳細は再度記載しない。
【０１１３】
ある可能な設計では、基地局の構造は、トランシーバと、プロセッサと、メモリとを含む。トランシーバは、データを送受信するよう構成され、プロセッサは、上記の方法における対応する機能を実行する際に基地局をサポートするよう構成され、メモリは、プロセッサに結合され、基地局のために必要なプログラム命令（またはアプリケーション・プログラムおよびデータを記憶する。
【０１１４】
第十一の側面によれば、本願のある実施形態は、コンピュータ記憶媒体をさらに提供する。前記記憶媒体は、ソフトウェア・プログラムを記憶し、前記ソフトウェア・プログラムが一つまたは複数のプロセッサによって読み出され実行されると、前記第一ないし第六の側面のうちのいずれか一つの側面、または前記側面のうちいずれかの側面のいずれかの設計に基づく方法を実装することができる。
【０１１５】
第十二の側面によれば、本願のある実施形態は、命令を含むコンピュータ・プログラム製品をさらに提供する。命令がコンピュータ上で実行されると、コンピュータは、上記の各側面に記載された方法を実行することができるようにされる。
【０１１６】
本願の実施形態では、端末装置が、二つの測定タスクを開始する装置によって送信された測定要求を同時に、または相次いで受信した後、端末装置は、二つの測定タスクのうちの任意のものを優先的に実行することができ、それにより、測定タスクの完了品質を保証する。このように、二つの測定タスクを開始する装置が、端末装置に、対応する二つの測定タスクを実行するように命令するとき、端末装置によって二つの測定タスクを実行するプロセスにおいて衝突が回避されることができ、それにより、端末装置の測定効率を確保することができる。
【図面の簡単な説明】
【０１１７】
【図１】本願のある実施形態による移動通信システムのアーキテクチャー図である。
【０１１８】
【図２】本願のある実施形態による第一の測定方法のフローチャートである。
【０１１９】
【図３】本願のある実施形態による第二の測定方法のフローチャートである。
【０１２０】
【図４】本願のある実施形態による第三の測定方法のフローチャートである。
【０１２１】
【図５】本願のある実施形態による第四の測定方法のフローチャートである。
【０１２２】
【図６】本願のある実施形態による第五の測定方法のフローチャートである。
【０１２３】
【図７】本願のある実施形態による第六の測定方法のフローチャートである。
【０１２４】
【図８】本願のある実施形態による第一の端末装置の構造図である。
【０１２５】
【図９】本願のある実施形態による第一の開始装置の構造図である。
【０１２６】
【図１０】本願のある実施形態による第二の開始装置の構造図である。
【０１２７】
【図１１】本願のある実施形態による第三の開始装置の構造図である。
【０１２８】
【図１２】本願のある実施形態による第四の開始装置の構造図である。
【０１２９】
【図１３】本願のある実施形態による第一の基地局の構造図である。
【０１３０】
【図１４】本願のある実施形態に係る第二の端末装置の構造図である。
【０１３１】
【図１５】本願のある実施形態による第五の開始装置の構造図である。
【０１３２】
【図１６】本願のある実施形態による第六の開始装置の構造図である。
【０１３３】
【図１７】本願のある実施形態による第七の開始装置の構造図である。
【０１３４】
【図１８】本願のある実施形態による第八の開始装置の構造図である。
【０１３５】
【図１９】本願のある実施形態による第二の基地局の構造図である。
【発明を実施するための形態】
【０１３６】
本願は、端末装置によって二つの測定タスクを実行するプロセスにおいて衝突が発生し、端末装置の測定効率に影響するという問題を解決するための測定方法および装置を提供する。方法および装置は、同じ発明アイデアに基づいている。この方法および装置は、問題を解決するために同様の原理を有する。したがって、装置の実装および方法の実装について、互いを参照されたい。繰り返しになる部分を再度述べることはしない。
【０１３７】
上記の背景における記述に基づき、端末装置内のチップは限られた処理能力をもつため、端末装置は二つの測定タスクを同時に実行することができない。したがって、二つの測定タスクを開始する諸装置の両方が二つの対応する測定タスクを実行するよう端末装置に命令する場合、たとえば、端末装置が、二つの測定タスクのための測定要求を同時に受け取る場合または端末装置が、二つの測定タスクのうちの一方を実行するプロセスにおいて、他方の測定タスクの測定要求を受け取る場合、端末装置が二つの測定タスクを実行するときに衝突が発生し、端末装置の測定効率に影響する。
【０１３８】
本願の実施形態では、端末装置が、二つの測定タスクを開始する装置によって送信された測定要求を同時にまたは相次いで受信した後、端末装置は、二つの測定タスクのうちの任意のものを優先的に実行することができ、それにより、測定タスクの完了品質を保証する。このように、二つの測定タスクを開始する装置が、端末装置に、対応する二つの測定タスクを実行するよう命令する場合に、端末装置によって二つの測定タスクを実行するプロセスにおいて衝突が回避されることができ、それにより、端末装置の測定効率を確保することができる。
【０１３９】
当業者がよりよい理解を得るのを助けるために、本願におけるいくつかの用語が下記に記述される。
【０１４０】
（１）本願の実施形態における基地局は、端末装置を無線ネットワークに接続するための装置であり、進化型ノードB（evolved  NodeB、eNB）、無線ネットワーク・コントローラ（radio  network  controller、RNC）、ノードB（NodeB、NB）、基地局コントローラ（Base  Station  Controller、BSC）、ベーストランシーバステーション（Base  Transceiver  Station、BTS）、家庭基地局（たとえばhome  evolved  NodeBまたはhome  NodeB、HNB）、ベースバンドユニット（Baseband  Unit、BBU）、アクセスポイント（Access  Point、AP）などを含むがそれに限られない。
【０１４１】
（２）本願における端末装置は、ユーザー装置（User  Equipment、UE）とも称され、ユーザーに音声および／またはデータ接続を提供する装置、たとえばハンドヘルド装置、車載装置、ウェアラブル装置またはコンピューティング装置であって、それぞれ無線接続機能をもつものまたは移動局（Mobile  Station、MS）、無線モデムに接続された別の処理装置などである。
【０１４２】
（３）本願における測定タスクは、特定の測定目的を達成し、ユーザーが必要とするデータを得るために、端末装置によって実行される必要がある測定動作または挙動である。測定タスクは、測定タスクの目的の分割に基づいて、位置決め測定タスクおよび非位置決め測定タスクに分類されうる。
【０１４３】
位置決め測定タスクは、端末装置を測位するために、端末装置の物理的な位置を計算するために用いることができるいくつかの関係したパラメータを、端末装置が測定する測定タスクである。たとえば、関係したパラメータは、端末装置の信号受信時間差、信号送信時間差、参照信号到着時間差（Reference  Signal  Time  Difference、RSTD）などの少なくとも一つであってもよいが、これらに限定されない。
【０１４４】
非位置決め測定タスクは、前記端末装置が、端末装置を測位するという目的とは異なる目的を実現するために使用できる関係したパラメータを測定して、端末装置を測位するという目的とは異なる前記目的を達成できるようにする測定タスクである。たとえば、関係したパラメータは、端末装置の参照信号受信電力（Reference  Signal  Received  Power、RSRP）、参照信号信号対干渉プラスノイズ比（Reference  Signal-Signal  to  Interference  plus  Noise  Ratio、RS-SINR）などのうちの少なくとも一つであってもよいが、これらに限定されない。
【０１４５】
（４）本願における測定タスクの実行時間は、端末装置が測定タスクの実行を開始する瞬間から、端末装置が測定タスクの実行を終了する瞬間（たとえば、測定レポートの生成または測定レポートの報告）までの費やされる時間である。あるいはまた、実行時間は、測定タスクの測定時間によって表わされてもよい。たとえば、測定時間は、第三世代パートナープロジェクト（the  3rd  Generation  Partner  Project、3GPP）の仕様TS36.133では、次のように定義される：測定時間は、端末装置が測定要求（または測定命令）を受信する時刻に始まり、端末装置が測定レポートを報告する時刻までである。
【０１４６】
いくつかの測定タスクの実行時間は、たとえばプロトコルで指定されていてもよく、あるいは測定タスクを開始する装置によって指定されて端末装置に通知されてもよく、あるいは端末装置にサービスする基地局によって指定されて端末装置に通知されてもよい。
【０１４７】
（５）本願におけるコンピューティング資源は、測定タスクによって必要とされるコンピューティングを実施するために使用される、端末装置の資源であり、たとえば、中央処理装置（Central  Processing  Unit、CPU）の利用率またはデジタル信号プロセッサ（Digital  Signal  Processing、DSP）の利用率である。
【０１４８】
（６）本願における記憶資源は、測定タスクに関係したデータおよびプログラムを記憶するために端末装置によって必要とされる資源であり、キャッシュ、メモリなどを含むことができる。
【０１４９】
（７）本願における通信資源は、測定タスクにおける、送信される必要のあるデータを送信するための、端末装置に割り当てられた時間‐周波数資源、アンテナなどを含む。
【０１５０】
（８）本願における測定ギャップ（gap）は、測定タスクを開始する装置または端末装置のための基地局によって、測定タスクを実行するために設定される。端末装置の測定オーバヘッドを低減するために、端末装置は、測定ギャップにおいて測定タスクを実行する。一般に、測定ギャップを構成する仕方は、40msまたは80msの測定ギャップ反復周期（Measurement  Gap  Repetition  period、MGRP）において6msの測定ギャップを構成する。
【０１５１】
すべての測定タスクが測定ギャップにおいて実行される必要はなく、測定ギャップは、いくつかの測定タスクについては構成される必要がないことがあることを注意しておくべきである。これは、本願において限定されない。
【０１５２】
（９）本願の開始装置は、測定タスクを開始する装置、すなわち測定要求を送信する装置である。現在、位置決め測定タスクは、通例、位置決めサーバーによって開始されるが、非位置決め測定タスクは、通例、基地局によって開始される。よって、任意的に、開始装置は、基地局またはサーバーであってもよいが、これに限定されず、代替的に、測定タスクを開始することができる別のその後の装置であってもよい。
【０１５３】
「複数の」とは、二つ以上を意味する。
【０１５４】
さらに、本願の説明において、「第一」、「第二」等の語は、単に区別された記述のために使用されるに過ぎず、相対的な重要性の指示もしくは含意、また順序の指示もしくは含意としては理解されないことを理解しておくべきである。
【０１５５】
以下、添付図面を参照して、本願の実施形態を詳細にさらに説明する。
【０１５６】
図１は、本願のある実施形態による測定方法が適用可能な移動通信システムのある可能なアーキテクチャーを示す図である。図１に示されるように、移動通信システムは：少なくとも一つの開始装置１０１（たとえば、図に示される開始装置ａ  １０１および開始装置ｂ  １０１）、端末装置１０２、および基地局１０３を含む。
【０１５７】
開始装置１０１は、測定タスクのための測定要求を端末装置１０２に送信して、端末装置１０２に測定タスクを実行するように命令するよう構成される。
【０１５８】
開始装置からの測定要求を受け取った後、端末装置１０２は、対応する測定タスクを実行し、測定タスクの実行を終了したときに測定レポートを開始装置１０１に報告し、開始装置１０１に測定タスクの結果を通知する。
【０１５９】
基地局１０３は、測定タスクのための測定要求を端末装置１０２に送信するための開始装置１０１として使用されてもよく、あるいは別の開始装置１０１と前記端末装置１０２との間の通信ノードとして使用されてもよい。たとえば、端末装置１０２に測定要求を送信するとき、開始装置ａ  １０１は、まず該測定要求を基地局１０３に送信する必要があり、次いで基地局１０３が該測定要求を端末装置１０２に転送する。
【０１６０】
なお、図１に示される移動通信システムは、ロングタームエボリューション（Long  Term  Evolution、LTE）システム、LTEシステムに基づいて進化した通信システム、モノのインターネット・システム等に適用可能である。
【０１６１】
本発明のこの実施形態において記載される移動通信システムの前記アーキテクチャーは、本願の実施形態の技術的解決策をより明確に説明するために使用される例であり、本願の実施形態において提供される技術的解決策に対する限定をなすものではない。当業者は、移動通信システムのアーキテクチャーの進化および新しいサービスの出現に伴い、本願の実施形態で提供される技術的解決策が同様の技術的課題にも適用可能であることを知ることができる。
【０１６２】
本願のある実施形態は、測定方法を提供する。本方法は、図１に示される移動通信システムに適用可能であるが、それだけに適用可能であるわけではない。図２に示されるように、本方法の手順は、以下のステップを含む。
【０１６３】
Ｓ２０１。端末装置が、第一の測定タスクを開始する装置によって送られた第一の測定要求を受信した後、端末装置が第一の測定タスクの実行を終了しないときに、端末装置が、第二の測定タスクを開始する装置によって送られた第二の測定要求を受信する；または端末装置が、第一の測定要求および第二の測定要求を同時に受信する。
【０１６４】
第一の測定要求は、端末装置に第一の測定タスクを実行するよう命令するために使用され、第二の測定要求は、端末装置に第二の測定タスクを実行するよう命令するために使用される。
【０１６５】
任意的に、端末装置が第一の測定タスクの実行を終了しないことは、二つの場合を含む：端末装置が第一の測定タスクを実行することを開始していないこと；または、端末装置が第一の測定タスクを実行中であること、である。
【０１６６】
Ｓ２０１において、第一の測定タスクおよび第二の測定タスクは、それぞれ、位置決め測定タスクおよび非位置決め測定タスクのうちの任意のものである。任意的に、第一の測定タスクおよび第二の測定タスクは、両方とも位置決め測定タスクであってもよく、または両方とも非位置決め測定タスクであってもよく、または異なる型の測定タスクであってもよい。これは、本願のこの実施形態において限定されない。
【０１６７】
任意の測定タスクのための測定要求の表現の仕方は、測定タスクによって変わりうる。たとえば、測定要求が位置決め測定要求である場合、測定要求は位置要求情報（Request  Location  Information）であってもよい。
【０１６８】
任意的に、開始装置は、基地局またはサーバーであってもよい。
【０１６９】
さらに、第一の測定タスクを開始する装置と第二の測定タスクを開始する装置は、同じ装置または異なる装置でありうることを注意しておくべきである。これは、本願のこの実施形態において限定されない。
【０１７０】
Ｓ２０１から、端末装置が二つの測定タスクを同時にまたは相次いで受信することがわかる。よって、二つの測定タスクを実行するプロセスにおいて衝突が発生する可能性がある。下記では、図１に示される移動通信システムが記述のための例として使われる。例１では、端末装置１０２は、まず、測定タスクａを開始する開始装置ａ  １０１によって送信された測定要求ａを受信し；端末装置１０２がまだ測定タスクａの実行を開始していないとき、または端末装置１０２が測定タスクａを実行中であるときに、測定タスクｂを開始する開始装置ｂ  １０１によって送信された測定要求２を受信する。
【０１７１】
二つの測定タスクを実行するプロセスにおける衝突を回避するために、端末装置は、第一の測定タスクおよび第二の測定タスクのうちから測定タスクを選択し、選択された測定タスクを優先的に実行してもよい。任意的に、その後のステップＳ２０２を実行する前に、端末装置は、第一のターゲット測定タスクを決定する。第一のターゲット測定タスクは、第一の測定タスクおよび第二の測定タスクのうちの任意のものである。
【０１７２】
端末装置は、以下の態様のいずれかで、第一のターゲット測定タスクを決定することができる。
【０１７３】
態様１：端末装置が、第一の測定要求が受信された時刻が第二の測定要求が受信された時刻よりも早いことを判別する場合、端末装置は、第一の測定タスクを第一のターゲット測定タスクとして決定する。たとえば、例１において、端末装置１０２は、測定タスクａを第一のターゲット測定タスクとして選択することができる。
【０１７４】
態様２：端末装置が、第二の測定要求が受信された時刻が第一の測定要求が受信された時刻よりも遅いことを判別する場合、端末装置は、第二の測定タスクを第一のターゲット測定タスクとして決定する。たとえば、例１において、端末装置１０２は、測定タスクｂを第一のターゲット測定タスクとして選択することができる。
【０１７５】
態様３：端末装置は、第一の測定タスクの優先度および第二の測定タスクの優先度を決定し、第一の測定タスクの優先度および第二の測定タスクの優先度に基づいて、より高い優先度をもつ測定タスクを第一のターゲット測定タスクとして決定する。たとえば、例１において、端末装置１０２は、測定タスクａの優先度がより高く、測定タスクｂの優先度がより低いと判断し、端末装置は、測定タスクａを第一のターゲット測定タスクとして選択してもよい。
【０１７６】
態様１、態様２、態様３の記述から、端末装置が、さまざまなポリシーに従って、優先的に実施されるべき測定タスクを決定しうることがわかる。
【０１７７】
態様４：端末装置は、第一の測定タスクを開始する装置に第一の衝突メッセージを送る。第一の衝突メッセージは、端末装置が第二の測定要求を受信していることを示すために使用される。
【０１７８】
第一の測定タスクを開始する装置は、第一のターゲット測定タスクを決定してもよく、または第一の衝突メッセージを第二の測定タスクを開始する装置または基地局に転送して、第二の測定タスクを開始する装置または基地局が第一のターゲット測定タスクを決定し、第一の測定タスクを開始する装置に第一のターゲット測定タスクを通知してもよい。
【０１７９】
第一のターゲット測定タスクを決定した後、第一の測定タスクを開始した装置は、第一の測定構成メッセージを端末装置に返す。第一の測定構成メッセージは、端末装置に第一のターゲット測定タスクを優先的に実行するよう命令するために使用される。
【０１８０】
端末装置は、第一の測定タスクを開始した装置から返された第一の測定構成メッセージを受信し、第一の測定構成メッセージに基づいて第一のターゲット測定タスクを決定する。
【０１８１】
態様５：態様４におけるプロセスと同様。端末装置は、第二の測定タスクを開始した装置に第二の衝突メッセージを送信する。第二の衝突メッセージは、端末装置が第一の測定要求を受信していることを示すために使用される。
【０１８２】
第二の測定タスクを開始する装置は、第一のターゲット測定タスクを決定してもよく；または第二の衝突メッセージを第一の測定タスクを開始する装置または基地局に転送して、第一の測定タスクを開始する装置または基地局が第一のターゲット測定タスクを決定し、第二の測定タスクを開始する装置に第一のターゲット測定タスクを通知してもよい。
【０１８３】
第一のターゲット測定タスクを決定した後、第二の測定タスクを開始した装置は、第二の測定構成メッセージを端末装置に返す。第二の測定構成メッセージは、端末装置に第一のターゲット測定タスクを優先的に実行するよう命令するために使用される。
【０１８４】
端末装置は、第二の測定タスクを開始した装置によって返された第二の測定構成メッセージを受信し、第二の測定構成メッセージに基づいて第一のターゲット測定タスクを決定する。
【０１８５】
態様４および態様５の記述から、端末装置は、測定タスクを開始する装置を使って、優先的に実行されるべき測定タスクを決定してもよいことがわかる。
【０１８６】
態様６：第一の測定タスクを開始する装置も第二の測定タスクを開始する装置も基地局でない場合、端末装置は、第三の衝突メッセージを端末装置にサービスする基地局に送信する。第三の衝突メッセージは、端末装置が第一の測定要求および第二の測定要求を受信したことを示すために使用される。
【０１８７】
基地局は、第一のターゲット測定タスクを決定し、第三の測定構成メッセージを端末装置に返す。第三の測定構成メッセージは、端末装置に第一のターゲット測定タスクを優先的に実行するよう命令するために使用される。
【０１８８】
端末装置は、基地局によって返された第三の測定構成メッセージを受信し、第三の測定構成メッセージに基づいて第一のターゲット測定タスクを決定する。
【０１８９】
態様６の説明から、端末装置は、基地局を使って、優先的に実行されるべき測定タスクを代替的に決定してもよいことがわかる。
【０１９０】
なお、前記６つの態様は、端末装置による第一のターゲット測定タスクの決定に対するいかなる限定をなすものでもない。端末装置は代替的に、別のポリシーに従って第一のターゲット測定タスクを決定してもよく、たとえば、第一の測定タスクおよび第二の測定タスクのうちから一つの測定タスクをランダムに選択したり、あるいは第一の測定タスクおよび第二の測定タスクのうちから実行時間がより短い測定タスクを選択したりしてもよい。
【０１９１】
任意的に、第一のターゲット測定タスクを決定する態様３において、端末装置は、以下の実装において第一の測定タスクの優先度を決定してもよい。
【０１９２】
実装１：第一の測定要求を送信するときに、第一の測定タスクを開始する装置は、第一の測定要求に第一の測定タスクの優先度を加えてもよい。このようにして、端末装置は、第一の測定要求に含まれる第一の測定タスクの優先度を判別することができる。
【０１９３】
実装２：端末装置は、第一の測定タスクを開始する装置に対して優先度要求を送信し；第一の測定タスクの優先度を決定した後、第一の測定タスクを開始する装置は、第一の測定タスクの優先度を担持する優先度応答を端末装置に送信する。端末装置は、第一の測定タスクを開始する装置によって返される、第一の測定タスクの優先度を担持する優先度応答を受信する。
【０１９４】
実装３：端末装置は、測定タスクと優先度の間の対応に基づいて、第一の測定タスクの優先度を決定してもよい。
【０１９５】
任意的に、第一のターゲット測定タスクを決定する態様３において、端末装置は、代替的に、以下のいくつかの実装において第二の測定タスクの優先度を決定してもよい。端末装置によって第二の測定タスクの優先度を決定する方法は、端末装置によって第一の測定タスクの優先度を決定する方法と同じである。よって、同じ部分については、第一の測定タスクの優先度の決定についての上記の記述を参照されたい。詳細は、ここでは再度説明しない。
【０１９６】
実装１：端末装置は、第二の測定要求に含まれる第二の測定タスクの優先度を判別する。
【０１９７】
実装２：端末装置は、第二の測定タスクを開始する装置に対して優先度要求を送信し；第二の測定タスクを開始する装置によって返される、第二の測定タスクの優先度を担持する優先度応答を受信する。
【０１９８】
実装３：端末装置は、測定タスクと優先度の間の対応に基づいて、第二の測定タスクの優先度を決定してもよい。
【０１９９】
任意的に、第一のターゲット測定タスクを決定する態様４において、第二の測定タスクの優先度を決定するとき、端末装置は、第二の測定タスクの優先度を、第一の衝突メッセージに加えてもよい。このようにして、第一の測定タスクを開始する装置は、第一の衝突メッセージに基づいて、第二の測定タスクの優先度を取得することができる。第一の測定タスクの優先度が別の仕方で決定される場合、優先的に実行されるべき測定タスクは、測定タスクの優先度に基づいて決定できる。
【０２００】
任意的に、第一のターゲット測定タスクを決定する態様４において、第一の測定タスクの優先度および第二の測定タスクの優先度を決定するとき、端末装置は、第一の測定タスクの優先度および第二の測定タスクの優先度の両方を第一の衝突メッセージに加えてもよい。このようにして、第一の測定タスクを開始する装置は、第一の衝突メッセージに基づいて、第一の測定タスクの優先度および第二の測定タスクの優先度を取得することができるので、優先的に実行されるべき測定タスクは、測定タスクの優先度に基づいて決定することができる。
【０２０１】
任意的に、第一のターゲット測定タスクを決定する態様４と同様に、第一のターゲット測定タスクを決定する態様５において、第二の衝突メッセージがさらに、第一の測定タスクの優先度、または第一の測定タスクの優先度および第二の測定タスクの優先度を含んでいてもよい。
【０２０２】
このようにして、第二の測定タスクを開始する装置は、第二の衝突メッセージに基づいて、第一の測定タスクの優先度または二つの測定タスクの優先度を決定し、それにより、それらの測定タスクの優先度に基づいて、優先的に実行されるべき測定タスクを決定することができる。
【０２０３】
任意的に、第一のターゲット測定タスクを決定する態様４と同様に、第一のターゲット測定タスクを決定する態様６において、第三の衝突メッセージはさらに、第一の測定タスクの優先度および第二の測定タスクの優先度を含んでいてもよい。
【０２０４】
このようにして、基地局は、二つの測定タスクの優先度を決定することができ、それによって、それらの測定タスクの優先度に基づいて、優先的に実行されるべき測定タスクを決定することができる。
【０２０５】
Ｓ２０２。端末装置は、第一のターゲット測定タスクを優先的に実行する。
【０２０６】
Ｓ２０２において、端末装置は、二つの測定タスクを実行するプロセスにおける衝突を回避するよう、第一のターゲット測定タスクの完了品質を保証することができ、それにより、端末装置の測定効率を保証する。
【０２０７】
任意的に、端末装置は、以下の態様でＳ２０２を実行することができるが、かかる態様だけではない。第二のターゲット測定タスクは、第一の測定タスクおよび第二の測定タスクのうち、第一のターゲット測定タスクとは異なる他方のタスクである。
【０２０８】
態様１：端末装置は、第一のターゲット測定タスクを実行し、第二のターゲット測定タスクの実行を拒否する。
【０２０９】
たとえば、端末装置が第一の測定タスクを実行することをまだ開始していないシナリオでは、端末装置が第二のターゲット測定タスクの実行を拒否することは、次のことを含む：端末装置はもはや、第二のターゲット測定タスクを実行しない。
【０２１０】
別の例として、端末装置が第一の測定タスクを実行中であり、第二のターゲット測定タスクが第一の測定タスクであるシナリオでは、端末装置が第二のターゲット測定タスクの実行を拒否することは：
端末装置が第一の測定タスクの実行を中断し、もはや第一の測定タスクを実行しないことを含む。
【０２１１】
よって、前記態様では、二つの測定タスクを実行するプロセスにおける衝突を回避するように、第一のターゲット測定タスクの完了品質が保証されることができ、それにより、端末装置の測定効率を確保する。
【０２１２】
態様２：端末装置は、まず第一のターゲット測定タスクを実行し、その後、第一のターゲット測定タスクを終了した後、第二のターゲット測定タスクを実行する。
【０２１３】
よって、前記態様では、第一のターゲット測定タスクの完了品質が保証できるだけでなく、第二のターゲット測定タスクが完了されることもでき、二つの測定タスクを実行するプロセスにおける測定タスクの放棄と衝突を回避し、それにより端末装置の測定効率を確保することができる。
【０２１４】
態様３：端末装置は、第一のターゲット測定タスクの指定された実行時間において第一のターゲット測定タスクを実行し、第二のターゲット測定タスクの指定された実行時間を延長し、第二のターゲット測定タスクの実行時間が延長された後に得られる時間において第二のターゲット測定タスクを実行する。任意の測定タスクの実行時間は、端末装置がその測定タスクの実行を開始する時点から、端末装置がその測定タスクの実行を終了する時点までの費やされる時間である。
【０２１５】
よって、前記態様では、第一のターゲット測定タスクの実行時間において第一のターゲット測定タスクが終了することが保証でき、それにより、第一のターゲット測定タスクの完了品質を保証することができる。また、第二のターゲット測定タスクの実行時間が延長され、二つの測定タスクを実行するプロセスにおける衝突が避けられ、端末装置の測定効率を確保することができる。
【０２１６】
態様４：端末装置は、第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られる時間において第一のターゲット測定タスクを実行し、第二のターゲット測定タスクの実行時間が延長された後に得られる時間において第二のターゲット測定タスクを実行する。第二の継続時間は第一の継続時間より長い。
【０２１７】
したがって、前記態様では、第一のターゲット測定タスクの実行時間がより短い時間だけ延長されたときに第一のターゲット測定タスクが終了することが保証でき、それにより第一のターゲット測定タスクの完了品質を保証する。さらに、第二のターゲット測定タスクの実行時間がより長い時間だけ延長され、それにより端末装置が第二のターゲット測定タスクを実行するとき、第一のターゲット測定タスクが過度に回避されることを防止し、二つの測定タスクを実行するプロセスにおける衝突を回避し、それにより、端末装置の測定効率を確保することができる。
【０２１８】
態様５：端末装置は、第一のターゲット測定タスクに割り当てられた資源を使って第一のターゲット測定タスクを実行し、第二のターゲット測定タスクに割り当てられた資源を使って第二のターゲット測定タスクを実行する。第一のターゲット測定タスクに割り当てられた資源は、第二のターゲット測定タスクに割り当てられた資源より大きく、資源は、計算資源、記憶資源、通信資源、および測定ギャップのうちの少なくとも一つを含む。
【０２１９】
たとえば、指定された期間に10個の測定ギャップがあり、端末装置は、8個の測定ギャップにおいて第一のターゲット測定タスクを実行し、他の2つの測定ギャップにおいて第二のターゲット測定タスクを実行してもよい。
【０２２０】
前記態様では、端末装置によって第一のターゲット測定タスクに割り当てられる資源は、端末装置によって第二のターゲット測定タスクに割り当てられる資源よりも大きいため、端末装置は、二つの測定タスクを実行するプロセスにおける衝突を回避し、それにより端末装置の測定効率を確保するように、第一のターゲット測定タスクの完了品質を保証することができる。
【０２２１】
態様３ないし態様５において、第一のターゲット測定タスクの実行時間と第二のターゲット測定タスクの実行時間との間には、部分的な交わりが存在してもよい。この交わりにおいては、端末装置によって第一のターゲット測定タスクに割り当てられた資源は、端末装置によって第二のターゲット測定タスクに割り当てられた資源よりも大きく、第一のターゲット測定タスクの完了品質を保証する。
【０２２２】
本願のこの実施形態において提供される前記測定方法によれば、端末装置が、二つの測定タスクを開始する装置によって送信された測定要求を同時にまたは相次いで受信した後、端末装置は、二つの測定タスクのうちの任意のものを優先的に実行し、それにより、測定タスクの完了品質を確保することができる。このように、二つの測定タスクを開始する装置が、端末装置に、対応する二つの測定タスクを実行するよう命令する場合、端末装置によって二つの測定タスクを実行するプロセスにおいて衝突が回避されることができ、それにより、端末装置の測定効率を確保することができる。
【０２２３】
なお、前記測定方法において、端末装置は、第一のターゲット測定タスクの完了品質を確保するために、上記の諸態様で第一のターゲット測定タスクを優先的に実行することができることを注意しておくべきである。任意的に、Ｓ２０１において、二つの測定タスクの両方が実行されることを確実にするために、端末装置は、それらの測定タスクの一方を優先的に実行しなくてもよい。
【０２２４】
たとえば、端末装置は、第一の測定タスクの指定された実行時間を延長し、第二の測定タスクの指定された実行時間を延長し、第一の測定タスクの実行時間が延長された後に得られる時間において第一の測定タスクを実行し、第二の測定タスクの実行時間が延長された後に得られる時間において第二の測定タスクを実行する。端末装置は、二つの測定タスクの実行時間が延長されるべき継続時間を指定しなくてもよく、あるいは二つの測定タスクの実行時間が同じ延長されるべき同じ継続時間を指定してもよい。
【０２２５】
別の例として、端末装置は、第一の測定タスクおよび第二の測定タスクに同じ資源を割り当て、それにより、同じ資源を使って前記二つの測定タスクを実行する。
【０２２６】
さらに、測定ギャップの上記の説明から、測定ギャップにおいていくつかの測定タスクが実行される必要があることがわかる。したがって、任意的に、上記の実施形態におけるＳ２０２において、端末装置は、下記のことを含む以下の実装において第一のターゲット測定タスクを実行してもよい：
端末装置によって、第一の測定ギャップにおいて第一のターゲット測定タスクを実行する。
【０２２７】
任意的に、第一の測定タスクが測定ギャップにおいて実行される必要があり、第一の測定タスクを開始する装置または基地局が第一の測定タスクのための測定ギャップを構成したシナリオにおいては、第一のターゲット測定タスクが第一の測定タスクであるか第二の測定タスクであるかにかかわらず、第一のターゲット測定タスクのためには相変わらず、構成された測定ギャップが使用されてもよい。
【０２２８】
任意的に、第一の測定タスクが第一の測定タスクであり、第一の測定タスクを開始する装置または基地局が第一の測定タスクのために測定ギャップを構成しない場合、端末装置は第一の測定タスクを開始する装置または基地局に、測定ギャップを構成するよう要求する必要があり、測定ギャップが構成された後に測定ギャップにおいて第一の測定タスクを実行する。
【０２２９】
結論として、上記の方法における第一の測定ギャップは、第一の測定タスクを開始する装置または端末装置にサービスする基地局によって、端末装置のために、第一の測定タスクについて、構成されてもよい。
【０２３０】
任意的に、第一のターゲット測定タスクが第二の測定タスクであるシナリオにおいて、端末装置が第一の測定ギャップにおいて第一のターゲット測定タスクを実行する前に、本方法は、さらに以下のステップを含む：
端末装置が、第二の測定タスクのために、第一の測定ギャップ構成要求を、第二の測定タスクを開始する装置または端末装置にサービスを提供する基地局に送信し；
端末装置が、第二の測定タスクを開始する装置または基地局によって送信された第一の測定ギャップ構成情報を受信し；
端末装置が、第一の測定ギャップ構成情報に基づいて、第一の測定ギャップを決定する。
【０２３１】
上記の方法によれば、端末装置は、第二の測定タスクを開始する装置または基地局に対して、第二の測定タスクのための測定ギャップを構成設定するよう要求することができる。
【０２３２】
任意的に、上記の実施形態におけるＳ２０２において、第二のターゲット測定タスクも測定ギャップ内で実行する必要がある場合には、端末装置は、以下の二つの実装のうちの任意のものにおいて第二のターゲット測定タスクを実行してもよい。
【０２３３】
実装１：端末装置は、第一の測定ギャップにおいて第二のターゲット測定タスクを実行する。具体的には、第二のターゲット測定タスクを実行するとき、端末装置は、相変わらず、第一のターゲット測定タスクのために使用される測定ギャップを使用する。
【０２３４】
実装２：端末装置は、第二の測定ギャップにおいて第二のターゲット測定タスクを実行する。第二の測定ギャップは、第一の測定ギャップとは異なる。
【０２３５】
任意的に、実装２において端末装置が第二のターゲット測定タスクを実行するとき、端末装置が第二のターゲット測定タスクを実行する前に、本方法は、さらに、以下を含む：
端末装置が、第二のターゲット測定タスクのために、第二のターゲット測定タスクを開始する装置または端末装置にサービスする基地局に第二の測定ギャップ構成要求を送信し；
端末装置が、第二の測定タスクを開始する装置または基地局によって送信された第二の測定ギャップ構成情報を受信し；
端末装置が、第二の測定ギャップ構成情報に基づいて、第二の測定ギャップを決定する。
【０２３６】
前記方法によれば、端末装置は、第二のターゲット測定タスクを開始する装置または基地局に対して、第二のターゲット測定タスクのための測定ギャップを構成するよう要求することができる。
【０２３７】
測定タスクの記述から、測定タスクの実行を終了するとき、端末装置は測定結果を担持する測定レポートを生成する必要があり、測定タスクを開始した装置に該測定レポートを送信することがわかる。したがって、端末装置に測定要求を送信した後、開始装置は、測定レポートを受け取るための時間において測定レポートを受け取るために待つ。端末装置が第二のターゲット測定タスクの実行を拒否したり、あるいは第二のターゲット測定タスクの実行を延長したりする場合には、任意的に、端末装置は、第二のターゲット測定タスクを開始した装置に対して、測定レポートの受信をスキップする、または、測定レポートを受信するための時間を延長するよう命令してもよい。このようにして、測定タスクを開始した装置は、測定タスクの対応する実行状態を通知されることができ、それにより、測定レポートの受信を待つことにおいてまたは測定レポートを受信することにおいて開始装置によって消費される電力を削減することができる。任意的に、端末装置は、第二のターゲット測定タスクを開始する装置に対して、以下の実装において、測定レポートの受信をスキップするように、または測定レポートを受信するための時間を延長するように命令することができる。
【０２３８】
実装１：端末装置が態様１においてＳ２０２を実行する場合、本方法は、さらに以下を含む：
端末装置が、第一の測定レポート受信指示を第二のターゲット測定タスクを開始する装置に送信する。第一の測定レポート受信指示は、第二のターゲット測定タスクを開始する装置に、第二のターゲット測定タスクの測定レポートの受信をスキップするよう命令するために使用される。
【０２３９】
実装２：端末装置が態様２または態様３においてＳ２０２を実行する場合、本方法はさらに以下を含む：
端末装置が、第二のターゲット測定タスクを開始する装置に第二の測定レポート受信指示を送信する。第二の測定レポート受信指示は、第二のターゲット測定タスクを開始する装置に、第二のターゲット測定タスクの測定レポートを受信するための時間を延長するよう命令するために使用される。
【０２４０】
実装３：端末装置が態様４においてＳ２０２を実行する場合、本方法は、さらに以下を含む：
端末装置が、第三の測定レポート受信指示を第一のターゲット測定タスクを開始した装置に送信し、第四の測定レポート受信指示を第二のターゲット測定タスクを開始した装置に送信する。ここで、第三の測定レポート受信指示は、第一のターゲット測定タスクを開始した装置に対して、第一のターゲット測定タスクの測定レポートを受信するための時間を延長するよう命令するために使用され、第四の測定レポート受信指示は、第二のターゲット測定タスクを開始した装置に対して、第二のターゲット測定タスクの測定レポートを受信するための時間を延長するよう命令するために使用される。
【０２４１】
任意的に、実装３において、第三の測定レポート受信指示はさらに第一の継続時間を含む、および／または第四の測定レポート受信指示はさらに第二の継続時間を含む。
【０２４２】
したがって、上述の諸態様では、測定タスクを開始する装置は、受信した測定レポート受信指示に基づいて、測定レポートを受信するための時間が延長される必要がある具体的な時間を知ることができ、それにより、測定レポートを受信するのを待つ際に開始装置によって消費する電力を削減することができる。
【０２４３】
上記の諸実施形態に基づいて、本願のある実施形態は、測定方法をさらに提供する。本方法は、図１に示す移動通信システムに適用可能であるが、それだけに適用可能であるわけではない。図３に示されるように、本方法の手順は、以下のステップを含む。
【０２４４】
Ｓ３０１。開始装置が、測定タスクの優先度を決定する。
【０２４５】
任意的に、開始装置は、図２に示される方法における、第一の測定タスクを開始する装置、または、第二の測定タスクを開始する装置でありうる。
【０２４６】
任意的に、開始装置は、測定タスクと優先度との間の対応に基づいて、測定タスクの優先度を決定してもよい。
【０２４７】
Ｓ３０２。開始装置は、測定タスクの測定要求を端末装置に送信する。ここで、測定要求は測定タスクの優先度を含む。
【０２４８】
本願のこの実施形態において提供される測定方法によれば、開始装置は、測定要求に測定タスクの優先度を加え、その後、測定要求を端末装置に送信する。このようにして、端末装置は、測定要求に基づいて測定タスクの優先度を決定することができ、それによって、測定タスクの優先度に基づいて優先的に実行されるべき測定タスクを決定することができる。
【０２４９】
上記の諸実施形態に基づいて、本願のある実施形態は、測定方法をさらに提供する。本方法は、図１に示される移動通信システムに適用可能であるが、それだけに適用可能であるわけではない。図４に示されるように、本方法の手順は、以下のステップを含む。
【０２５０】
Ｓ４０１。測定タスクのための測定要求を端末装置に送信した後、開始装置は、端末装置によって送信された優先度要求を受信する。
【０２５１】
Ｓ４０２。開始装置は、測定タスクの優先度を決定し、測定タスクの優先度を担持する優先度応答を端末装置に送信する。
【０２５２】
任意的に、開始装置は、測定タスクと優先度との間の対応に基づいて、測定タスクの優先度を決定してもよい。
【０２５３】
本願のこの実施形態において提供される測定方法によれば、端末装置が、開始装置に、開始装置によって開始された測定タスクの優先度を要求するとき、開始装置は、測定タスクの優先度を端末装置に送信する。このようにして、端末装置は、測定タスクの優先度に基づいて、優先的に実行されるべき測定タスクを決定することができる。
【０２５４】
上記の諸実施形態に基づいて、本願のある実施形態は、測定方法をさらに提供する。本方法は、図１に示される移動通信システムに適用可能であるが、それだけに適用可能であるわけではない。図５に示されるように、本方法の手順は、以下のステップを含む。
【０２５５】
Ｓ５０１。開始装置が、測定タスクの測定要求を端末装置に送信する。
【０２５６】
Ｓ５０２。開始装置は、端末装置によって送信された第一の測定レポート受信指示を受信し、第一の測定レポート受信指示に基づいて、測定タスクの測定レポートを受信することをスキップする。ここで、第一の測定レポート受信指示は、開始装置に対して、測定タスクの測定レポートの受信をスキップするよう命令するために使用される。
【０２５７】
ステップＳ５０２において、開始装置は、第一の測定レポート受信指示に基づいて、端末装置が測定タスクの実行を拒否したこと、測定タスクの測定レポートの受信が禁止されていることを知ることができ、測定レポートを受信するために待つ時間および測定レポートを受信する時間を短縮することができる。
【０２５８】
Ｓ５０３。開始装置は、端末装置によって送信された第二の測定レポート受信指示を受信し、第二の測定レポート受信指示に基づいて、測定タスクの測定レポートを受信するための指定された時間を延長する。ここで、第二の測定レポート受信指示は、測定タスクの測定レポートを受信するための時間を延長するよう開始装置に命令するために使用される。
【０２５９】
ステップＳ５０３において、開始装置は、第二の測定レポート受信指示に基づいて、端末装置が測定タスクの実行時間を延長したこと、すなわち、測定タスクの測定レポートを報告する時間を延長したことを知ることができる。よって、開始装置は、それに対応して、測定タスクの測定レポートを受信するための指定された時間を延長し、測定レポートを受信するために待機する時間を短縮することができる。
【０２６０】
任意的に、第二の測定レポート受信指示はさらに、継続時間を含む。Ｓ５０３では、開始装置が、第二の測定レポート受信指示に基づいて、測定タスクの測定レポートを受信するための指定された時間を延長することは、下記を含む：
開始装置が、測定タスクの測定レポートを受信するための指定された時間を前記継続時間だけ延長する。
【０２６１】
このようにして、開始装置は、測定レポートを受け取るための時間が延長されるべき特定の期間を決定することができ、それにより、測定レポートを受け取るのを待つ際に開始装置によって消費される電力を減少させることができる。
【０２６２】
上記の諸実施形態に基づいて、本願のある実施形態は、測定方法をさらに提供する。本方法は、図１に示される移動通信システムに適用可能であるが、それだけに適用可能であるわけではない。図６に示されるように、本方法の手順は、以下のステップを含む。
【０２６３】
Ｓ６０１。開始装置が、第三の測定タスクの測定要求を端末装置に送信する。
【０２６４】
Ｓ６０２。開始装置は、端末装置、第四の測定タスクを開始する装置、または端末装置にサービスする基地局によって送信された衝突メッセージを受信し、ここで、衝突メッセージは、端末装置が第四の測定タスクのための測定要求を受信したことを示すために使用される。
【０２６５】
任意的に、衝突メッセージが、第四の測定タスクを開始する装置または基地局によって送信される場合、衝突メッセージは、端末装置によって第四の測定タスクを開始する装置または基地局に送信されてもよく、すなわち、衝突メッセージは、第四の測定タスクを開始する装置または基地局によって、第三の測定タスクを開始する装置に転送されてもよい。
【０２６６】
Ｓ６０３。開始装置は、第一のターゲット測定タスクを決定する。第一のターゲット測定タスクは、第三の測定タスクおよび第四の測定タスクのうちの任意のものである。
【０２６７】
任意的に、開始装置は、以下のステップにおいて第一のターゲット測定タスクを決定することができる：
開始装置が、第三の測定タスクの優先度および第四の測定タスクの優先度を決定し；
開始装置が、第三の測定タスクの優先度および第四の測定タスクの優先度に基づいて、より高い優先度をもつ測定タスクを第一のターゲット測定タスクとして決定する。
【０２６８】
本願のこの実施形態は、開始装置が第一のターゲット測定タスクを決定する仕方に制限を課さないことを注意しておくべきである。任意的に、開始装置は、別のポリシーに従って、優先的に実行されるべき測定タスクを決定してもよく、たとえば、優先的に実行されるべき測定タスクをランダムに決定したり、または優先的に実行されるべき測定タスクを実行継続時間に基づいて決定したりすることができる。
【０２６９】
任意的に、上記のステップにおいて、開始装置は、以下の二つの実装において、第三の測定タスクの優先度を決定することができるが、かかる実装だけではない。
【０２７０】
実装１：開始装置は、第三の測定タスクの格納された優先度を判別する。
【０２７１】
実装２：開始装置は、衝突メッセージに含まれる、第三の測定タスクの優先度を判別する。
【０２７２】
任意的に、上記のステップにおいて、開始装置は、以下の二つの実装において、第四の測定タスクの優先度を決定することができるが、かかる実装だけではない。
【０２７３】
実装１：開始装置は、第四の測定タスクの格納された優先度を判別する。
【０２７４】
実装２：開始装置は、衝突メッセージに含まれる、第四の測定タスクの優先度を判別する。
【０２７５】
Ｓ６０４。開始装置は、端末装置、第四の測定タスクを開始する装置、または基地局に測定構成メッセージを送信し、ここで、測定構成メッセージは、端末装置に、第一のターゲット測定タスクを優先的に実行するよう命令するために使用される。
【０２７６】
開始装置が第四の測定タスクを開始した装置または基地局に測定構成メッセージを送信すると、第四の測定タスクを開始した装置または基地局は、測定構成メッセージを受信した後、測定構成メッセージを端末装置に転送する。このようにして、端末装置は、測定構成メッセージの指示に基づいて、第一のターゲット測定タスクを優先的に実行することができる。
【０２７７】
本願のこの実施形態において提供される方法によれば、開始装置は、第一のターゲット測定タスクを優先的に実行するよう端末装置に命令することができる。よって、端末装置は、二つの測定タスクのうちの任意のものを優先的に実行することができ、それにより測定タスクの完了品質を保証する。このように、二つの測定タスクを開始する装置が、端末装置に、対応する二つの測定タスクを実行するよう命令するとき、端末装置によって二つの測定タスクを実行するプロセスにおいて衝突が回避されることができ、それにより、端末装置の測定効率を確保することができる。
【０２７８】
任意的に、上記の実施形態において、第一のターゲット測定タスクが第三の測定タスクである場合、本方法は、さらに、以下を含む：
開始装置が、第三の測定タスクの測定レポートを受け取るための指定された時間内に、第三の測定タスクの測定レポートを受け取る。
【０２７９】
よって、開始装置が、優先的に実行されるべき測定タスクが、開始装置によって開始される第三の測定タスクであると判断した場合、開始装置は、もともとの仕方で、第三の測定タスクの測定レポートを、第三の測定タスクの測定レポートを受信するための指定された時間内に受信することができる。
【０２８０】
任意的に、上記の実施形態において、第一のターゲット測定タスクが第四の測定タスクである場合、本方法は、さらに、以下を含む：
開始装置が、第三の測定タスクの測定レポートを受信することをスキップする；または
開始装置が、第三の測定タスクの測定レポートを受信するための指定された時間を延長する。
【０２８１】
このようにして、優先的に実行されるべき測定タスクが、開始装置によって開始される第三の測定タスクではないと開始装置が判断した場合、開始装置は、能動的に第三の測定タスクの測定レポートの受信をスキップしたり、あるいは第三の測定タスクの測定レポートを受信するための時間を延長したりして、それにより、測定レポートを受信するために待つことにおいてまたは測定レポートの受信することにおいて開始装置によって消費される電力を削減することができる。
【０２８２】
任意的に、上記の実施形態において、Ｓ６０４の後に、本方法は、さらに、以下を含む：
開始装置が、端末装置によって送信された第一の測定レポート受信指示を受信し、第一の測定レポート受信指示に基づいて、第三の測定タスクの測定レポートを受信することをスキップする。ここで、第一の測定レポート受信指示は、開始装置に、第三の測定タスクの測定レポートを受信することをスキップするよう命令するために使用される；または
開始装置が、端末装置によって送信された第二の測定レポート受信指示を受信し、第二の測定レポート受信指示に基づいて、第三の測定タスクの測定レポートを受信するための指定された時間を延長する。ここで、第二の測定レポート受信指示は、開始装置に、第三の測定タスクの測定レポートを受信するための時間を延長するよう命令するために使用される。
【０２８３】
図５に示される実施形態の説明から、上記の方法によれば、開始装置は、第三の測定タスクの実行状態を知り、第三の測定タスクの測定レポートを時間内に受信するための時間を調整するか、または、測定レポートを受信することをスキップすることができ、それにより、測定レポートを受信することにおいておよび測定レポートを受信するのを待つことにおいて消費される電力を削減することができることがわかる。
【０２８４】
任意的に、上記のステップにおいて、第二の測定レポート受信指示はさらに、継続時間を含み；
開始装置が、第二の測定レポート受信指示に基づいて、第三の測定タスクの測定レポートを受信するための指定された時間を延長することは、下記を含む：
開始装置が、第三の測定タスクの測定レポートを受信するための指定された時間を、前記継続時間だけ延長する。
【０２８５】
このようにして、開始装置は、測定レポートを受け取るための時間が延長されるべき特定の期間を決定することができ、それにより、測定レポートを受け取るのを待つ際に開始装置によって消費される電力を減少させることができる。
【０２８６】
上記の実施形態に基づいて、本願のある実施形態は、測定方法をさらに提供する。本方法は、図１に示される移動通信システムに適用可能であるが、それだけに適用可能であるわけではない。図７に示されるように、本方法の手順は、以下のステップを含む。
【０２８７】
Ｓ７０１。端末装置にサービスする基地局は、端末装置によって送信された衝突メッセージを受信し、ここで、衝突メッセージは、端末装置が第一の測定タスクのための第一の測定要求および第二の測定タスクのための第二の測定要求を受信したことを示すために使用される。
【０２８８】
Ｓ７０２。基地局は、第一のターゲット測定タスクを決定する。第一のターゲット測定タスクは、第三の測定タスクおよび第四の測定タスクのうちの任意のものである。
【０２８９】
任意的に、基地局は、下記の方法でＳ７０２を実行してもよい：
基地局が、第一の測定タスクの優先度および第二の測定タスクの優先度を決定し；
開始装置が、第一の測定タスクの優先度および第二の測定タスクの優先度に基づいて、より高い優先度をもつ測定タスクを第一のターゲット測定タスクとして決定する。
【０２９０】
上記の方法において、任意的に、基地局は、以下の二つの実装において、第一の測定タスクの優先度および第二の測定タスクの優先度を決定することができるが、かかる実装だけではない。
【０２９１】
実装１：基地局は、第一の測定タスクの格納された優先度および第二の測定タスクの格納された優先度を判別する。
【０２９２】
実装２：基地局は、衝突メッセージに含まれる第一の測定タスクの優先度および第二の測定タスクの優先度を判別する。
【０２９３】
Ｓ７０３。基地局は、測定構成メッセージを端末装置に送信する。ここで、測定構成メッセージは、端末装置に第一のターゲット測定タスクを優先的に実行するよう命令するために使用される。
【０２９４】
本願のこの実施形態において提供される方法によれば、基地局は、第一のターゲット測定タスクを優先的に実行するように端末装置に命令することができる。よって、端末装置は、二つの測定タスクのうちの任意のものを優先的に実行することができ、それにより測定タスクの完了品質を保証する。このように、二つの測定タスクを開始する装置が、端末装置に、対応する二つの測定タスクを実行するよう命令する場合、端末装置によって二つの測定タスクを実行するプロセスにおいて衝突が回避されることができ、それにより、端末装置の測定効率を確保することができる。
【０２９５】
上記の実施形態に基づいて、本願のある実施形態は、端末装置８００をさらに提供する。端末装置は、図１に示される移動通信システムに適用されることができ、図２に示される実施形態の測定方法を実装することができる。図８に示されるように、端末装置８００は、通信ユニット８０１および処理ユニット８０２を含む。
【０２９６】
通信ユニット８０１は、測定タスクを開始する装置によって送信された測定要求を受信するよう構成される。
【０２９７】
処理ユニット８０２は：
通信ユニット８０１が、第一の測定タスクを開始する装置によって送信された第一の測定要求を受信した後、処理ユニット８０２が第一の測定タスクの実行を終了しないときに、通信ユニット８０１が第二の測定タスクを開始する装置によって送信された第二の測定要求を受信することを判別する、または、通信ユニット８０１が第一の測定要求および第二の測定要求を同時に受信することを判別し；
第一のターゲット測定タスクを優先的に実行するよう構成され、第一のターゲット測定タスクを優先的に実行することは下記を含む：
第一のターゲット測定タスクを実行し、第二のターゲット測定タスクの実行を拒否する；または
まず第一のターゲット測定タスクを実行し、次いで、第一のターゲット測定タスクを実行し終えた後に第二のターゲット測定タスクを実行する；または
第一のターゲット測定タスクの指定された実行時間において第一のターゲット測定タスクを実行し、第二のターゲット測定タスクの指定された実行時間を延長し、第二のターゲット測定タスクの実行時間が延長された後に得られる時間において第二のターゲット測定タスクを実行する。ここで、任意の測定タスクの実行時間は、端末装置がその測定タスクを実行し始める瞬間から、端末装置がその測定タスクの実行を終了する瞬間までの費やされる時間である；または
第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られる時間において第一のターゲット測定タスクを実行し、第二のターゲット測定タスクの実行時間が延長された後に得られる時間において第二のターゲット測定タスクを実行する。ここで、第二の継続時間は第一の継続時間より長い；または
第一のターゲット測定タスクに割り当てられた資源を使って第一のターゲット測定タスクを実行し、第二のターゲット測定タスクに割り当てられた資源を使って第二のターゲット測定タスクを実行する。ここで、第一のターゲット測定タスクに割り当てられた資源は、第二のターゲット測定タスクに割り当てられた資源よりも大きく、資源は、計算資源、記憶資源、通信資源、および測定ギャップのうちの少なくとも一つを含む。
【０２９８】
第一のターゲット測定タスクは、第一の測定タスクおよび第二の測定タスクのうちの任意のものであり、第二のターゲット測定タスクは、第一の測定タスクおよび第二の測定タスクのうち、第一のターゲット測定タスクとは異なる他方である。
【０２９９】
任意的に、処理ユニット８０２はさらに：
第一のターゲット測定タスクを優先的に実行する前に、第一のターゲット測定タスクを決定するよう構成され、第一のターゲット測定タスクを決定することは下記を含む：
第一の測定要求が受信された時刻が、第二の測定要求が受信された時刻よりも早いと判断する場合、第一の測定タスクを第一のターゲット測定タスクとして決定する；または
第二の測定要求が受信された時刻が、第一の測定要求が受信された時刻より遅いと判断する場合、第二の測定タスクを第一のターゲット測定タスクとして決定する；または
第一の測定タスクの優先度および第二の測定タスクの優先度を決定し、第一の測定タスクの優先度および第二の測定タスクの優先度に基づいて、より高い優先度をもつ測定タスクを第一のターゲット測定タスクとして決定する；または
通信ユニット８０１を使って、第一の測定タスクを開始する装置に第一の衝突メッセージを送信し、ここで、第一の衝突メッセージは、端末装置が第二の測定要求を受信したことを示すために使用され；通信ユニット８０１を使って、第一の測定タスクを開始する装置によって返される第一の測定構成メッセージを受信し、ここで、第一の測定構成メッセージは、端末装置に、第一のターゲット測定タスクを優先的に実行するよう命令するために使用され；第一の測定構成メッセージに基づいて第一のターゲット測定タスクを決定する；または
通信ユニット８０１を使って、第二の測定タスクを開始する装置に第二の衝突メッセージを送信し、ここで、第二の衝突メッセージは、端末装置が第一の測定要求を受信したことを示すために使用され；通信ユニット８０１を使って、第二の測定タスクを開始する装置によって返される第二の測定構成メッセージを受信し、ここで、第二の測定構成メッセージは、端末装置に、第一のターゲット測定タスクを優先的に実行するよう命令するために使用され；第二の測定構成メッセージに基づいて第一のターゲット測定タスクを決定する；または
通信ユニット８０１を使って、第三の衝突メッセージを、端末装置にサービスする基地局に送信し、第三の衝突メッセージは、端末装置が第一の測定要求および第二の測定要求を受信したことを示すために使用され；通信ユニット８０１を使って、基地局によって返される第三の測定構成メッセージを受信し、ここで、第三の測定構成メッセージは、端末装置に、第一のターゲット測定タスクを優先的に実行するよう命令するために使用され；第三の測定構成メッセージに基づいて、第一のターゲット測定タスクを決定する。
【０３００】
任意的に、第一の衝突メッセージはさらに、第二の測定タスクの優先度、または第二の測定タスクの優先度および第一の測定タスクの優先度を含む；または
第二の衝突メッセージはさらに、第一の測定タスクの優先度、または第一の測定タスクの優先度および第二の測定タスクの優先度を含む；または
第三の衝突メッセージはさらに、第一の測定タスクの優先度および第二の測定タスクの優先度を含む。
【０３０１】
任意的に、第一の測定タスクの優先度を決定するとき、処理ユニット８０２は、具体的には：
第一の測定要求に含まれる、第一の測定タスクの優先度を判別する；または
通信ユニット８０１を使って、第一の測定タスクを開始する装置に対して優先度要求を送信し、通信ユニット８０１を使って、第一の測定タスクを開始する装置によって返される、第一の測定タスクの優先度を担持する優先度応答を受信し；優先度応答において担持される第一の測定タスクの優先度を判別する、
よう構成される。
【０３０２】
第二の測定タスクの優先度を決定するとき、処理ユニット８０２は、具体的には：
第二の測定要求に含まれる、第二の測定タスクの優先度を判別する；または
通信ユニット８０１を使って、第二の測定タスクを開始する装置に対して優先度要求を送信し、通信ユニット８０１を使って、第二の測定タスクを開始する装置によって返される、第二の測定タスクの優先度を担持する優先度応答を受信し；優先度応答において担持される第二の測定タスクの優先度を判別する、
よう構成される。
【０３０３】
任意的に、第一のターゲット測定タスクを実行するとき、処理ユニット８０２は、具体的には：
第一の測定ギャップにおいて第一のターゲット測定タスクを実行するよう構成される。
【０３０４】
任意的に、第一の測定ギャップは、第一の測定タスクを開始する装置、または端末装置にサービスする基地局によって、端末装置のために、第一の測定タスクについて、構成される。
【０３０５】
任意的に、第一のターゲット測定タスクが第二の測定タスクである場合、処理ユニット８０２は、さらに、以下のように構成される：
第一の測定ギャップにおいて第一のターゲット測定タスクを実行する前に、通信ユニット８０１を使って第二の測定タスクのために、第一の測定ギャップ構成要求を、第二の測定タスクを開始する装置または端末装置にサービスを提供する基地局に送信し；
通信ユニット８０１を使って、第二の測定タスクを開始する装置または基地局によって送信された第一の測定ギャップ構成情報を受信し；
第一の測定ギャップ設定情報に基づいて、第一の測定ギャップを決定する。
【０３０６】
任意的に、第二のターゲット測定タスクを実行するとき、処理ユニット８０２は、具体的には：
前記第一の測定ギャップにおいて第二のターゲット測定タスクを実行する；または
第二の測定ギャップにおいて第二のターゲット測定タスクを実行するよう構成され、ここで、前記第二の測定ギャップは前記第一の測定ギャップとは異なる。
【０３０７】
任意的に、処理ユニット８０２は、さらに：
第二の測定ギャップにおいて第二のターゲット測定タスクを実行する前に、第二のターゲット測定タスクのために、第二の測定ギャップ構成要求を、第二のターゲット測定タスクを開始する装置または端末装置にサービスを提供する基地局に送信し；
通信ユニット８０１を使って、第二の測定タスクを開始する装置または基地局によって送信された第二の測定ギャップ構成情報を受信し；
第二の測定ギャップ構成情報に基づいて、第二の測定ギャップを決定する、
よう構成される。
【０３０８】
任意的に、処理ユニット８０２が第一のターゲット測定タスクを実行し、第二のターゲット測定タスクの実行を拒否する場合、処理ユニット８０２はさらに：
通信ユニット８０１を使って、第一の測定レポート受信指示を第二のターゲット測定タスクを開始する装置に送信するよう構成され、ここで、第一の測定レポート受信指示は、第二のターゲット測定タスクを開始する装置に、第二のターゲット測定タスクの測定レポートの受信をスキップするよう命令するために使われる。
【０３０９】
あるいはまた、処理ユニット８０２が、第一のターゲット測定タスクを実行し、第一のターゲット測定タスクの実行終了後に第二のターゲット測定タスクを実行する場合、または、処理ユニット８０２が、第一のターゲット測定タスクの指定された実行時間内に第一のターゲット測定タスクを実行し、第二のターゲット測定タスクの指定された実行時間を延長し、第二のターゲット測定タスクの実行時間が延長された後に得られる時間内に第二のターゲット測定タスクを実行する場合、処理ユニット８０２はさらに：
通信ユニット８０１を使って、第二のターゲット測定タスクを開始する装置に第二の測定レポート受信指示を送信するよう構成され、ここで、第二の測定レポート受信指示は、第二のターゲット測定タスクを開始する装置に、第二のターゲット測定タスクの測定レポートを受信するための時間を延長するよう命令するために使用される。
【０３１０】
あるいはまた、処理ユニット８０２が、第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られる時間内に第一のターゲット測定タスクを実行し、第二のターゲット測定タスクの実行時間が延長された後に得られる時間内に第二のターゲット測定タスクを実行する場合、処理ユニット８０２はさらに：
通信ユニット８０１を使って、第一のターゲット測定タスクを開始する装置に第三の測定レポート受信指示を送信し、第二のターゲット測定タスクを開始する装置に第四の測定レポート受信指示を送信するよう構成され、ここで、第三の測定レポート受信指示は、第一のターゲット測定タスクを開始する装置に対して、第一のターゲット測定タスクの測定レポートを受信するための時間を延長するよう命令するために使用され、第四の測定レポート受信指示は、第二のターゲット測定タスクを開始する装置に対して、第二のターゲット測定タスクの測定レポートを受信するための時間を延長するよう命令するために使用される。
【０３１１】
任意的に、第三の測定レポート受信指示はさらに前記第一の継続時間を含む、および／または第四の測定レポート受信指示はさらに前記第二の継続時間を含む。
【０３１２】
任意的に、第一の測定タスクおよび第二の測定タスクは、それぞれ、位置決め測定タスクおよび非位置決め測定タスクのうちの任意のものである。
【０３１３】
本願のこの実施形態は、端末装置を提供する。端末装置が、二つの測定タスクを開始する装置によって送信された測定要求を同時にまたは相次いで受信した後、端末装置は、二つの測定タスクのうちの任意のものを優先的に実行することができ、それにより、測定タスクの完了品質を保証する。このように、二つの測定タスクを開始する装置が、端末装置に、対応する二つの測定タスクを実行するよう命令するとき、端末装置によって二つの測定タスクを実行するプロセスにおいて衝突が回避されることができ、それにより、端末装置の測定効率を確保することができる。
【０３１４】
上記の実施形態に基づいて、本願のある実施形態は、開始装置をさらに提供する。開始装置は、図１に示される移動通信システムに適用されることができ、図３に示される実施形態における測定方法を実装することができる。図９に示されるように、開始装置９００は、処理ユニット９０１および通信ユニット９０２を含む。
【０３１５】
処理ユニット９０１は、測定タスクの優先度を決定するよう構成される。
【０３１６】
通信ユニット９０２は、測定タスクのための測定要求を端末装置に送信するよう構成され、ここで、測定要求は、測定タスクの優先度を含む。
【０３１７】
本願のこの実施形態は、開始装置を提供する。開始装置は、測定要求に測定タスクの優先度を加え、その後、測定要求を端末装置に送信してもよい。このようにして、端末装置は、測定要求に基づいて測定タスクの優先度を決定することができ、それにより、測定タスクの優先度に基づいて、優先的に実行されるべき測定タスクを決定することができる。
【０３１８】
上記の実施形態に基づいて、本願のある実施形態は、開始装置をさらに提供する。開始装置は、図１に示される移動通信システムに適用されることができ、図４に示す実施形態における測定方法を実装することができる。図１０に示されるように、開始装置１０００は、通信ユニット１００１および処理ユニット１００２を含む。
【０３１９】
通信ユニット１００１は：測定タスクのための測定要求を端末装置に送信した後、端末装置によって送信された優先度要求を受信するよう構成される。
【０３２０】
処理ユニット１００２は、測定タスクの優先度を決定するよう構成される。
【０３２１】
通信ユニット１００１はさらに、測定タスクの優先度を担持する優先度応答を端末装置に送信するよう構成される。
【０３２２】
本願のこの実施形態は、開始装置を提供する。端末装置が、開始装置によって開始された測定タスクの優先度を開始装置に要求する場合、開始装置は、測定タスクの優先度を端末装置に送信する。このようにして、端末装置は、測定タスクの優先度に基づいて、優先的に実行されるべき測定タスクを決定することができる。
【０３２３】
上記の実施形態に基づいて、本願のある実施形態は、開始装置をさらに提供する。開始装置は、図１に示される移動通信システムに適用されることができ、図５に示される実施形態における測定方法を実装することができる。図１１に示されるように、開始装置１１００は、通信ユニット１１０１および処理ユニット１１０２を含む。
【０３２４】
通信ユニット１１０１は、測定タスクのための測定要求を端末装置に送信し；端末装置によって送信された第一の測定レポート受信指示を受信するか、または端末装置によって送信された第二の測定レポート受信指示を受信するよう構成され、ここで、第一の測定レポート受信指示は、測定タスクの測定レポートの受信をスキップするように開始装置に命令するために使用され、第二の測定レポート受信指示は、測定タスクの測定レポートを受信するための時間を延長するよう、開始装置に命令するために使用される。
【０３２５】
処理ユニット１１０２は、第一の測定レポート受信指示に基づいて、測定タスクの測定レポートの受信をスキップするか、または第二の測定レポート受信指示に基づいて、測定タスクの測定レポートを受信するための指定された時間を延長するよう構成される。
【０３２６】
任意的に、第二の測定レポート受信指示はさらに、継続時間を含み；
第二の測定レポート受信指示に基づいて、測定タスクの測定レポートを受信するための指定された時間を延長するとき、処理ユニット１１０２は、具体的には：
測定タスクの測定レポートを受信するための指定された時間を前記継続時間だけ延長するよう構成される。
【０３２７】
本願のこの実施形態は、開始装置を提供する。開始装置は、受信された測定レポート受信指示に基づいて、測定タスクの実行状態を知り、時間内に測定レポートを受信するための時間を調整するか、または測定レポートを受信することをスキップし、それにより測定レポートを受信することにおいておよび測定レポートを受信するのを待つことにおいて消費される電力を削減することができる。
【０３２８】
上記の実施形態に基づいて、本願のある実施形態は、さらに、開始装置を提供する。開始装置は、図１に示される移動通信システムに適用されることができ、図６に示される実施形態における測定方法を実装することができる。図１２に示されるように、開始装置１２００は、通信ユニット１２０１および処理ユニット１２０２を含む。
【０３２９】
通信ユニット１２０１は、第三の測定タスクのための測定要求を端末装置に送信し；端末装置、第四の測定タスクを開始する装置、または、端末装置にサービスする基地局によって送信された衝突メッセージを受信するよう構成されており、ここで、衝突メッセージは、端末装置が第四の測定タスクのための測定要求を受信したことを示すために使用される。
【０３３０】
処理ユニット１２０２は、第一のターゲット測定タスクを決定するよう構成され、第一のターゲット測定タスクは、第三の測定タスクおよび第四の測定タスクのうちの任意のものである。
【０３３１】
通信ユニット１２０１はさらに、測定構成メッセージを、端末装置、第四の測定タスクを開始する装置、または基地局に送信するように構成され、ここで、測定構成メッセージは、端末装置に第一のターゲット測定タスクを優先的に実行するよう命令するために使用される。
【０３３２】
任意的に、第一のターゲット測定タスクを決定するとき、処理ユニット１２０２は、具体的には：
第三の測定タスクの優先度および第四の測定タスクの優先度を決定し；
第三の測定タスクの優先度および第四の測定タスクの優先度に基づいて、より高い優先度をもつ測定タスクを第一のターゲット測定タスクとして決定する、
よう構成される。
【０３３３】
任意的に、第三の測定タスクの優先度を決定するとき、処理ユニット１２０２は、具体的には：
第三の測定タスクの格納された優先度を判別する；または
衝突メッセージに含まれる、第三の測定タスクの優先度を判別する、
よう構成される。
【０３３４】
第四の測定タスクの優先度を決定するとき、処理ユニット１２０２は、具体的には：
第四の測定タスクの格納された優先度を判別する；または
衝突メッセージに含まれる、第四の測定タスクの優先度を決定する、
よう構成される。
【０３３５】
任意的に、第一のターゲット測定タスクが第三の測定タスクである場合、処理ユニット１２０２は、さらに：
通信ユニット１２０１を使って、第三の測定タスクの測定レポートを受け取るための指定された時間内に、第三の測定タスクの測定レポートを受け取るよう構成される；または
第一のターゲット測定タスクが第四の測定タスクである場合、処理ユニット１２０２は、さらに：
第三の測定タスクの測定レポートの受信をスキップする；または
第三の測定タスクの測定レポートを受信するための指定された時間を延長する、
よう構成される。
【０３３６】
任意的に、通信ユニット１２０１はさらに：測定構成メッセージを端末装置、第四の測定タスクを開始する装置、または基地局に送信した後、端末装置によって送信された第一の測定レポート受信指示を受信するよう構成され、ここで、第一の測定レポート受信指示は、第三の測定タスクの測定レポートの受信をスキップするよう開始装置に命令するために使用され；
処理ユニット１２０２はさらに、第一の測定レポート受信指示に基づいて、第三の測定タスクの測定レポートを受信することをスキップするように構成される；または
通信ユニット１２０１はさらに、測定構成メッセージを端末装置、第四の測定タスクを開始する装置、または基地局に送信した後、端末装置によって送信された第二の測定レポート受信指示を受信するよう構成され、第二の測定レポート受信指示は、第三の測定タスクの測定レポートを受信するための時間を延長するよう開始装置に命令するために使用され；
処理ユニット１２０２はさらに、第二の測定レポート受信指示に基づいて、第三の測定タスクの測定レポートを受信するための指定された時間を延長するよう構成される。
【０３３７】
任意的に、第二の測定レポート受信指示はさらに期間を含み；
第二の測定レポート受信指示に基づいて、第三の測定タスクの測定レポートを受信するための指定された時間を延長するとき、処理ユニット１２０２は具体的には：
第三の測定タスクの測定レポートを受信するための指定された時間を、前記期間だけ延長するよう構成される。
【０３３８】
本願のこの実施形態は、開始装置を提供する。開始装置は、第一のターゲット測定タスクを優先的に実行するよう端末装置に命令することができる。よって、端末装置は、二つの測定タスクのうちの任意のものを優先的に実行することができ、それにより測定タスクの完了品質を保証する。このように、二つの測定タスクを開始する装置が、端末装置に、対応する二つの測定タスクを実行するよう命令する場合、端末装置によって二つの測定タスクを実行するプロセスにおいて衝突が回避されることができ、それにより、端末装置の測定効率を確保することができる。
【０３３９】
上記の実施形態に基づいて、本願のある実施形態は、基地局をさらに提供する。基地局は、図１に示される移動通信システムに適用されることができ、図７に示される実施形態における測定方法を実装することができる。図１３に示されるように、基地局１３００は、通信ユニット１３０１および処理ユニット１３０２を含む。
【０３４０】
通信ユニット１３０１は、端末装置によって送信された衝突メッセージを受信するよう構成され、衝突メッセージは、端末装置が第一の測定タスクのための第一の測定要求および第二の測定タスクのための第二の測定要求を受信したことを示すために使用される。
【０３４１】
処理ユニット１３０２は、第一のターゲット測定タスクを決定するように構成され、ここで、第一のターゲット測定タスクは、第一の測定タスクおよび第二の測定タスクのうちの任意のものである。
【０３４２】
通信ユニット１３０１はさらに、測定構成メッセージを端末装置に送信するよう構成され、測定構成メッセージは、端末装置に、第一のターゲット測定タスクを優先的に実行するよう命令するために使用される。
【０３４３】
任意的に、第一のターゲット測定タスクを決定するとき、処理ユニット１３０２は、具体的には：
第一の測定タスクの優先度および第二の測定タスクの優先度を決定し；
第一の測定タスクの優先度および第二の測定タスクの優先度に基づいて、より高い優先度をもつ測定タスクを第一のターゲット測定タスクとして決定する、
よう構成される。
【０３４４】
任意的に、第一の測定タスクの優先度および第二の測定タスクの優先度を決定するとき、処理ユニット１３０２は、具体的には：
第一の測定タスクの格納された優先度および第二の測定タスクの格納された優先度を判別する；または
衝突メッセージに含まれる第一の測定タスクの優先度および第二の測定タスクの優先度を判別する、
よう構成される。
【０３４５】
本願のこの実施形態は、基地局をさらに提供する。基地局は、第一のターゲット測定タスクを優先的に実行するよう端末装置に命令することができる。よって、端末装置は、二つの測定タスクのうちの任意のものを優先的に実行することができ、それにより測定タスクの完了品質を保証する。このように、二つの測定タスクを開始する装置が、端末装置に、対応する二つの測定タスクを実行するよう命令する場合、端末装置によって二つの測定タスクを実行するプロセスにおいて衝突が回避されることができ、それにより、端末装置の測定効率を確保することができる。
【０３４６】
なお、ユニット分割は本願のこの実施形態におる例であり、単に論理的な機能分割に過ぎないことを注意しておくべきである。実際の実装においては、別の分割の仕方があるかもしれない。本願のこの実施形態における機能ユニットは、一つの処理ユニットに統合されてもよく、または各ユニットは物理的に単独で存在してもよく、または二つ以上のユニットが一つのユニットに統合されてもよい。統合ユニットは、ハードウェアの形で実装されてもよく、またはソフトウェア機能ユニットの形で実装されてもよい。
【０３４７】
上記の諸実施形態に基づいて、本願のある実施形態は、さらに、コンピュータ記憶媒体を提供する。記憶媒体はソフトウェア・プログラムを記憶し、ソフトウェア・プログラムが一つまたは複数のプロセッサによって読み出されて実行されるとき、上記の諸実施形態において提供される測定方法が実装されうる。コンピュータ記憶媒体は、プログラム・コードを記憶することができる任意の媒体、たとえば、USBフラッシュドライブ、リムーバブルハードディスク、リードオンリーメモリ（Read-Only  Memory、ROM）、ランダムアクセスメモリ（Random  Access  Memory、RAM）、磁気ディスク、または光ディスクを含みうる。
【０３４８】
上記の諸実施形態に基づいて、本願の実施形態は、さらに、端末装置を提供する。端末装置は、図２に示される測定方法を実装するよう構成され、図８に示される端末装置８００の機能を有する。図１４に示されるように、端末装置１４００は、トランシーバ１４０１、プロセッサ１４０２、およびメモリ１４０３を含む。トランシーバ１４０１、プロセッサ１４０２、およびメモリ１４０３は、互いに接続される。
【０３４９】
任意的に、トランシーバ１４０１、プロセッサ１４０２、およびメモリ１４０３は、バス１４０４を使って互いに接続される。バス１４０４は、周辺コンポーネント相互接続（peripheral  component  interconnect、PCI）バス、拡張業界標準アーキテクチャー（extended  industry  standard  architecture、EISA）バスなどであってもよい。バス１４０４は、アドレスバス、データバス、制御バスなどに分類することができる。表現の簡単のため、図１４においてバスを表わすためには１本の太線のみが使用されているが、これは１本のみのバスまたは一つの型のみのバスがあることを意味するものではない。
【０３５０】
トランシーバ１４０１は、他の装置との通信を実施するために、データを受信し、送信するよう構成される。
【０３５１】
プロセッサ１４０２は、図２に示される測定方法を実装するよう構成され、具体的には
トランシーバ１４０１が、第一の測定タスクを開始する装置によって送信された第一の測定要求を受信した後、プロセッサ１４０２が第一の測定タスクの実行を終了しないときに、トランシーバ１４０１が第二の測定タスクを開始する装置によって送信された第二の測定要求を受信したことを判別する、または、トランシーバ１４０１が第一の測定要求および第二の測定要求を同時に受信したことを判別し；
第一のターゲット測定タスクを優先的に実行するよう構成され、第一のターゲット測定タスクを優先的に実行することは下記を含む：
第一のターゲット測定タスクを実行し、第二のターゲット測定タスクの実行を拒否する；または
まず第一のターゲット測定タスクを実行し、次いで、第一のターゲット測定タスクを実行し終えた後に第二のターゲット測定タスクを実行する；または
第一のターゲット測定タスクの指定された実行時間において第一のターゲット測定タスクを実行し、第二のターゲット測定タスクの指定された実行時間を延長し、第二のターゲット測定タスクの実行時間が延長された後に得られる時間において第二のターゲット測定タスクを実行する。ここで、任意の測定タスクの実行時間は、端末装置１４００がその測定タスクを実行し始める瞬間から、端末装置１４００がその測定タスクの実行を終了する瞬間までの費やされる時間である；または
第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られる時間において第一のターゲット測定タスクを実行し、第二のターゲット測定タスクの実行時間が延長された後に得られる時間において第二のターゲット測定タスクを実行する。ここで、第二の継続時間は第一の継続時間より長い；または
第一のターゲット測定タスクに割り当てられた資源を使って第一のターゲット測定タスクを実行し、第二のターゲット測定タスクに割り当てられた資源を使って第二のターゲット測定タスクを実行する。ここで、第一のターゲット測定タスクに割り当てられた資源は、第二のターゲット測定タスクに割り当てられた資源よりも大きく、資源は、計算資源、記憶資源、通信資源、および測定ギャップのうちの少なくとも一つを含む。
【０３５２】
第一のターゲット測定タスクは、第一の測定タスクおよび第二の測定タスクのうちの任意のものであり、第二のターゲット測定タスクは、第一の測定タスクおよび第二の測定タスクのうち、第一のターゲット測定タスクとは異なる他方である。
【０３５３】
任意的に、プロセッサ１４０２はさらに：
第一のターゲット測定タスクを優先的に実行する前に、第一のターゲット測定タスクを決定するよう構成され、第一のターゲット測定タスクを決定することは下記を含む：
第一の測定要求が受信された時刻が、第二の測定要求が受信された時刻よりも早いと判断する場合、第一の測定タスクを第一のターゲット測定タスクとして決定する；または
第二の測定要求が受信された時刻が、第一の測定要求が受信された時刻より遅いと判断する場合、第二の測定タスクを第一のターゲット測定タスクとして決定する；または
第一の測定タスクの優先度および第二の測定タスクの優先度を決定し、第一の測定タスクの優先度および第二の測定タスクの優先度に基づいて、より高い優先度をもつ測定タスクを第一のターゲット測定タスクとして決定する；または
トランシーバ１４０１を使って、第一の測定タスクを開始する装置に第一の衝突メッセージを送信し、ここで、第一の衝突メッセージは、端末装置１４００が第二の測定要求を受信したことを示すために使用され；トランシーバ１４０１を使って、第一の測定タスクを開始する装置によって返される第一の測定構成メッセージを受信し、ここで、第一の測定構成メッセージは、端末装置１４００に、第一のターゲット測定タスクを優先的に実行するよう命令するために使用され；第一の測定構成メッセージに基づいて第一のターゲット測定タスクを決定する；または
トランシーバ１４０１を使って、第二の測定タスクを開始する装置に第二の衝突メッセージを送信し、ここで、第二の衝突メッセージは、端末装置１４００が第一の測定要求を受信したことを示すために使用され；トランシーバ１４０１を使って、第二の測定タスクを開始する装置によって返される第二の測定構成メッセージを受信し、ここで、第二の測定構成メッセージは、端末装置１４００に、第一のターゲット測定タスクを優先的に実行するよう命令するために使用され；第二の測定構成メッセージに基づいて第一のターゲット測定タスクを決定する；または
トランシーバ１４０１を使って、第三の衝突メッセージを、端末装置１４００にサービスする基地局に送信し、第三の衝突メッセージは、端末装置１４００が第一の測定要求および第二の測定要求を受信したことを示すために使用され；トランシーバ１４０１を使って、基地局によって返される第三の測定構成メッセージを受信し、ここで、第三の測定構成メッセージは、端末装置１４００に、第一のターゲット測定タスクを優先的に実行するよう命令するために使用され；第三の測定構成メッセージに基づいて、第一のターゲット測定タスクを決定する。
【０３５４】
任意的に、第一の衝突メッセージはさらに、第二の測定タスクの優先度、または第二の測定タスクの優先度および第一の測定タスクの優先度を含む；または
第二の衝突メッセージはさらに、第一の測定タスクの優先度、または第一の測定タスクの優先度および第二の測定タスクの優先度を含む；または
第三の衝突メッセージはさらに、第一の測定タスクの優先度および第二の測定タスクの優先度を含む。
【０３５５】
任意的に、第一の測定タスクの優先度を決定するとき、プロセッサ１４０２は、具体的には：
第一の測定要求に含まれる、第一の測定タスクの優先度を判別する；または
トランシーバ１４０１を使って、第一の測定タスクを開始する装置に対して優先度要求を送信し、第一の測定タスクを開始する装置によって返される、第一の測定タスクの優先度を担持する優先度応答を受信する、
よう構成される。
【０３５６】
第二の測定タスクの優先度を決定するとき、プロセッサ１４０２は、具体的には：
第二の測定要求に含まれる、第二の測定タスクの優先度を判別する；または
トランシーバ１４０１を使って、第二の測定タスクを開始する装置に対して優先度要求を送信し、第二の測定タスクを開始する装置によって返される、第二の測定タスクの優先度を担持する優先度応答を受信する、
よう構成される。
【０３５７】
任意的に、第一のターゲット測定タスクを実行するとき、プロセッサ１４０２は、具体的には：
第一の測定ギャップにおいて第一のターゲット測定タスクを実行するよう構成される。
【０３５８】
任意的に、第一の測定ギャップは、第一の測定タスクを開始する装置、または端末装置１４００にサービスする基地局によって、端末装置１４００のために、第一の測定タスクについて、構成される。
【０３５９】
任意的に、第一のターゲット測定タスクが第二の測定タスクである場合、プロセッサ１４０２は、さらに、以下のように構成される：
第一の測定ギャップにおいて第一のターゲット測定タスクを実行する前に、トランシーバ１４０１を使って第二の測定タスクのために、第一の測定ギャップ構成要求を、第二の測定タスクを開始する装置または端末装置１４００にサービスする基地局に送信し；
トランシーバ１４０１を使って、第二の測定タスクを開始する装置または基地局によって送信された第一の測定ギャップ構成情報を受信し；
第一の測定ギャップ設定情報に基づいて、第一の測定ギャップを決定する。
【０３６０】
任意的に、プロセッサ１４０２が第二のターゲット測定タスクを実行することは：
前記第一の測定ギャップにおいて第二のターゲット測定タスクを実行する；または
第二の測定ギャップにおいて第二のターゲット測定タスクを実行することを含み、ここで、前記第二の測定ギャップは前記第一の測定ギャップとは異なる。
【０３６１】
任意的に、プロセッサ１４０２は、さらに：
第二の測定ギャップにおいて第二のターゲット測定タスクを実行する前に、第二のターゲット測定タスクのために、トランシーバ１４０１を使って、第二の測定ギャップ構成要求を、第二のターゲット測定タスクを開始する装置または端末装置１４００にサービスする基地局に送信し；
トランシーバ１４０１を使って、第二の測定タスクを開始する装置または基地局によって送信された第二の測定ギャップ構成情報を受信し；
第二の測定ギャップ構成情報に基づいて、第二の測定ギャップを決定する、
よう構成される。
【０３６２】
任意的に、プロセッサ１４０２が第一のターゲット測定タスクを実行し、第二のターゲット測定タスクの実行を拒否する場合、プロセッサ１４０２はさらに：
トランシーバ１４０１を使って、第一の測定レポート受信指示を第二のターゲット測定タスクを開始する装置に送信するよう構成され、ここで、第一の測定レポート受信指示は、第二のターゲット測定タスクを開始する装置に、第二のターゲット測定タスクの測定レポートの受信をスキップするよう命令するために使われる。
【０３６３】
あるいはまた、プロセッサ１４０２が、第一のターゲット測定タスクを実行し、第一のターゲット測定タスクの実行終了後に第二のターゲット測定タスクを実行する場合、または、プロセッサ１４０２が、第一のターゲット測定タスクの指定された実行時間内に第一のターゲット測定タスクを実行し、第二のターゲット測定タスクの指定された実行時間を延長し、第二のターゲット測定タスクの実行時間が延長された後に得られる時間内に第二のターゲット測定タスクを実行する場合、プロセッサ１４０２はさらに：
トランシーバ１４０１を使って、第二のターゲット測定タスクを開始する装置に第二の測定レポート受信指示を送信するよう構成され、ここで、第二の測定レポート受信指示は、第二のターゲット測定タスクを開始する装置に、第二のターゲット測定タスクの測定レポートを受信するための時間を延長するよう命令するために使用される。
【０３６４】
あるいはまた、プロセッサ１４０２が、第一のターゲット測定タスクの指定された実行時間を第一の継続時間だけ延長し、第二のターゲット測定タスクの指定された実行時間を第二の継続時間だけ延長し、第一のターゲット測定タスクの実行時間が延長された後に得られる時間内に第一のターゲット測定タスクを実行し、第二のターゲット測定タスクの実行時間が延長された後に得られる時間内に第二のターゲット測定タスクを実行する場合、プロセッサ１４０２はさらに：
トランシーバ１４０１を使って、第一のターゲット測定タスクを開始する装置に第三の測定レポート受信指示を送信し、第二のターゲット測定タスクを開始する装置に第四の測定レポート受信指示を送信するよう構成され、ここで、第三の測定レポート受信指示は、第一のターゲット測定タスクを開始する装置に対して、第一のターゲット測定タスクの測定レポートを受信するための時間を延長するよう命令するために使用され、第四の測定レポート受信指示は、第二のターゲット測定タスクを開始する装置に対して、第二のターゲット測定タスクの測定レポートを受信するための時間を延長するよう命令するために使用される。
【０３６５】
任意的に、第三の測定レポート受信指示はさらに前記第一の継続時間を含む、および／または第四の測定レポート受信指示はさらに前記第二の継続時間を含む。
【０３６６】
任意的に、第一の測定タスクおよび第二の測定タスクは、それぞれ、位置決め測定タスクおよび非位置決め測定タスクのうちの任意のものである。
【０３６７】
メモリ１４０３は、プログラム命令などを記憶するよう構成される。具体的には、プログラム命令はプログラム・コードを含んでいてもよく、プログラム・コードはコンピュータ動作命令を含む。メモリ１４０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１４０２は、上記の諸機能を実装するために、メモリ１４０３に記憶されたプログラム命令を実行し、それによって、上記の実施形態において提供される測定方法を実施する。
【０３６８】
本願のこの実施形態は、端末装置を提供する。端末装置が、二つの測定タスクを開始する装置によって送信された測定要求を同時にまたは相次いで受信した後、端末装置は、二つの測定タスクのいずれかを優先的に実行することができ、それにより、測定タスクの完了品質を保証する。このように、二つの測定タスクを開始する装置が、端末装置に、対応する二つの測定タスクを実行するよう命令するとき、端末装置によって二つの測定タスクを実行するプロセスにおいて衝突が回避されることができ、それにより、端末装置の測定効率を確保することができる。
【０３６９】
上記の諸実施形態に基づいて、本願のある実施形態は、さらに、開始装置を提供する。開始装置は、図３に示される測定方法を実装するよう構成され、図９に示される開始装置９００の機能をもつ。図１５に示されるように、開始装置１５００は、通信モジュール１５０１、プロセッサ１５０２およびメモリ１５０３を含む。通信モジュール１５０１、プロセッサ１５０２、およびメモリ１５０３は、互いに接続される。
【０３７０】
任意的に、通信モジュール１５０１、プロセッサ１５０２、およびメモリ１５０３は、バス１５０４を使って互いに接続される。バス１５０４は、周辺コンポーネント相互接続（peripheral  component  interconnect、PCI）バス、拡張業界標準アーキテクチャー（extended  industry  standard  architecture、EISA）バスなどであってもよい。バスは、アドレスバス、データバス、制御バスなどに分類することができる。表現の簡単のため、図１５においてバスを表わすためには１本の太線のみが使用されているが、これは１本のみのバスまたは一つの型のみのバスがあることを意味するものではない。
【０３７１】
通信モジュール１５０１は、他の装置との通信を実施するために、データを受信し、送信するよう構成される。任意的に、通信モジュール１５０１はトランシーバまたは通信インターフェースであってもよい。たとえば、開始装置が基地局であるときは、通信モジュール１５０１はトランシーバであり；あるいは開始装置がサーバーであるときは、通信モジュール１５０１は通信インターフェースである。
【０３７２】
プロセッサ１５０２は、図３に示される測定方法を実装するよう構成され、具体的には：
測定タスクの優先度を決定し；
通信モジュール１５０１を使って、測定タスクのための測定要求を端末装置に送信するよう構成され、測定要求は測定タスクの優先度を含む。
【０３７３】
メモリ１５０３は、プログラム命令などを記憶するよう構成される。具体的には、プログラム命令はプログラム・コードを含んでいてもよく、プログラム・コードはコンピュータ動作命令を含む。メモリ１５０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１５０２は、上記の諸機能を実装するために、メモリ１５０３に記憶されたプログラム命令を実行し、それによって、上記の実施形態において提供される測定方法を実施する。
【０３７４】
本願のこの実施形態は、開始装置を提供する。開始装置は、測定要求に測定タスクの優先度を追加し、その後、測定要求を端末装置に送信してもよい。このようにして、端末装置は、測定要求に基づいて測定タスクの優先度を決定することができ、それにより、測定タスクの優先度に基づいて優先的に実行されるべき測定タスクを決定することができる。
【０３７５】
上記の諸実施形態に基づいて、本願のある実施形態は、さらに、開始装置を提供する。開始装置は、図４に示される測定方法を実装するよう構成され、図１０に示される開始装置１０００の機能をもつ。図１６に示されるように、開始装置１６００は、通信モジュール１６０１、プロセッサ１６０２およびメモリ１６０３を含む。通信モジュール１６０１、プロセッサ１６０２、およびメモリ１６０３は、互いに接続される。
【０３７６】
任意的に、通信モジュール１６０１、プロセッサ１６０２およびメモリ１６０３はバス１６０４を使って互いに接続される。バス１６０４は、周辺コンポーネント相互接続（peripheral  component  interconnect、PCI）バス、拡張業界標準アーキテクチャー（extended  industry  standard  architecture、EISA）バスなどであってもよい。バスは、アドレスバス、データバス、制御バスなどに分類することができる。表現の簡単のため、図１６においてバスを表わすためには１本の太線のみが使用されているが、これは１本のみのバスまたは一つの型のみのバスがあることを意味するものではない。
【０３７７】
通信モジュール１６０１は、他の装置との通信を実施するために、データを受信し、送信するよう構成される。任意的に、通信モジュール１６０１はトランシーバまたは通信インターフェースであってもよい。たとえば、開始装置が基地局であるときは、通信モジュール１６０１はトランシーバであり；あるいは開始装置がサーバーであるときは、通信モジュール１６０１は通信インターフェースである。
【０３７８】
プロセッサ１６０２は、図４に示される測定方法を実装するよう構成され、具体的には：
通信モジュール１０６１を使って、測定タスクのための測定要求を端末装置に送信した後、通信モジュール１６０１を使って、端末装置によって送信された優先度要求を受信し；
測定タスクの優先度を決定し、通信モジュール１６０１を使って測定タスクの優先度を担持する優先度応答を端末装置に送信するよう構成される。
【０３７９】
メモリ１６０３は、プログラム命令などを記憶するよう構成される。具体的には、プログラム命令はプログラム・コードを含んでいてもよく、プログラム・コードはコンピュータ動作命令を含む。メモリ１６０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１６０２は、上記の諸機能を実装するために、メモリ１６０３に記憶されたプログラム命令を実行し、それによって、上記の実施形態において提供される測定方法を実施する。
【０３８０】
本願のこの実施形態は、開始装置を提供する。端末装置が、開始装置によって開始される測定タスクの優先度を開始装置に要求するとき、開始装置は、測定タスクの優先度を端末装置に送信する。このようにして、端末装置は、測定タスクの優先度に基づいて、優先的に実行されるべき測定タスクを決定することができる。
【０３８１】
上記の諸実施形態に基づいて、本願のある実施形態は、さらに、開始装置を提供する。開始装置は、図５に示される測定方法を実装するよう構成され、図１１に示される開始装置の機能をもつ。図１７に示されるように、開始装置１７００は、通信モジュール１７０１、プロセッサ１７０２およびメモリ１７０３を含む。通信モジュール１７０１、プロセッサ１７０２、およびメモリ１７０３は、互いに接続される。
【０３８２】
任意的に、通信モジュール１７０１、プロセッサ１７０２、およびメモリ１７０３は、バス１７０４を使って互いに接続される。バス１７０４は、周辺コンポーネント相互接続（peripheral  component  interconnect、PCI）バス、拡張業界標準アーキテクチャー（extended  industry  standard  architecture、EISA）バスなどであってもよい。バスは、アドレスバス、データバス、制御バスなどに分類することができる。表現の簡単のため、図１７においてバスを表わすためには１本の太線のみが使用されているが、これは１本のみのバスまたは一つの型のみのバスがあることを意味するものではない。
【０３８３】
通信モジュール１７０１は、他の装置との通信を実施するために、データを受信し、送信するよう構成される。任意的に、通信モジュール１７０１はトランシーバまたは通信インターフェースであってもよい。たとえば、開始装置が基地局であるときは、通信モジュール１７０１はトランシーバであり；あるいは開始装置がサーバーであるときは、通信モジュール１７０１は通信インターフェースである。
【０３８４】
プロセッサ１７０２は、図５に示される測定方法を実装するよう構成され、具体的には以下のように構成される：
通信モジュール１７０１を使って、測定タスクのための測定要求を端末装置に送信し；
通信モジュール１７０１を使って、端末装置によって送信された第一の測定レポート受信指示を受信し、第一の測定レポート受信指示に基づいて、測定タスクの測定レポートを受信し、ここで、第一の測定レポート受信指示は、開始装置に、測定タスクの測定レポートの受信をスキップするよう命令するために使用される；または
通信モジュール１７０１を使って、端末装置によって送信された第二の測定レポート受信指示を受信し、第二の測定レポート受信指示に基づいて、測定タスクの測定レポートを受信するための指定された時間を延長し、ここで、第二の測定レポート受信指示は、開始装置に、測定タスクの測定レポートを受信するための時間を延長するよう命令するために使用される。
【０３８５】
任意的に、第二の測定レポート受信指示は、継続時間をさらに含み；
第二の測定レポート受信指示に基づいて、測定タスクの測定レポートを受信するための指定された時間を延長するとき、プロセッサ１７０２は、具体的には：
測定タスクの測定レポートを受信するための指定された時間を前記継続時間だけ延長する、
よう構成される。
【０３８６】
メモリ１７０３は、プログラム命令などを記憶するよう構成される。具体的には、プログラム命令はプログラム・コードを含んでいてもよく、プログラム・コードはコンピュータ動作命令を含む。メモリ１７０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１７０２は、上記の諸機能を実装するために、メモリ１７０３に記憶されたプログラム命令を実行し、それによって、上記の実施形態において提供される測定方法を実施する。
【０３８７】
本願のこの実施形態は、開始装置を提供する。開始装置は、受信された測定レポート受信指示に基づいて、第三の測定タスクの実行状態を知り、測定レポートを時間内に受信するための時間を調整するか、または測定レポートを受信することをスキップし、それにより測定レポートを受信することおよび測定レポートを受信するのを待つことのにおいて消費される電力を削減することができる。
【０３８８】
上記の諸実施形態に基づいて、本願のある実施形態は、さらに、開始装置を提供する。開始装置は、図６に示される測定方法を実装するよう構成され、図１２に示される開始装置１２００の機能をもつ。図１８に示されるように、開始装置１８００は、通信モジュール１８０１、プロセッサ１８０２およびメモリ１８０３を含む。通信モジュール１８０１、プロセッサ１８０２、およびメモリ１８０３は互いに接続される。
【０３８９】
任意的に、通信モジュール１８０１、プロセッサ１８０２、およびメモリ１８０３は、バス１８０４を使って互いに接続される。バス１８０４は、周辺コンポーネント相互接続（peripheral  component  interconnect、PCI）バス、拡張業界標準アーキテクチャー（extended  industry  standard  architecture、EISA）バスなどであってもよい。バスは、アドレスバス、データバス、制御バスなどに分類することができる。表現の簡単のため、図１８においてバスを表わすためには１本の太線のみが使用されているが、これは１本のみのバスまたは一つの型のみのバスがあることを意味するものではない。
【０３９０】
通信モジュール１８０１は、他の装置との通信を実施するために、データを受信し、送信するよう構成される。任意的に、通信モジュール１８０１はトランシーバまたは通信インターフェースであってもよい。たとえば、開始装置が基地局であるときは、通信モジュール１８０１はトランシーバであり；あるいは開始装置がサーバーであるときは、通信モジュール１８０１は通信インターフェースである。
【０３９１】
プロセッサ１８０２は、図６に示される測定方法を実装するよう構成され、具体的には、下記のように構成される：
通信モジュール１８０１を使って、第三の測定タスクのための測定要求を端末装置に送信する；
通信モジュール１８０１を使って、端末装置、第四の測定タスクを開始する装置、または、端末装置にサービスする基地局によって送信された衝突メッセージを受信する。ここで、衝突メッセージは、端末装置が第四の測定タスクのための測定要求を受信したことを示すために使用される；
第一のターゲット測定タスクを決定する。ここで、第一のターゲット測定タスクは、第三の測定タスクおよび第四の測定タスクのうちの任意のものである；
通信モジュール１８０１を使って、測定構成メッセージを、端末装置、第四の測定タスクを開始する装置、または基地局に送信する。ここで、測定構成メッセージは、端末装置に第一のターゲット測定タスクを優先的に実行するよう命令するために使用される。
【０３９２】
任意的に、第一のターゲット測定タスクを決定するとき、プロセッサ１８０２は、具体的には：
第三の測定タスクの優先度および第四の測定タスクの優先度を決定し；
第三の測定タスクの優先度および第四の測定タスクの優先度に基づいて、より高い優先度をもつ測定タスクを第一のターゲット測定タスクとして決定する、
よう構成される。
【０３９３】
任意的に、第三の測定タスクの優先度を決定するとき、プロセッサ１８０２は、具体的には：
第三の測定タスクの格納された優先度を判別する；または
衝突メッセージに含まれる、第三の測定タスクの優先度を判別する、
よう構成される。
【０３９４】
第四の測定タスクの優先度を決定するとき、プロセッサ１８０２は、具体的には：
第四の測定タスクの格納された優先度を判別する；または
衝突メッセージに含まれる、第四の測定タスクの優先度を決定する、
よう構成される。
【０３９５】
任意的に、第一のターゲット測定タスクが第三の測定タスクである場合、プロセッサ１８０２は、さらに：
通信モジュール１８０１を使って、第三の測定タスクの測定レポートを受け取るための指定された時間内に、第三の測定タスクの測定レポートを受け取るよう構成される；または
第一のターゲット測定タスクが第四の測定タスクである場合、プロセッサ１８０２は、さらに：
第三の測定タスクの測定レポートの受信をスキップする；または
第三の測定タスクの測定レポートを受信するための指定された時間を延長する、
よう構成される。
【０３９６】
任意的に、プロセッサ１８０１はさらに、下記のように構成される：
測定構成メッセージを端末装置、第四の測定タスクを開始する装置、または基地局に送信した後、端末装置によって送信された第一の測定レポート受信指示を通信モジュール１８０１を使って受信し、第一の測定レポート受信指示に基づいて、第三の測定タスクの測定レポートを受信することをスキップする。ここで、第一の測定レポート受信指示は、第三の測定タスクの測定レポートの受信をスキップするよう開始装置に命令するために使用される；または
測定構成メッセージを端末装置、第四の測定タスクを開始する装置、または基地局に送信した後、端末装置によって送信された第二の測定レポート受信指示を通信モジュール１８０１を使って受信し、第二の測定レポート受信指示に基づいて、第三の測定タスクの測定レポートを受信するための指定された時間を延長する。ここで、第二の測定レポート受信指示は、第三の測定タスクの測定レポートを受信するための時間を延長するよう開始装置に命令するために使用される。
【０３９７】
任意的に、第二の測定レポート受信指示はさらに継続時間を含み；
第二の測定レポート受信指示に基づいて、第三の測定タスクの測定レポートを受信するための指定された時間を延長するとき、プロセッサ１８０２は具体的には：
第三の測定タスクの測定レポートを受信するための指定された時間を、前記継続時間だけ延長するよう構成される。
【０３９８】
メモリ１８０３は、プログラム命令などを記憶するよう構成される。具体的には、プログラム命令はプログラム・コードを含んでいてもよく、プログラム・コードはコンピュータ動作命令を含む。メモリ１８０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１８０２は、上記の諸機能を実装するために、メモリ１８０３に記憶されたプログラム命令を実行し、それによって、上記の実施形態において提供される測定方法を実施する。
【０３９９】
本願のこの実施形態は、開始装置を提供する。開始装置は端末装置に、第一のターゲット測定タスクを優先的に実行するよう命令することができる。よって、端末装置は、二つの測定タスクのいずれかを優先的に実行することができ、それにより、測定タスクの完了品質を保証する。このように、二つの測定タスクを開始する装置が、端末装置に、対応する二つの測定タスクを実行するよう命令するとき、端末装置によって二つの測定タスクを実行するプロセスにおいて衝突が回避されることができ、それにより、端末装置の測定効率を確保することができる。
【０４００】
上記の諸実施形態に基づいて、本願のある実施形態は、さらに、基地局を提供する。基地局は、図７に示される測定方法を実装するよう構成され、図１３に示される基地局１３００の機能をもつ。図１９に示されるように、基地局１９００は、トランシーバ１９０１、プロセッサ１９０２およびメモリ１９０３を含む。トランシーバ１９０１、プロセッサ１９０２、およびメモリ１９０３は、互いに接続される。
【０４０１】
任意的に、トランシーバ１９０１、プロセッサ１９０２、およびメモリ１９０３は、バス１９０４を使って互いに接続される。バス１９０４は、周辺コンポーネント相互接続（peripheral  component  interconnect、PCI）バス、拡張業界標準アーキテクチャー（extended  industry  standard  architecture、EISA）バスなどであってもよい。バスは、アドレスバス、データバス、制御バスなどに分類することができる。表現の簡単のため、図１９においてバスを表わすためには１本の太線のみが使用されているが、これは１本のみのバスまたは一つの型のみのバスがあることを意味するものではない。
【０４０２】
トランシーバ１９０１は、他の装置との通信を実施するために、データを受信し、送信するよう構成される。
【０４０３】
プロセッサ１９０２は、図７に示される測定方法を実装するよう構成され、具体的には下記のように構成される：
端末装置によって送信された衝突メッセージをトランシーバ１９０１を使って受信する。ここで、衝突メッセージは、端末装置が第一の測定タスクのための第一の測定要求および第二の測定タスクのための第二の測定要求を受信したことを示すために使用される；
第一のターゲット測定タスクを決定する。ここで、第一のターゲット測定タスクは、第一の測定タスクおよび第二の測定タスクのうちの任意のものである；
トランシーバ１９０１を使って測定構成メッセージを端末装置に送信する。ここで、測定構成メッセージは、端末装置に、第一のターゲット測定タスクを優先的に実行するよう命令するために使用される。
【０４０４】
任意的に、第一のターゲット測定タスクを決定するとき、プロセッサ１９０２は、具体的には：
第一の測定タスクの優先度および第二の測定タスクの優先度を決定し；
第一の測定タスクの優先度および第二の測定タスクの優先度に基づいて、より高い優先度をもつ測定タスクを第一のターゲット測定タスクとして決定する、
よう構成される。
【０４０５】
任意的に、第一の測定タスクの優先度および第二の測定タスクの優先度を決定するとき、プロセッサ１９０２は、具体的には：
第一の測定タスクの格納された優先度および第二の測定タスクの格納された優先度を判別する；または
衝突メッセージに含まれる第一の測定タスクの優先度および第二の測定タスクの優先度を判別する、
よう構成される。
【０４０６】
メモリ１９０３は、プログラム命令などを記憶するよう構成される。具体的には、プログラム命令はプログラム・コードを含んでいてもよく、プログラム・コードはコンピュータ動作命令を含む。メモリ１９０３は、ランダムアクセスメモリ（random  access  memory、RAM）を含んでいてもよく、不揮発性メモリ（non-volatile  memory）、たとえば、少なくとも一つの磁気ディスク・メモリをさらに含んでいてもよい。プロセッサ１９０２は、上記の諸機能を実装するために、メモリ１９０３に記憶されたプログラム命令を実行し、それによって、上記の実施形態において提供される測定方法を実施する。
【０４０７】
本願のこの実施形態は、基地局をさらに提供する。基地局は端末装置に、第一のターゲット測定タスクを優先的に実行するよう命令することができる。よって、端末装置は、二つの測定タスクのうちの任意のものを優先的に実行することができ、それにより、測定タスクの完了品質を保証する。このように、二つの測定タスクを開始する装置が、端末装置に、対応する二つの測定タスクを実行するよう命令するとき、端末装置によって実行される二つの測定タスクを実行するプロセスにおいて衝突が回避されることができ、それにより、端末装置の測定効率を確保することができる。
【０４０８】
結論として、本願の実施形態は、測定方法および装置を提供する。この方法では、端末装置が、二つの測定タスクを開始する装置によって送信された測定要求を同時にまたは相次いで受信した後、端末装置は、二つの測定タスクのうちの任意のものを優先的に実行することができ、それにより、測定タスクの完了品質を保証する。このように、二つの測定タスクを開始する装置が、端末装置に、対応する二つの測定タスクを実行するように指示する場合、端末装置によって二つの測定タスクを実行するプロセスにおいて衝突が回避されることができ、それにより、端末装置の測定効率を確保することができる。
【０４０９】
当業者は、本願の実施形態が、方法、システムまたはコンピュータ・プログラム製品として提供されうることを理解するはずである。よって、本願は、ハードウェアのみの実施形態、ソフトウェアのみの実施形態、またはソフトウェアとハードウェアの組み合わせを有する実施形態の形を使用することができる。さらに、本願は、コンピュータ使用可能プログラム・コードを含む、一つまたは複数のコンピュータ使用可能記憶媒体（ディスク・メモリ、CD-ROM、光メモリなどを含むが、これらに限定されない）上に実装されるコンピュータ・プログラム製品の形を使用することができる。
【０４１０】
本願は、本願の実施形態に基づく方法、装置（システム）、およびコンピュータ・プログラム製品のフローチャートおよび／またはブロック図を参照して記述されている。フローチャートおよび／またはブロック図の各プロセスおよび／または各ブロック、およびフローチャートおよび／またはブロック図のプロセスおよび／またはブロックの組み合わせを実装するためにコンピュータ・プログラム命令が使用されうることを理解しておくべきである。これらのコンピュータ・プログラム命令は、機械を生成するために、汎用コンピュータ、専用コンピュータ、埋め込みプロセッサ、または別のプログラマブル・データ処理装置のプロセッサに提供されることができ、その結果、前記コンピュータまたは前記別のプログラマブル・データ処理装置の前記プロセッサによって実行される前記命令は、フローチャート内の一つまたは複数のプロセスおよび／またはブロック図内の一つまたは複数のブロックにおける特定の機能を実装するための装置を生成する。
【０４１１】
これらのコンピュータ・プログラム命令は、前記コンピュータまたは前記別のプログラマブル・データ処理装置に、特定の仕方で動作するように命令することができるコンピュータ可読メモリに記憶されてもよく、それにより、コンピュータ可読メモリに記憶された命令は、命令装置を含む製造物を生成する。前記命令装置は、フローチャート中の一つまたは複数のプロセスおよび／またはブロック図中の一つまたは複数のブロックにおける特定の機能を実装する。
【０４１２】
これらのコンピュータ・プログラム命令は、コンピュータまたは別のプログラマブル・データ処理装置にロードされてもよく、それにより、一連の動作およびステップが前記コンピュータまたは前記別のプログラマブル装置上で実行され、それにより、コンピュータ実装された処理を生成する。よって、前記コンピュータまたは前記別のプログラマブル装置上で実行される命令は、フローチャートの一つまたは複数のプロセスおよび／またはブロック図の一つまたは複数のブロックにおける特定の機能を実装するためのステップを提供する。
【０４１３】
明らかに、当業者は、本願の実施形態の精神および範囲から逸脱することなく、本願の実施形態にさまざまな修正および変更を加えることができる。よって、本願は、以下の請求項およびそれらの等価な技術によって定義される保護の範囲内はいる限り、これらの修正および変形をカバーすることが意図されている。
【国際調査報告】
2020519143.tif 000022
2020519143.tif 000023
2020519143.tif 000024
2020519143.tif 000025